(57)【要約】  本出願は、通信分野に関し、信号送信方法を開示する。当該方法は、第１のネットワーク装置が、Ｘ個の第１の信号およびＹ個の第２の信号を送信する段階であって、それぞれの第２の信号が少なくとも１つの第１の信号と関連付けられ、Ｘは１以上の整数であり、Ｙは１以上の整数である、段階を備え、第１の信号は、ＯＦＤＭシンボルのインデックス情報を保持し、ＯＦＤＭシンボルのインデックス情報は、第１の信号が位置するＯＦＤＭシンボルの第１の時間単位内のインデックスを示し、第２の信号は、第１の時間単位のインデックス情報を保持し、第１の時間単位のインデックス情報は、第２の信号が位置する第１の時間単位の第２の時間単位内のインデックスを示し、すなわち、第１の信号が位置するＯＦＤＭシンボルの第２の時間単位内の位置を、１つの第２の信号と１つの関連付けられた第１の信号との組み合わせを用いることによって特定することができる。
2019530275.tif 000002
【特許請求の範囲】
【請求項１】
信号を伝送するための装置であって、前記装置は、
Ｘ個の第１の信号およびＹ個の第２の信号を送信するよう構成される信号送信ユニットであって、それぞれの前記第２の信号は、少なくとも１つの第１の信号と関連付けられ、Ｘは１以上の整数であり、Ｙは１以上の整数である、信号送信ユニットを備え、
前記第１の信号は、直交周波数分割多重ＯＦＤＭシンボルのインデックス情報を保持し、前記ＯＦＤＭシンボルのインデックス情報は、前記第１の信号が位置するＯＦＤＭシンボルの第１の時間単位内のインデックスを示し、前記第２の信号は、第１の時間単位のインデックス情報を保持し、前記第１の時間単位のインデックス情報は、前記第２の信号が位置する第１の時間単位の第２の時間単位内のインデックスを示し、１つの第２の時間単位は、少なくとも２つの第１の時間単位を含み、それぞれの前記第１の時間単位は、少なくとも２つのОＦＤＭシンボルを含む、
装置。
【請求項２】
前記Ｘ個の第１の信号および前記Ｙ個の第２の信号のうち、互いに関連付けられている１つの第１の信号および１つの第２の信号は、１つの伝送ビームに位置する、請求項１に記載の装置。
【請求項３】
前記Ｘ個の第１の信号および前記Ｙ個の第２の信号のうち、互いに関連付けられている１つの第１の信号および１つの第２の信号は、１つの第１の時間単位に位置する、請求項１に記載の装置。
【請求項４】
セルまたはスーパーセルに対して、
前記第１の信号は同期信号であり、前記第２の信号はブロードキャスト信号であるか、または、
前記第１の信号はブロードキャスト信号であり、前記第２の信号は同期信号であるか、または、
前記第１の信号は同期信号であり、前記第２の信号は同期信号である、請求項１に記載の装置。
【請求項５】
前記同期信号は、一次同期信号および二次同期信号を含むか、または、
前記同期信号は、一次同期信号、二次同期信号、および第３の同期信号ｅＳＳＳを含み、
各同期信号に含まれる前記一次同期信号および前記二次同期信号は、１つの第１の時間単位に位置する、請求項４に記載の装置。
【請求項６】
前記第１の時間単位は、サブフレームまたはタイムスロットである、請求項１から５のいずれか一項に記載の装置。
【請求項７】
セルまたはスーパーセルに対して、
前記第１の信号は同期信号であり、前記第１の信号が位置する前記ＯＦＤＭシンボルの前記第１の時間単位内の前記インデックスは、前記同期信号の異なるシーケンスによって示される、請求項４または５に記載の装置。
【請求項８】
セルまたはスーパーセルに対して、
同期信号を伝送するための第１の時間単位において、異なるＯＦＤＭシンボルにおいて伝送される同期信号における一次同期信号のシーケンスは、対応するＯＦＤＭシンボルの前記第１の時間単位内のインデックスを示すために用いられ、
同期信号を伝送するための異なる第１の時間単位において、同じＯＦＤＭシンボルインデックスに対応するＯＦＤＭシンボルにおける一次同期信号のシーケンスは同じであり、
同期信号を伝送するための第１の時間単位において、異なるＯＦＤＭシンボルにおいて伝送される同期信号における二次同期信号のシーケンスは同じであり、
同期信号を伝送するために用いられ、同じ半分のフレームにある異なる第１の時間単位において、異なるＯＦＤＭシンボルにおいて伝送される同期信号における二次同期信号のシーケンスは同じである、
請求項７に記載の装置。
【請求項９】
セルまたはスーパーセルに対して、
同期信号を伝送するための第１の時間単位において、異なるＯＦＤＭシンボルにおいて伝送される同期信号における二次同期信号のシーケンスは、対応するＯＦＤＭシンボルの前記第１の時間単位内のインデックスを示すために用いられ、
同期信号を伝送するために用いられ、同じ半分のフレームにおける異なる第１の時間単位において、同じＯＦＤＭシンボルインデックスに対応するＯＦＤＭシンボルにおける二次同期信号のシーケンスは同じであり、同期信号を伝送するための第１の時間単位において、異なるＯＦＤＭシンボルにおいて伝送される同期信号における一次同期信号のシーケンスは同じであり、
同期信号を伝送するための異なる第１の時間単位において、異なるＯＦＤＭシンボルにおいて伝送される同期信号における一次同期信号のシーケンスは同じである、
請求項７に記載の装置。
【請求項１０】
セルまたはスーパーセルに対して、
同期信号を伝送するための第１の時間単位において、異なるＯＦＤＭシンボルにおいて伝送される同期信号の第３の同期信号ｅＳＳＳのシーケンスは、対応するＯＦＤＭシンボルの前記第１の時間単位内のインデックスを示すために用いられ、
同期信号を伝送するための異なる第１の時間単位において、同じＯＦＤＭシンボルインデックスに対応するＯＦＤＭシンボルにおける第３の同期信号のシーケンスは同じであり、
同期信号を伝送するための第１の時間単位において、異なるＯＦＤＭシンボルにおいて伝送される同期信号における一次同期信号のシーケンスは同じであり、異なるＯＦＤＭシンボルにおいて伝送される同期信号における二次同期信号のシーケンスは同じであり、
同期信号を伝送するための異なる第１の時間単位において、異なるＯＦＤＭシンボルにおいて伝送される同期信号における一次同期信号のシーケンスは同じであり、
同期信号を伝送するために用いられ、同じ半分のフレームにおける異なる第１の時間単位において、異なるＯＦＤＭシンボルにおいて伝送される同期信号における二次同期信号のシーケンスは同じである、
請求項７に記載の装置。
【請求項１１】
セルまたはスーパーセルに対して、
同期信号を伝送するための第１の時間単位において、異なるＯＦＤＭシンボルにおいて伝送される同期信号の第３の同期信号ｅＳＳＳのシーケンスは、対応するＯＦＤＭシンボルの前記第１の時間単位内のインデックスを示すために用いられ、異なるＯＦＤＭシンボルにおいて伝送される同期信号における一次同期信号のシーケンスは、前記第１の時間単位の前記第２の時間単位内のインデックスを示すために用いられ、
同期信号を伝送するための異なる第１の時間単位において、同じＯＦＤＭシンボルインデックスに対応するＯＦＤＭシンボルにおける第３の同期信号のシーケンスは同じであり、
同期信号を伝送するための第１の時間単位において、異なるＯＦＤＭシンボルにおいて伝送される同期信号における二次同期信号のシーケンスは同じであり、
同期信号を伝送するために用いられ、同じ半分のフレームにおける異なる第１の時間単位において、異なるＯＦＤＭシンボルにおいて伝送される同期信号における二次同期信号のシーケンスは同じである、
請求項７に記載の装置。
【請求項１２】
セルまたはスーパーセルに対して、
同期信号を伝送するための第１の時間単位において、異なるＯＦＤＭシンボルにおいて伝送される同期信号の第３の同期信号ｅＳＳＳのシーケンスは、対応するＯＦＤＭシンボルの前記第１の時間単位内のインデックスを示すために用いられ、異なるＯＦＤＭシンボルにおいて伝送される同期信号における二次同期信号のシーケンスは、前記第１の時間単位の前記第２の時間単位内のインデックスを示すために用いられ、
同期信号を伝送するための異なる第１の時間単位において、同じＯＦＤＭシンボルインデックスに対応するＯＦＤＭシンボルにおける第３の同期信号のシーケンスは同じであり、
同期信号を伝送するための第１の時間単位において、異なるＯＦＤＭシンボルにおいて伝送される同期信号における一次同期信号のシーケンスは同じであり、
同期信号伝送するための異なる第１の時間単位において、異なるＯＦＤＭシンボルにおいて伝送される同期信号における一次同期信号のシーケンスは同じである、
請求項７に記載の装置。
【請求項１３】
セルまたはスーパーセルについて、
同期信号を伝送するための第１の時間単位において、異なるＯＦＤＭシンボルにおいて伝送される同期信号における一次同期信号のシーケンスは、対応するＯＦＤＭシンボルの前記第１の時間単位内のインデックスを示すために用いられ、異なるＯＦＤＭシンボルにおいて伝送される同期信号における二次同期信号のシーケンスは、前記第１の時間単位の前記第２の時間単位内のインデックスを示すために用いられ、
同期信号を伝送するための異なる第１の時間単位において、同じＯＦＤＭシンボルインデックスに対応するＯＦＤＭシンボルにおける一次同期信号のシーケンスは同じである、
請求項７に記載の装置。
【請求項１４】
セルまたはスーパーセルに対して、
同期信号を伝送するための第１の時間単位において、異なるＯＦＤＭシンボルにおいて伝送される同期信号における二次同期信号のシーケンスは、対応するＯＦＤＭシンボルの前記第１の時間単位内のインデックスを示すために用いられ、異なるＯＦＤＭシンボルにおいて伝送される同期信号における一次同期信号のシーケンスは、前記第１の時間単位の前記第２の時間単位内のインデックスを示すために用いられ、
同期信号を伝送するために用いられ、同じ半分のフレームにおける異なる第１の時間単位において、同じＯＦＤＭシンボルインデックスに対応するＯＦＤＭシンボルにおける二次同期信号のシーケンスは同じである、
請求項７に記載の装置。
【請求項１５】
セルまたはスーパーセルに対して、
前記同期信号における前記一次同期信号のシーケンスは、１つのセルＩＤグループにおけるセルＩＤ情報を識別するために用いられ、
前記同期信号における前記二次同期信号のシーケンスは、セルＩＤグループの情報を識別するために用いられる、請求項８から１４のいずれか一項に記載の装置。
【請求項１６】
セルまたはスーパーセルに対して、前記第１の信号が同期信号であり、前記第２の信号がブロードキャスト信号であるとき、
前記ブロードキャスト信号のシグナリングは、前記ブロードキャスト信号の第１の時間単位のインデックス情報を明示的に示し、および／または、
前記ブロードキャスト信号におけるスクランブリングコードは、前記第１の時間単位のインデックス情報を保持し、および／または、
前記ブロードキャスト信号における巡回冗長検査コードＣＲＣのマスクは、前記第１の時間単位のインデックス情報を保持する、請求項７から１４のいずれか一項に記載の装置。
【請求項１７】
セルまたはスーパーセルに対して、前記第１の信号が同期信号であり、前記第２の信号がブロードキャスト信号であるとき、
前記ブロードキャスト信号のシグナリングは、前記ブロードキャスト信号の第１の時間単位のインデックス情報を明示的に示し、
前記ブロードキャスト信号におけるスクランブリングコードは、前記ブロードキャスト信号に対応するＯＦＤＭシンボルのインデックス情報または前記ブロードキャスト信号に対応する同期信号のＯＦＤＭシンボルのインデックス情報を保持する、
請求項７から１４のいずれか一項に記載の装置。
【請求項１８】
セルまたはスーパーセルに対して、前記第１の信号が同期信号であり、前記第２の信号がブロードキャスト信号であるとき、
前記ブロードキャスト信号のシグナリングは、前記ブロードキャスト信号の第１の時間単位のインデックス情報を明示的に示し、
前記ブロードキャスト信号におけるＣＲＣのマスクは、前記ブロードキャスト信号に対応するＯＦＤＭシンボルのインデックス情報または前記ブロードキャスト信号に対応する同期信号のＯＦＤＭシンボルのインデックス情報を保持する、
請求項７から１４のいずれか一項に記載の装置。
【請求項１９】
セルまたはスーパーセルに対して、
前記第１の時間単位のインデックスの最大数は、１つの第２の時間単位における第１の時間単位の数より小さい、またはそれに等しい、
請求項１６から１８のいずれか一項に記載の装置。
【請求項２０】
セルまたはスーパーセルに対して、
第１のネットワーク装置により１つの第２の時間単位において前記第１の信号を送信するための第１の時間単位の位置は可変である、
請求項１から１９のいずれか一項に記載の装置。
【請求項２１】
セルまたはスーパーセルに対して、
第１のネットワーク装置により１つの第２の時間単位において前記第２の信号を送信するための第１の時間単位の位置は可変である、
請求項１から１９のいずれか一項に記載の装置。
【請求項２２】
セルまたはスーパーセルに対して、
第１のネットワーク装置により１つの第２の時間単位において前記第１の信号を送信するために占有されている第１の時間単位の数は可変である、
請求項１から１９のいずれか一項に記載の装置。
【請求項２３】
セルまたはスーパーセルに対して、
第１のネットワーク装置１つの第２の時間単位において前記第２の信号を送信するために占有されている第１の時間単位の数は可変である、
請求項１から１９のいずれか一項に記載の装置。
【請求項２４】
セルまたはスーパーセルに対して、
前記第１の信号に対応する時間−周波数リソースは、前記第２の信号に対応する時間−周波数リソースと関連付けられる、
請求項１から２３のいずれか一項に記載の装置。
【請求項２５】
セルまたはスーパーセルに対して、
前記第１の信号に対応する時間−周波数リソース、および前記第２の信号に対応する時間−周波数リソースは同じＯＦＤＭシンボルにおいて周波数分割多重化されるか、または、
前記第１の信号に対応する時間−周波数リソース、および前記第２の信号に対応する時間−周波数リソースが、異なるＯＦＤＭシンボルにおいて時分割多重化される、
請求項１から２４のいずれか一項に記載の装置。
【請求項２６】
信号を受信するための装置であって、前記装置は、
第１のネットワーク装置により送信されたＸ個の第１の信号のうち１つおよびＹ個の第２の信号のうち１つを検出するよう構成される検出ユニットであって、Ｘは１以上の整数であり、Ｙは１以上の整数である、検出ユニットと、
前記第１の信号に基づいてＯＦＤＭシンボルのインデックス情報を取得し、前記第２の信号に基づいて第１の時間単位のインデックス情報を取得するよう構成される情報取得ユニットであって、前記ＯＦＤＭシンボルのインデックス情報は、前記第１の信号が位置するＯＦＤＭシンボルの第１の時間単位内のインデックスを示し、前記第１の時間単位のインデックス情報は、前記第２の信号が位置する第１の時間単位の第２の時間単位内のインデックスを示し、１つの第２の時間単位は、少なくとも２つの第１の時間単位を含み、それぞれの前記第１の時間単位は、少なくとも２つのОＦＤＭシンボルを含む、情報取得ユニットとを備える、
装置。
【請求項２７】
前記Ｘ個の第１の信号および前記Ｙ個の第２の信号のうち、互いに関連付けられている１つの第１の信号および１つの第２の信号は、１つの伝送ビームに位置する、請求項２６に記載の装置。
【請求項２８】
前記Ｘ個の第１の信号および前記Ｙ個の第２の信号のうち、互いに関連付けられている１つの第１の信号および１つの第２の信号は、１つの第１の時間単位に位置する、
請求項２６に記載の装置。
【請求項２９】
セルまたはスーパーセルに対して、
前記第１の信号は同期信号であり、前記第２の信号はブロードキャスト信号であるか、または、
前記第１の信号はブロードキャスト信号であり、前記第２の信号は同期信号であるか、または、
前記第１の信号は同期信号であり、前記第２の信号は同期信号である、
請求項２６に記載の装置。
【請求項３０】
前記同期信号は、一次同期信号および二次同期信号を含むか、または、
前記同期信号は、一次同期信号、二次同期信号、および第３の同期信号ｅＳＳＳを含み、
各同期信号に含まれる前記一次同期信号および前記二次同期信号は、１つの第１の時間単位に位置する、
請求項２９に記載の装置。
【請求項３１】
前記第１の時間単位は、サブフレームまたはタイムスロットである、請求項２６から３０のいずれか一項に記載の装置。
【請求項３２】
セルまたはスーパーセルに対して、
前記第１の信号は、同期信号であり、前記第１の信号が位置する前記ＯＦＤＭシンボルの前記第１の時間単位内の前記インデックスは、前記同期信号の異なるシーケンスによって示される、請求項２９または３０に記載の装置。
【請求項３３】
セルまたはスーパーセルに対して、
同期信号を伝送するための第１の時間単位において、異なるＯＦＤＭシンボルにおいて伝送される同期信号における一次同期信号のシーケンスは、対応するＯＦＤＭシンボルの前記第１の時間単位内のインデックスを示すために用いられ、
同期信号を伝送するための異なる第１の時間単位において、同じＯＦＤＭシンボルインデックスに対応するＯＦＤＭシンボルにおける一次同期信号のシーケンスは同じであり、
同期信号を伝送するための第１の時間単位において、異なるＯＦＤＭシンボルにおいて伝送される同期信号における二次同期信号のシーケンスは同じであり、
同期信号を伝送するために用いられ、同じ半分のフレームにおける異なる第１の時間単位において、異なるＯＦＤＭシンボルにおいて伝送される同期信号における二次同期信号のシーケンスは同じである、
請求項３２に記載の装置。
【請求項３４】
セルまたはスーパーセルに対して、
同期信号を伝送するための第１の時間単位において、異なるＯＦＤＭシンボルにおいて伝送される同期信号における二次同期信号のシーケンスは、対応するＯＦＤＭシンボルの前記第１の時間単位内のインデックスを示すために用いられ、
同期信号を伝送するために用いられ、同じ半分のフレームにおける異なる第１の時間単位において、同じＯＦＤＭシンボルインデックスに対応するＯＦＤＭシンボルにおける二次同期信号のシーケンスは同じであり、
同期信号を伝送するための第１の時間単位において、異なるＯＦＤＭシンボルにおいて伝送される同期信号における一次同期信号のシーケンスは同じであり、
同期信号を伝送するための異なる第１の時間単位において、異なるＯＦＤＭシンボルにおいて伝送される同期信号における一次同期信号のシーケンスは同じである、
請求項３２に記載の装置。
【請求項３５】
セルまたはスーパーセルに対して、
同期信号を伝送するための第１の時間単位において、異なるＯＦＤＭシンボルにおいて伝送される同期信号の第３の同期信号ｅＳＳＳのシーケンスは、対応するＯＦＤＭシンボルの前記第１の時間単位内のインデックスを示すために用いられ、
同期信号を伝送するための異なる第１の時間単位において、同じＯＦＤＭシンボルインデックスに対応するＯＦＤＭシンボルにおける第３の同期信号のシーケンスは同じであり、
同期信号を伝送するための第１の時間単位において、異なるＯＦＤＭシンボルにおいて伝送される同期信号における一次同期信号のシーケンスは同じであり、異なるＯＦＤＭシンボルにおいて伝送される同期信号における二次同期信号のシーケンスは同じであり、
同期信号を伝送するための異なる第１の時間単位において、異なるＯＦＤＭシンボルにおいて伝送される同期信号における一次同期信号のシーケンスは同じであり、
同期信号を伝送するために用いられ、同じ半分のフレームにおける異なる第１の時間単位において、異なるＯＦＤＭシンボルにおいて伝送される同期信号における二次同期信号のシーケンスは同じである、
請求項３２に記載の装置。
【請求項３６】
セルまたはスーパーセルに対して、
同期信号を伝送するための第１の時間単位において、異なるＯＦＤＭシンボルにおいて伝送される同期信号の第３の同期信号ｅＳＳＳのシーケンスは、対応するＯＦＤＭシンボルの前記第１の時間単位内のインデックスを示すために用いられ、異なるＯＦＤＭシンボルにおいて伝送される同期信号における一次同期信号のシーケンスは、前記第１の時間単位の前記第２の時間単位内のインデックスを示すために用いられ、
同期信号を伝送するための異なる第１の時間単位において、同じＯＦＤＭシンボルインデックスに対応するＯＦＤＭシンボルにおける第３の同期信号のシーケンスは同じであり、
同期信号を伝送するための第１の時間単位において、異なるＯＦＤＭシンボルにおいて伝送される同期信号における二次同期信号のシーケンスは同じであり、
同期信号を伝送するために用いられ、同じ半分のフレームにおける異なる第１の時間単位において、異なるＯＦＤＭシンボルにおいて伝送される同期信号における二次同期信号のシーケンスは同じである、
請求項３２に記載の装置。
【請求項３７】
セルまたはスーパーセルに対して、
同期信号を伝送するための第１の時間単位において、異なるＯＦＤＭシンボルにおいて伝送される同期信号の第３の同期信号ｅＳＳＳのシーケンスは、対応するＯＦＤＭシンボルの前記第１の時間単位内のインデックスを示すために用いられ、異なるＯＦＤＭシンボルにおいて伝送される同期信号における二次同期信号のシーケンスは、前記第１の時間単位の前記第２の時間単位内のインデックスを示すために用いられ、
同期信号を伝送するための異なる第１の時間単位において、同じＯＦＤＭシンボルインデックスに対応するＯＦＤＭシンボルにおける第３の同期信号のシーケンスは同じであり、
同期信号を伝送するための第１の時間単位において、異なるＯＦＤＭシンボルにおいて伝送される同期信号における一次同期信号のシーケンスは同じであり、
同期信号を伝送するための異なる第１の時間単位において、異なるＯＦＤＭシンボルにおいて伝送される同期信号における一次同期信号のシーケンスは同じである、
請求項３２に記載の装置。
【請求項３８】
セルまたはスーパーセルに対して、
同期信号を伝送するための第１の時間単位において、異なるＯＦＤＭシンボルにおいて伝送される同期信号における一次同期信号のシーケンスは、対応するＯＦＤＭシンボルの前記第１の時間単位内のインデックスを示すために用いられ、異なるＯＦＤＭシンボルにおいて伝送される同期信号における二次同期信号のシーケンスは、前記第１の時間単位の前記第２の時間単位内のインデックスを示すために用いられ、
同期信号を伝送するための異なる第１の時間単位において、同じＯＦＤＭシンボルインデックスに対応するＯＦＤＭシンボルにおける一次同期信号のシーケンスは同じである、
請求項３２に記載の装置。
【請求項３９】
セルまたはスーパーセルに対して、
同期信号を伝送するための第１の時間単位において、異なるＯＦＤＭシンボルにおいて伝送される同期信号における二次同期信号のシーケンスは、対応するＯＦＤＭシンボルの前記第１の時間単位内のインデックスを示すために用いられ、異なるＯＦＤＭシンボルにおいて伝送される同期信号における一次同期信号のシーケンスは、前記第１の時間単位の前記第２の時間単位内のインデックスを示すために用いられ、
同期信号を伝送するために用いられ、同じ半分のフレームにおける異なる第１の時間単位において、同じＯＦＤＭシンボルインデックスに対応するＯＦＤＭシンボルにおける二次同期信号のシーケンスは同じである、
請求項３２に記載の装置。
【請求項４０】
セルまたはスーパーセルに対して、
前記同期信号における前記一次同期信号のシーケンスは、１つのセルＩＤグループにおけるセルＩＤ情報を識別するために用いられ、
前記同期信号における前記二次同期信号のシーケンスは、セルＩＤグループの情報を識別するために用いられる、
請求項３１から３９のいずれか一項に記載の装置。
【請求項４１】
セルまたはスーパーセルに対して、前記第１の信号が同期信号であり、前記第２の信号がブロードキャスト信号であるとき、
前記ブロードキャスト信号のシグナリングは、前記ブロードキャスト信号の第１の時間単位のインデックス情報を明示的に示し、および／または、
前記ブロードキャスト信号におけるスクランブリングコードは、前記第１の時間単位のインデックス情報を保持し、および／または、
前記ブロードキャスト信号における巡回冗長検査コードＣＲＣのマスクは、前記第１の時間単位のインデックス情報を保持する、
請求項３０から３９のいずれか一項に記載の装置。
【請求項４２】
セルまたはスーパーセルに対して、前記第１の信号が同期信号であり、前記第２の信号がブロードキャスト信号であるとき、
前記ブロードキャスト信号のシグナリングは、前記ブロードキャスト信号の第１の時間単位のインデックス情報を明示的に示し、
前記ブロードキャスト信号におけるスクランブリングコードは、前記ブロードキャスト信号に対応するＯＦＤＭシンボルのインデックス情報または前記ブロードキャスト信号に対応する同期信号のＯＦＤＭシンボルのインデックス情報を保持する、
請求項３０から３９のいずれか一項に記載の装置。
【請求項４３】
セルまたはスーパーセルに対して、前記第１の信号が同期信号であり、前記第２の信号がブロードキャスト信号であるとき、
前記ブロードキャスト信号のシグナリングは、前記ブロードキャスト信号の第１の時間単位のインデックス情報を明示的に示し、
前記ブロードキャスト信号のＣＲＣのマスクは、前記ブロードキャスト信号に対応するＯＦＤＭシンボルのインデックス情報または前記ブロードキャスト信号に対応する同期信号のＯＦＤＭシンボルのインデックス情報を保持する、
請求項３０から３９のいずれか一項に記載の装置。
【請求項４４】
セルまたはスーパーセルに対して、
前記第１の時間単位のインデックスの最大数は、１つの第２の時間単位における第１の時間単位の数より小さい、またはそれに等しい、
請求項４１から４３のいずれか一項に記載の装置。
【請求項４５】
セルまたはスーパーセルに対して、
前記第１のネットワーク装置により１つの第２の時間単位において前記第１の信号を送信するための第１の時間単位の位置は可変である、請求項２６から４４のいずれか一項に記載の装置。
【請求項４６】
セルまたはスーパーセルに対して、
前記第１のネットワーク装置により１つの第２の時間単位において前記第２の信号を送信するための第１の時間単位の位置は可変である、
請求項２６から４４のいずれか一項に記載の装置。
【請求項４７】
セルまたはスーパーセルに対して、
前記第１のネットワーク装置により１つの第２の時間単位において前記第１の信号を送信するために占有されている第１の時間単位の数は可変である、
請求項２６から４４のいずれか一項に記載の装置。
【請求項４８】
セルまたはスーパーセルに対して、
前記第１のネットワーク装置により１つの第２の時間単位において前記第２の信号を送信するために占有されている第１の時間単位の数は可変である、
請求項２６から４４のいずれか一項に記載の装置。
【請求項４９】
セルまたはスーパーセルに対して、
前記第１の信号に対応する時間−周波数リソースは、前記第２の信号に対応する時間−周波数リソースと関連付けられる、
請求項２６から４８のいずれか一項に記載の装置。
【請求項５０】
セルまたはスーパーセルに対して、
前記第１の信号に対応する時間−周波数リソース、および前記第２の信号に対応する時間−周波数リソースは、同じＯＦＤＭシンボルにおいて周波数分割多重化されるか、または、
前記第１の信号に対応する時間−周波数リソース、および前記第２の信号に対応する時間−周波数リソースは、異なるＯＦＤＭシンボルにおいて時分割多重化される、
請求項２６から４９のいずれか一項に記載の装置。
【請求項５１】
信号を伝送するための方法であって、前記方法は、
第１のネットワーク装置が、Ｘ個の第１の信号およびＹ個の第２の信号を送信する段階であって、それぞれの前記第２の信号は、少なくとも１つの第１の信号と関連付けられ、Ｘは１以上の整数であり、Ｙは１以上の整数である、段階を備え、
前記第１の信号は、直交周波数分割多重ＯＦＤＭシンボルのインデックス情報を保持し、前記ＯＦＤＭシンボルのインデックス情報は、前記第１の信号が位置するＯＦＤＭシンボルの第１の時間単位内のインデックスを示し、前記第２の信号は、第１の時間単位のインデックス情報を保持し、前記第１の時間単位のインデックス情報は、前記第２の信号が位置する第１の時間単位の第２の時間単位内のインデックスを示し、１つの第２の時間単位は、少なくとも２つの第１の時間単位を含み、それぞれの前記第１の時間単位は、少なくとも２つのОＦＤＭシンボルを含む、
方法。
【請求項５２】
前記Ｘ個の第１の信号および前記Ｙ個の第２の信号のうち、互いに関連付けられている１つの第１の信号および１つの第２の信号は、１つの伝送ビームに位置する、
請求項５１に記載の方法。
【請求項５３】
前記Ｘ個の第１の信号および前記Ｙ個の第２の信号のうち、互いに関連付けられている１つの第１の信号および１つの第２の信号は、１つの第１の時間単位に位置する、
請求項５１に記載の方法。
【請求項５４】
セルまたはスーパーセルに対して、
前記第１の信号は同期信号であり、前記第２の信号はブロードキャスト信号であるか、または、
前記第１の信号はブロードキャスト信号であり、前記第２の信号は同期信号であるか、または、
前記第１の信号は同期信号であり、前記第２の信号は同期信号である、
請求項５１に記載の方法。
【請求項５５】
前記同期信号は、一次同期信号および二次同期信号を含むか、または、
前記同期信号は、一次同期信号、二次同期信号、および第３の同期信号ｅＳＳＳを含み、各同期信号に含まれている前記一次同期信号および前記二次同期信号は、１つの第１の時間単位に位置する、
請求項５４に記載の方法。
【請求項５６】
前記第１の時間単位は、サブフレームまたはタイムスロットである、請求項５１から５５のいずれか一項に記載の方法。
【請求項５７】
セルまたはスーパーセルに対して、
前記第１の信号は、同期信号であり、前記第１の信号が位置する前記ＯＦＤＭシンボルの前記第１の時間単位内の前記インデックスは、前記同期信号の異なるシーケンスにより示される、
請求項５３または５４に記載の方法。
【請求項５８】
セルまたはスーパーセルに対して、
同期信号を伝送するための第１の時間単位において、異なるＯＦＤＭシンボルにおいて伝送される同期信号における一次同期信号のシーケンスは、対応するＯＦＤＭシンボルの前記第１の時間単位内のインデックスを示すために用いられ、
同期信号を伝送するための異なる第１の時間単位において、同じＯＦＤＭシンボルインデックスに対応するＯＦＤＭシンボルにおける一次同期信号のシーケンスは同じであり、
同期信号を伝送するための第１の時間単位において、異なるＯＦＤＭシンボルにおいて伝送される同期信号における二次同期信号のシーケンスは同じであり、
同期信号を伝送するために用いられ、同じ半分のフレームにおける異なる第１の時間単位において、異なるＯＦＤＭシンボルにおいて伝送される同期信号における二次同期信号のシーケンスは同じである、
請求項５７に記載の方法。
【請求項５９】
セルまたはスーパーセルに対して、
同期信号を伝送するための第１の時間単位において、異なるＯＦＤＭシンボルにおいて伝送される同期信号における二次同期信号のシーケンスは、対応するＯＦＤＭシンボルの前記第１の時間単位内のインデックスを示すために用いられ、
同期信号を伝送するために用いられ、同じ半分のフレームにおける異なる第１の時間単位において、同じＯＦＤＭシンボルインデックスに対応するＯＦＤＭシンボルにおける二次同期信号のシーケンスは同じであり、同期信号を伝送するために第１の時間単位において、異なるＯＦＤＭシンボルにおいて伝送される同期信号における一次同期信号のシーケンスは同じであり、
同期信号を伝送するための異なる第１の時間単位において、異なるＯＦＤＭシンボルにおいて伝送される同期信号における一次同期信号のシーケンスは同じである、
請求項５７に記載の方法。
【請求項６０】
セルまたはスーパーセルに対して、
同期信号を伝送するための第１の時間単位において、異なるＯＦＤＭシンボルにおいて伝送される同期信号の第３の同期信号ｅＳＳＳのシーケンスは、対応するＯＦＤＭシンボルの前記第１の時間単位内のインデックスを示すために用いられ、
同期信号を伝送するための異なる第１の時間単位において、同じＯＦＤＭシンボルインデックスに対応するＯＦＤＭシンボルにおける第３の同期信号のシーケンスは同じであり、
同期信号を伝送するための第１の時間単位において、異なるＯＦＤＭシンボルにおいて伝送される同期信号における一次同期信号のシーケンスは同じであり、異なるＯＦＤＭシンボルにおいて伝送される同期信号における二次同期信号のシーケンスは同じであり、
同期信号を伝送するための異なる第１の時間単位において、異なるＯＦＤＭシンボルにおいて伝送される同期信号における一次同期信号のシーケンスは同じであり、
同期信号を伝送するために用いられ、同じ半分のフレームにおける異なる第１の時間単位において、異なるＯＦＤＭシンボルにおいて伝送される同期信号における二次同期信号のシーケンスは同じである、
請求項５７に記載の方法。
【請求項６１】
セルまたはスーパーセルに対して、
同期信号を伝送するための第１の時間単位において、異なるＯＦＤＭシンボルにおいて伝送される同期信号の第３の同期信号ｅＳＳＳのシーケンスは、対応するＯＦＤＭシンボルの前記第１の時間単位内のインデックスを示すために用いられ、異なるＯＦＤＭシンボルにおいて伝送される同期信号における一次同期信号のシーケンスは、前記第１の時間単位の前記第２の時間単位内のインデックスを示すために用いられ、
同期信号を伝送するための異なる第１の時間単位において、同じＯＦＤＭシンボルインデックスに対応するＯＦＤＭシンボルにおける第３の同期信号のシーケンスは同じであり、
同期信号を伝送するための第１の時間単位において、異なるＯＦＤＭシンボルにおいて伝送される同期信号における二次同期信号のシーケンスは同じであり、
同期信号を伝送するために用いられ、同じ半分のフレームにおける異なる第１の時間単位において、異なるＯＦＤＭシンボルにおいて伝送される同期信号における二次同期信号のシーケンスは同じである、
請求項５７に記載の方法。
【請求項６２】
セルまたはスーパーセルに対して、
同期信号を伝送するための第１の時間単位において、異なるＯＦＤＭシンボルにおいて伝送される同期信号の第３の同期信号ｅＳＳＳのシーケンスは、対応するＯＦＤＭシンボルの前記第１の時間単位内のインデックスを示すために用いられ、異なるＯＦＤＭシンボルにおいて伝送される同期信号における二次同期信号のシーケンスは、前記第１の時間単位の前記第２の時間単位内のインデックスを示すために用いられ、
同期信号を伝送するための異なる第１の時間単位において、同じＯＦＤＭシンボルインデックスに対応するＯＦＤＭシンボルにおける第３の同期信号のシーケンスは同じであり、
同期信号を伝送するための第１の時間単位において、異なるＯＦＤＭシンボルにおいて伝送される同期信号における一次同期信号のシーケンスは同じであり、
同期信号を伝送するための異なる第１の時間単位において、異なるＯＦＤＭシンボルにおいて伝送される同期信号の一次同期信号のシーケンスは同じである、
請求項５７に記載の方法。
【請求項６３】
セルまたはスーパーセルに対して、
同期信号を伝送するための第１の時間単位において、異なるＯＦＤＭシンボルにおいて伝送される同期信号における一次同期信号のシーケンスは、対応するＯＦＤＭシンボルの前記第１の時間単位内のインデックスを示すために用いられ、異なるＯＦＤＭシンボルにおいて伝送される同期信号における二次同期信号のシーケンスは、前記第１の時間単位の前記第２の時間単位内のインデックスを示すために用いられ、
同期信号を伝送するための異なる第１の時間単位において、同じＯＦＤＭシンボルインデックスに対応するＯＦＤＭシンボルにおける一次同期信号のシーケンスは同じである、
請求項５７に記載の方法。
【請求項６４】
セルまたはスーパーセルに対して、
同期信号を伝送するための第１の時間単位において、異なるＯＦＤＭシンボルにおいて伝送される同期信号における二次同期信号のシーケンスは、対応するＯＦＤＭシンボルの前記第１の時間単位内のインデックスを示すために用いられ、異なるＯＦＤＭシンボルにおいて伝送される同期信号における一次同期信号のシーケンスは、前記第１の時間単位の前記第２の時間単位内のインデックスを示すために用いられ、
同期信号を伝送するために用いられ、同じ半分のフレームにおける異なる第１の時間単位において、同じＯＦＤＭシンボルインデックスに対応するＯＦＤＭシンボルにおける二次同期信号のシーケンスは同じである、
請求項５７に記載の方法。
【請求項６５】
セルまたはスーパーセルに対して、
前記同期信号における前記一次同期信号のシーケンスは、１つのセルＩＤグループにおけるセルＩＤ情報を識別するために用いられ、
前記同期信号における前記二次同期信号のシーケンスは、セルＩＤグループの情報を識別するために用いられる、
請求項５８から６４のいずれか一項に記載の方法。
【請求項６６】
セルまたはスーパーセルに対して、前記第１の信号が同期信号であり、前記第２の信号がブロードキャスト信号であるとき、
前記ブロードキャスト信号のシグナリングは、前記ブロードキャスト信号の第１の時間単位のインデックス情報を明示的に示し、および／または、
前記ブロードキャスト信号におけるスクランブリングコードは、前記第１の時間単位のインデックス情報を保持し、および／または、
前記ブロードキャスト信号における巡回冗長検査コードＣＲＣのマスクは、前記第１の時間単位のインデックス情報を保持する、
請求項５７から６４のいずれか一項に記載の方法。
【請求項６７】
セルまたはスーパーセルに対して、前記第１の信号が同期信号であり、前記第２の信号がブロードキャスト信号であるとき、
前記ブロードキャスト信号のシグナリングは、前記ブロードキャスト信号の第１の時間単位のインデックス情報を明示的に示し、
前記ブロードキャスト信号におけるスクランブリングコードは、前記ブロードキャスト信号に対応するＯＦＤＭシンボルのインデックス情報または前記ブロードキャスト信号に対応する同期信号のＯＦＤＭシンボルのインデックス情報を保持する、
請求項５７から６４のいずれか一項に記載の方法。
【請求項６８】
セルまたはスーパーセルに対して、前記第１の信号が同期信号であり、前記第２の信号がブロードキャスト信号であるとき、
前記ブロードキャスト信号のシグナリングは、前記ブロードキャスト信号の第１の時間単位のインデックス情報を明示的に示し、
前記ブロードキャスト信号におけるＣＲＣのマスクは、前記ブロードキャスト信号に対応するＯＦＤＭシンボルのインデックス情報または前記ブロードキャスト信号に対応する同期信号のＯＦＤＭシンボルのインデックス情報を保持する、
請求項５７から６４のいずれか一項に記載の方法。
【請求項６９】
セルまたはスーパーセルに対して、
前記第１の時間単位のインデックスの最大数が、１つの第２の時間単位における第１の時間単位の数より小さい、またはそれに等しい、
請求項５７から６４のいずれか一項に記載の方法。
【請求項７０】
セルまたはスーパーセルに対して、
前記第１のネットワーク装置により１つの第２の時間単位において前記第１の信号を送信するための第１の時間単位の位置は可変である、
請求項５１から６９のいずれか一項に記載の方法。
【請求項７１】
セルまたはスーパーセルに対して、
前記第１のネットワーク装置により１つの第２の時間単位において前記第２の信号を送信するための第１の時間単位の位置は可変である、
請求項５１から６９のいずれか一項に記載の方法。
【請求項７２】
セルまたはスーパーセルに対して、
前記第１のネットワーク装置により１つの第２の時間単位において前記第１の信号を送信するために占有されている第１の時間単位の数は可変である、
請求項５１から６９のいずれか一項に記載の方法。
【請求項７３】
セルまたはスーパーセルに対して、
前記第１のネットワーク装置により１つの第２の時間単位において前記第２の信号を送信するために占有されている第１の時間単位の数は可変である、
請求項５１から６９のいずれか一項に記載の方法。
【請求項７４】
セルまたはスーパーセルに対して、
前記第１の信号に対応する時間−周波数リソースは、前記第２の信号に対応する時間−周波数リソースと関連付けられる、
請求項５１から７３のいずれか一項に記載の方法。
【請求項７５】
セルまたはスーパーセルに対して、
前記第１の信号に対応する時間−周波数リソースおよび前記第２の信号に対応する時間−周波数リソースは、同じＯＦＤＭシンボルにおいて周波数分割多重化されるか、または、
前記第１の信号に対応する時間−周波数リソースおよび前記第２の信号に対応する時間−周波数リソースは、異なるＯＦＤＭシンボルにおいて時分割多重化される、
請求項５１から７４のいずれか一項に記載の方法。
【請求項７６】
信号を受信するための方法であって、前記方法は、
第２のネットワーク装置が、第１のネットワーク装置により送信されたＸ個の第１の信号のうち１つおよびＹ個の第２の信号のうち１つを検出する段階であって、Ｘは１以上の整数であり、Ｙは１以上の整数である、段階と、
前記第２のネットワーク装置が、前記第１の信号に基づいてＯＦＤＭシンボルのインデックス情報を取得し、前記第２の信号に基づいて第１の時間単位のインデックス情報を取得する段階であって、前記ＯＦＤＭシンボルのインデックス情報は、前記第１の信号が位置するＯＦＤＭシンボルの第１の時間単位内のインデックスを示し、前記第１の時間単位のインデックス情報は、前記第２の信号が位置する第１の時間単位の第２の時間単位内のインデックスを示し、１つの第２の時間単位は、少なくとも２つの第１の時間単位を含み、それぞれの前記第１の時間単位は、少なくとも２つのОＦＤＭシンボルを含む、段階とを備える、
方法。
【請求項７７】
前記Ｘ個の第１の信号および前記Ｙ個の第２の信号のうち、互いに関連付けられている１つの第１の信号および１つの第２の信号は、１つの伝送ビームに位置する、
請求項７６に記載の方法。
【請求項７８】
前記Ｘ個の第１の信号および前記Ｙ個の第２の信号のうち、互いに関連付けられる１つの第１の信号および１つの第２の信号は、１つの第１の時間単位に位置する、請求項７６に記載の方法。
【請求項７９】
セルまたはスーパーセルに対して、
前記第１の信号は同期信号であり、前記第２の信号はブロードキャスト信号であるか、または、
前記第１の信号はブロードキャスト信号であり、前記第２の信号は同期信号であるか、または、
前記第１の信号は同期信号であり、前記第２の信号は同期信号である、
請求項７６に記載の方法。
【請求項８０】
前記同期信号は、一次同期信号および二次同期信号を含むか、または、
前記同期信号は、一次同期信号、二次同期信号、および第３の同期信号ｅＳＳＳを含み、
各同期信号に含まれている前記一次同期信号および前記二次同期信号は、１つの第１の時間単位に位置する、
請求項７９に記載の方法。
【請求項８１】
前記第１の時間単位は、サブフレームまたはタイムスロットである、請求項７６から８０のいずれか一項に記載の方法。
【請求項８２】
セルまたはスーパーセルに対して、
前記第１の信号は同期信号であり、前記第１の信号が位置する前記ＯＦＤＭシンボルの前記第１の時間単位内の前記インデックスは、前記同期信号の異なるシーケンスにより示される、
請求項７９または８０に記載の方法。
【請求項８３】
セルまたはスーパーセルに対して、
同期信号を伝送するための第１の時間単位において、異なるＯＦＤＭシンボルにおいて伝送される同期信号における一次同期信号のシーケンスは、対応するＯＦＤＭシンボルの前記第１の時間単位内のインデックスを示すために用いられ、
同期信号を伝送するための異なる第１の時間単位において、同じＯＦＤＭシンボルインデックスに対応するＯＦＤＭシンボルにおける一次同期信号のシーケンスは同じであり、
同期信号を伝送するための第１の時間単位において、異なるＯＦＤＭシンボルにおいて伝送される同期信号における二次同期信号のシーケンスは同じであり、
同期信号を伝送するために用いられ、同じ半分のフレームにおける異なる第１の時間単位において、異なるＯＦＤＭシンボルにおいて伝送される同期信号における二次同期信号のシーケンスは同じである、
請求項８２に記載の方法。
【請求項８４】
セルまたはスーパーセルに対して、
同期信号を伝送するための第１の時間単位において、異なるＯＦＤＭシンボルにおいて伝送される同期信号における二次同期信号のシーケンスは、対応するＯＦＤＭシンボルの前記第１の時間単位内のインデックスを示すために用いられ、
同期信号を伝送するために用いられ、同じ半分のフレームにおける異なる第１の時間単位において、同じＯＦＤＭシンボルインデックスに対応するＯＦＤＭシンボルにおける二次同期信号のシーケンスは同じであり、
同期信号を伝送するための第１の時間単位において、異なるＯＦＤＭシンボルにおいて伝送される同期信号における一次同期信号のシーケンスは同じであり、
同期信号を伝送するための異なる第１の時間単位において、異なるＯＦＤＭシンボルにおいて伝送される同期信号における一次同期信号のシーケンスは同じである、
請求項８２に記載の方法。
【請求項８５】
セルまたはスーパーセルに対して、
同期信号を伝送するための第１の時間単位において、異なるＯＦＤＭシンボルにおいて伝送される同期信号の第３の同期信号ｅＳＳＳのシーケンスは、対応するＯＦＤＭシンボルの前記第１の時間単位内のインデックスを示すために用いられ、
同期信号を伝送するための異なる第１の時間単位において、同じＯＦＤＭシンボルインデックスに対応するＯＦＤＭシンボルにおける第３の同期信号のシーケンスは同じであり、
同期信号を伝送するための第１の時間単位において、異なるＯＦＤＭシンボルにおいて伝送される同期信号における一次同期信号のシーケンスは同じであり、異なるＯＦＤＭシンボルにおいて伝送される同期信号における二次同期信号のシーケンスは同じであり、
同期信号を伝送するための異なる第１の時間単位において、異なるＯＦＤＭシンボルにおいて伝送される同期信号における一次同期信号のシーケンスは同じであり、
同期信号を伝送するために用いられ、同じ半分のフレームにおける異なる第１の時間単位において、異なるＯＦＤＭシンボルにおいて伝送される同期信号における二次同期信号のシーケンスは同じである、
請求項８２に記載の方法。
【請求項８６】
セルまたはスーパーセルに対して、
同期信号を伝送するための第１の時間単位において、異なるＯＦＤＭシンボルにおいて伝送される同期信号の第３の同期信号ｅＳＳＳのシーケンスは、対応するＯＦＤＭシンボルの前記第１の時間単位内のインデックスを示すために用いられ、
異なるＯＦＤＭシンボルにおいて伝送される同期信号における一次同期信号のシーケンスは、前記第１の時間単位の前記第２の時間単位内のインデックスを示すために用いられ、
同期信号を伝送するための異なる第１の時間単位において、同じＯＦＤＭシンボルインデックスに対応するＯＦＤＭシンボルにおける第３の同期信号のシーケンスは同じであり、
同期信号を伝送するための第１の時間単位において、異なるＯＦＤＭシンボルにおいて伝送される同期信号における二次同期信号のシーケンスは同じであり、
同期信号を伝送するために用いられ、同じ半分のフレームにおける異なる第１の時間単位において、異なるＯＦＤＭシンボルにおいて伝送される同期信号における二次同期信号のシーケンスは同じである、
請求項８２に記載の方法。
【請求項８７】
セルまたはスーパーセルに対して、
同期信号を伝送するための第１の時間単位において、異なるＯＦＤＭシンボルにおいて伝送される同期信号の第３の同期信号ｅＳＳＳのシーケンスは、対応するＯＦＤＭシンボルの前記第１の時間単位内のインデックスを示すために用いられ、異なるＯＦＤＭシンボルにおいて伝送される同期信号における二次同期信号のシーケンスは、前記第１の時間単位の前記第２の時間単位内のインデックスを示すために用いられ、
同期信号を伝送するための異なる第１の時間単位において、同じＯＦＤＭシンボルインデックスに対応するＯＦＤＭシンボルにおける第３の同期信号のシーケンスは同じであり、同期信号を伝送するための第１の時間単位において、異なるＯＦＤＭシンボルにおいて伝送される同期信号における一次同期信号のシーケンスは同じであり、
同期信号を伝送するための異なる第１の時間単位において、異なるＯＦＤＭシンボルにおいて伝送される同期信号における一次同期信号のシーケンスは同じである、
請求項８２に記載の方法。
【請求項８８】
セルまたはスーパーセルに対して、
同期信号を伝送するための第１の時間単位において、異なるＯＦＤＭシンボルにおいて伝送される同期信号における一次同期信号のシーケンスは、対応するＯＦＤＭシンボルの前記第１の時間単位内のインデックスを示すために用いられ、異なるＯＦＤＭシンボルにおいて伝送される同期信号における二次同期信号のシーケンスは、前記第１の時間単位の前記第２の時間単位内のインデックスを示すために用いられ、
同期信号を伝送するための異なる第１の時間単位において、同じＯＦＤＭシンボルインデックスに対応するＯＦＤＭシンボルにおける一次同期信号のシーケンスは同じである、
請求項８２に記載の方法。
【請求項８９】
セルまたはスーパーセルに対して、
同期信号を伝送するための第１の時間単位において、異なるＯＦＤＭシンボルにおいて伝送される同期信号における二次同期信号のシーケンスは、対応するＯＦＤＭシンボルの前記第１の時間単位内のインデックスを示すために用いられ、異なるＯＦＤＭシンボルにおいて伝送される同期信号における一次同期信号のシーケンスは、前記第１の時間単位の前記第２の時間単位内のインデックスを示すために用いられ、
同期信号を伝送するために用いられ、同じ半分のフレームにおける異なる第１の時間単位において、同じＯＦＤＭシンボルインデックスに対応するＯＦＤＭシンボルにおける二次同期信号のシーケンスは同じである、
請求項８２に記載の方法。
【請求項９０】
セルまたはスーパーセルに対して、
前記同期信号における前記一次同期信号のシーケンスは、１つのセルＩＤグループにおけるセルＩＤ情報を識別するために用いられ、
前記同期信号における前記二次同期信号のシーケンスは、セルＩＤグループの情報を識別するために用いられる、
請求項８３から８９のいずれか一項に記載の方法。
【請求項９１】
セルまたはスーパーセルに対して、前記第１の信号が同期信号であり、前記第２の信号がブロードキャスト信号であるとき、
前記ブロードキャスト信号のシグナリングは、前記ブロードキャスト信号の第１の時間単位のインデックス情報を明示的に示し、および／または、
前記ブロードキャスト信号のスクランブリングコードは、前記第１の時間単位のインデックス情報を保持し、および／または、
前記ブロードキャスト信号における巡回冗長検査コードＣＲＣのマスクは、前記第１の時間単位のインデックス情報を保持する、
請求項８２から８９のいずれか一項に記載の方法。
【請求項９２】
セルまたはスーパーセルに対して、前記第１の信号が同期信号であり、前記第２の信号がブロードキャスト信号であるとき、
前記ブロードキャスト信号のシグナリングは、前記ブロードキャスト信号の第１の時間単位のインデックス情報を明示的に示し、
前記ブロードキャスト信号におけるスクランブリングコードは、前記ブロードキャスト信号に対応するＯＦＤＭシンボルのインデックス情報または前記ブロードキャスト信号に対応する同期信号のＯＦＤＭシンボルのインデックス情報を保持する、
請求項８２から８９のいずれか一項に記載の方法。
【請求項９３】
セルまたはスーパーセルに対して、前記第１の信号が同期信号であり、前記第２の信号がブロードキャスト信号であるとき、
前記ブロードキャスト信号のシグナリングは、前記ブロードキャスト信号の第１の時間単位のインデックス情報を明示的に示し、
前記ブロードキャスト信号におけるＣＲＣのマスクは、前記ブロードキャスト信号に対応するＯＦＤＭシンボルのインデックス情報または前記ブロードキャスト信号に対応する同期信号のＯＦＤＭシンボルのインデックス情報を保持する、
請求項８２から８９のいずれか一項に記載の方法。
【請求項９４】
セルまたはスーパーセルに対して、
前記第１の時間単位のインデックスの最大数は、１つの第２の時間単位における第１の時間単位の数より小さい、またはそれに等しい、
請求項８２から８９のいずれか一項に記載の方法。
【請求項９５】
セルまたはスーパーセルに対して、
前記第１のネットワーク装置により１つの第２の時間単位において前記第１の信号を送信するための第１の時間単位の位置は可変である、
請求項７６から９４のいずれか一項に記載の方法。
【請求項９６】
セルまたはスーパーセルに対して、
前記第１のネットワーク装置により１つの第２の時間単位において前記第２の信号を送信するための第１の時間単位の位置は可変である、
請求項７６から９４のいずれか一項に記載の方法。
【請求項９７】
セルまたはスーパーセルに対して、
前記第１のネットワーク装置により１つの第２の時間単位において前記第１の信号を送信するために占有されている第１の時間単位の数は可変である、
請求項７６から９４のいずれか一項に記載の方法。
【請求項９８】
セルまたはスーパーセルに対して、
前記第１のネットワーク装置により１つの第２の時間単位において前記第２の信号を送信するために占有されている第１の時間単位の数は可変である、
請求項７６から９４のいずれか一項に記載の方法。
【請求項９９】
セルまたはスーパーセルに対して、
前記第１の信号に対応する時間−周波数リソースは、前記第２の信号に対応する時間−周波数リソースと関連付けられている、
請求項７６から９８のいずれか一項に記載の方法。
【請求項１００】
セルまたはスーパーセルに対して、
前記第１の信号に対応する時間−周波数リソースおよび前記第２の信号に対応する時間−周波数リソースは、同じＯＦＤＭシンボルにおいて周波数分割多重化されるか、または、
前記第１の信号に対応する時間−周波数リソースおよび前記第２の信号に対応する時間−周波数リソースは、異なるＯＦＤＭシンボルにおいて時分割多重化される、
請求項７６から９９のいずれか一項に記載の方法。
【請求項１０１】
ネットワーク装置であって、前記ネットワーク装置は、プロセッサおよびメモリを備え、前記メモリは、少なくとも１つの命令、少なくとも１つのプログラム、コードセット、または命令セットを記憶し、前記少なくとも１つの命令、前記少なくとも１つのプログラム、前記コードセットまたは前記命令セットは、前記プロセッサによりロードされて実行され、請求項５１から７５のいずれか一項に記載の信号送信方法を実行する、
ネットワーク装置。
【請求項１０２】
ネットワーク装置であって、前記ネットワーク装置は、プロセッサおよびメモリを備え、前記メモリは、少なくとも１つの命令、少なくとも１つのプログラム、コードセット、または命令セットを記憶し、前記少なくとも１つ命令、前記少なくとも１つのプログラム、前記コードセット、または前記命令セットは、前記プロセッサによりロードされて実行され、請求項７６から１００のいずれか一項に記載の信号受信方法を実行する、
ネットワーク装置。
【請求項１０３】
コンピュータ可読記憶媒体であって、前記記憶媒体は、少なくとも１つの命令、少なくとも１つのプログラム、コードセット、または命令セットを記憶し、前記少なくとも１つの命令、前記少なくとも１つのプログラム、前記コードセット、または前記命令セットは、プロセッサによりロードされて実行され、請求項５１から７５のいずれか一項に記載の信号送信方法を実行する、
コンピュータ可読記憶媒体。
【請求項１０４】
コンピュータ可読記憶媒体であって、前記記憶媒体は、少なくとも１つの命令、少なくとも１つのプログラム、コードセット、または命令セットを記憶し、前記少なくとも１つの命令、前記少なくとも１つのプログラム、前記コードセットまたは前記命令セットは、プロセッサによりロードされて実行され、請求項７６から１００のいずれか一項に記載の信号受信方法を実行する、
コンピュータ可読記憶媒体。
【発明の詳細な説明】
【技術分野】
【０００１】
本出願は、２０１６年８月１２日に中国特許庁に出願された、「信号送信装置、信号受信装置、および方法」と題する中国特許出願第２０１６１０６６９７９３．５号と、２０１６年１０月１３日に中国特許庁に出願された、「信号送信装置、信号受信装置、および方法」と題する中国特許出願第２０１６１０８９４８００．１号とに基づく優先権を主張し、これらの出願の全体が参照により本明細書に組み込まれる。本出願は、通信分野に関し、特に信号送信装置、信号受信装置、および方法に関する。
【背景技術】
【０００２】
ロングタームエボリューション（Ｌｏｎｇ  Ｔｅｒｍ  Ｅｖｏｌｕｔｉｏｎ，ＬＴＥ）技術において、セルサーチを行うとき、ユーザ機器（Ｕｓｅｒ  Ｅｑｕｉｐｍｅｎｔ，ＵＥ）は、セルに対応する発展型Ｎｏｄｅ  Ｂ（ｅｖｏｌｕｔｉｏｎａｌ  Ｎｏｄｅ  Ｂ，ｅＮＢ）とフレーム同期を実行する必要がある。
【０００３】
時分割複信（Ｔｉｍｅ  Ｄｉｖｉｓｉｏｎ  Ｄｕｐｌｅｘｉｎｇ，ＴＤＤ）または周波数分割複信（Ｆｒｅｑｕｅｎｃｙ  Ｄｉｖｉｓｉｏｎ  Ｄｕｐｌｅｘｉｎｇ，ＦＤＤ）を用いるＬＴＥにおいて、ＵＥはまず、予め記憶された一次同期シーケンスを、ｅＮＢにより送信された無線フレーム（ｒａｄｉｏ  ｆｒａｍｅ）と関連付け、最大相関ピークに基づき、一次同期チャネル（Ｐｒｉｍａｒｙ  Ｓｙｎｃｈｒｏｎｉｚａｔｉｏｎ  Ｃｈａｎｎｅｌ，ＰＳＣＨ）の無線フレーム内の位置を決定する。ＰＳＣＨの位置を決定した後に、ＵＥはさらに、ＰＳＣＨと二次同期チャネル（Ｓｅｃｏｎｄａｒｙ  Ｓｙｎｃｈｒｏｎｉｚａｔｉｏｎ  Ｃｈａｎｎｅｌ，ＳＳＣＨ）との間の位置関係に基づき、ＳＳＣＨの無線フレーム内の位置を決定し、ＳＳＣＨの位置に基づいて無線フレームのフレーム境界を決定してフレーム同期を完了させる。
【０００４】
１つのビームのみがＬＴＥにおいて無線フレームを伝送するために用いられるので、ＵＥは、１組の同期信号を用いることによってフレーム同期を完了させることができる。第５世代移動通信技術（５ｔｈ−Ｇｅｎｅｒａｔｉｏｎ，５Ｇ）において、各無線フレームは、異なる時点において異なるビームを用いることによって伝送される。同期信号の無線フレーム内の位置は、異なるビームにおいて異なる。その結果、無線フレームのフレーム同期は、前述のフレーム同期メカニズムを用いることによって実行されることができない。
【発明の概要】
【０００５】
同期信号の無線フレーム内の位置が異なるビームにおいて異なるがゆえに、無線フレームのフレーム同期は既存の同期メカニズムを用いることによって実行されることができないという課題を解決するために、本願の実施形態は、信号送信装置、信号受信装置、および方法を提供する。技術的解決手段は、以下の通りである。
【０００６】
第１の態様によれば、信号送信方法が提供され、方法は、第１のネットワーク装置が、Ｘ個の第１の信号およびＹ個の第２の信号を送信する段階であって、それぞれの第２の信号は少なくとも１つの第１の信号と関連付けられ、Ｘは１以上の整数であり、Ｙは１以上の整数である、段階を備え、第１の信号は、直交周波数分割多重ＯＦＤＭシンボルのインデックス情報を保持し、ＯＦＤＭシンボルのインデックス情報は、第１の信号が位置するＯＦＤＭシンボルの第１の時間単位内のインデックスを示し、第２の信号は、第１の時間単位のインデックス情報を保持し、第１の時間単位のインデックス情報は、第２の信号が位置する第１の時間単位の第２の時間単位内のインデックスを示し、１つの第２の時間単位は、少なくとも２つの第１の時間単位を含み、それぞれの第１の時間単位は、少なくとも２つのОＦＤＭシンボルを含む。
【０００７】
第１の態様において示されている解決手段において、信号を送信するとき、第１のネットワーク装置は、Ｘ個の第１の信号およびＹ個の第２の信号を送信し、それぞれの第２の信号は、少なくとも１つの第１の信号と関連付けられ、第１の信号に保持されているＯＦＤＭシンボルのインデックス情報は、第１の信号が位置するＯＦＤＭシンボルの第１の時間単位内のインデックスを示し、第２の信号に保持されている第１の時間単位のインデックス情報は、第２の信号が位置する第１の時間単位の第２の時間単位内のインデックスを示し、すなわち、第１の信号が位置するＯＦＤＭシンボルの第２の時間単位内の位置を、１つの第２の信号と１つの関連付けられた第１の信号との組み合わせを用いることによって特定することができる。
【０００８】
１つの第２の時間単位は、少なくとも２つの第１の時間単位を含み、それぞれの第１の時間単位は、少なくとも２つのОＦＤＭシンボルを含み、第２のネットワーク装置は、第１のネットワーク装置により送信されたＸ個の第１の信号のうち１つおよびＹ個の第２の信号のうち１つを検出し、第１の信号に基づいてＯＦＤＭシンボルのインデックス情報を取得して、第２の信号に基づいて第１の時間単位のインデックス情報を取得し、第２の時間単位における第１の信号の位置を決定し、それによって、フレームタイミングを実行する。
【０００９】
任意選択的に、Ｘ個の第１の信号およびＹ個の第２の信号のうち、互いに関連付けられている１つの第１の信号および１つの第２の信号は、１つの伝送ビームに位置する。
【００１０】
任意選択的に、Ｘ個の第１の信号およびＹ個の第２の信号のうち、互いに関連付けられている１つの第１の信号および１つの第２の信号は、１つの第１の時間単位に位置する。
【００１１】
任意選択的に、セルまたはスーパーセルに対して、第１の信号は同期信号であり、第２の信号はブロードキャスト信号であるか、または、第１の信号はブロードキャスト信号であり、第２の信号は同期信号であるか、または、第１の信号は同期信号であり、第２の信号は同期信号である。
【００１２】
任意選択的に、同期信号は、一次同期信号および二次同期信号を含むか、または、同期信号は、一次同期信号、二次同期信号、および第３の同期信号ｅＳＳＳを含み、各同期信号に含まれている一次同期信号および二次同期信号は、１つの第１の時間単位に位置する。
【００１３】
任意選択的に、第１の時間単位は、サブフレームまたはタイムスロットである。
【００１４】
任意選択的に、セルまたはスーパーセルに対して、第１の信号は同期信号であり、第１の信号が位置するＯＦＤＭシンボルの第１の時間単位内のインデックスは、同期信号の異なるシーケンスにより示される。
【００１５】
任意選択的に、セルまたはスーパーセルに対して、同期信号を伝送するための第１の時間単位において、異なるＯＦＤＭシンボルにおいて伝送される同期信号における一次同期信号のシーケンスは、対応するＯＦＤＭシンボルの第１の時間単位内のインデックスを示すために用いられ、同期信号を伝送するための異なる第１の時間単位において、同じＯＦＤＭシンボルインデックスに対応するＯＦＤＭシンボルにおける一次同期信号のシーケンスは同じであり、同期信号を伝送するための第１の時間単位において、異なるＯＦＤＭシンボルにおいて伝送される同期信号における二次同期信号のシーケンスは同じであり、同期信号を伝送するために用いられ、同じ半分のフレームにおける異なる第１の時間単位において、異なるＯＦＤＭシンボルにおいて伝送される同期信号における二次同期信号のシーケンスは同じである。
【００１６】
任意選択的に、セルまたはスーパーセルに対して、同期信号を伝送するための第１の時間単位において、異なるＯＦＤＭシンボルにおいて伝送される同期信号における二次同期信号のシーケンスは、対応するＯＦＤＭシンボルの第１の時間単位内のインデックスを示すために用いられ、同期信号を伝送するために用いられ、同じの半分のフレームにおける異なる第１の時間単位において、同じＯＦＤＭシンボルインデックスに対応するＯＦＤＭシンボルにおける二次同期信号のシーケンスは同じであり、同期信号を伝送するための第１の時間単位において、異なるＯＦＤＭシンボルにおいて伝送される同期信号における一次同期信号のシーケンスは同じであり、同期信号を伝送するための異なる第１の時間単位において、異なるＯＦＤＭシンボルにおいて伝送される同期信号における一次同期信号のシーケンスは同じである。
【００１７】
任意選択的に、セル同じセルまたはスーパーセルに対して、同期信号を伝送するための第１の時間単位において、異なるＯＦＤＭシンボルにおいて伝送される同期信号の第３の同期信号ｅＳＳＳのシーケンスは、対応するＯＦＤＭシンボルの第１の時間単位内のインデックスを示すために用いられ、同期信号を伝送するための異なる第１の時間単位において、同じＯＦＤＭシンボルインデックスに対応するＯＦＤＭシンボルにおける第３の同期信号のシーケンスは同じであり、同期信号を伝送するための第１の時間単位において、異なるＯＦＤＭシンボルにおいて伝送される同期信号における一次同期信号のシーケンスは同じであり、異なるＯＦＤＭシンボルにおいて伝送される同期信号における二次同期信号のシーケンスは同じであり、同期信号を伝送するための異なる第１の時間単位において、異なるＯＦＤＭシンボルにおいて伝送される同期信号における一次同期信号のシーケンスは同じであり、同期信号を伝送するために用いられ、同じ半分のフレームにおける異なる第１の時間単位において、異なるＯＦＤＭシンボルにおいて伝送される同期信号における二次同期信号のシーケンスは同じである。
【００１８】
任意選択的に、セルまたはスーパーセルに対して、同期信号を伝送するための第１の時間単位において、異なるＯＦＤＭシンボルにおいて伝送される同期信号の第３の同期信号ｅＳＳＳのシーケンスは、対応するＯＦＤＭシンボルの第１の時間単位内のインデックスを示すために用いられ、異なるＯＦＤＭシンボルにおいて伝送される同期信号における一次同期信号のシーケンスは、第１の時間単位の第２の時間単位内のインデックスを示すために用いられ、同期信号を伝送するための異なる第１の時間単位において、同じＯＦＤＭシンボルインデックスに対応するＯＦＤＭシンボルにおける第３の同期信号のシーケンスは同じであり、同期信号を伝送するための第１の時間単位において、異なるＯＦＤＭシンボルにおいて伝送される同期信号における二次同期信号のシーケンスは同じであり、同期信号を伝送するために用いられ、同じ半分のフレームにおける異なる第１の時間単位において、異なるＯＦＤＭシンボルにおいて伝送される同期信号における二次同期信号のシーケンスは同じである。
【００１９】
任意選択的に、セルまたはスーパーセルに対して、同期信号を伝送するための第１の時間単位において、異なるＯＦＤＭシンボルにおいて伝送される同期信号の第３の同期信号ｅＳＳＳのシーケンスは、対応するＯＦＤＭシンボルの第１の時間単位内のインデックスを示すために用いられ、異なるＯＦＤＭシンボルにおいて伝送される同期信号における二次同期信号のシーケンスは、第１の時間単位の第２の時間単位内のインデックスを示すために用いられ、同期信号を伝送するための異なる第１の時間単位において、同じＯＦＤＭシンボルインデックスに対応するＯＦＤＭシンボルにおける第３の同期信号のシーケンスは同じであり、同期信号を伝送するための第１の時間単位において、異なるＯＦＤＭシンボルにおいて伝送される同期信号における一次同期信号のシーケンスは同じであり、同期信号を伝送するための異なる第１の時間単位において、異なるＯＦＤＭシンボルにおいて伝送される同期信号における一次同期信号のシーケンスは同じである。
【００２０】
任意選択的に、セルまたはスーパーセルに対して、同期信号を伝送するための第１の時間単位において、異なるＯＦＤＭシンボルにおいて伝送される同期信号の一次同期信号のシーケンスは、対応するＯＦＤＭシンボルの第１の時間単位内のインデックスを示すために用いられ、異なるＯＦＤＭシンボルにおいて伝送される同期信号における二次同期信号のシーケンスは、第１の時間単位の第２の時間単位内のインデックスを示すために用いられ、同期信号を伝送するための異なる第１の時間単位において、同じＯＦＤＭシンボルインデックスに対応するＯＦＤＭシンボルにおける一次同期信号のシーケンスは同じである。
【００２１】
任意選択的に、セルまたはスーパーセルに対して、同期信号を伝送するための第１の時間単位において、異なるＯＦＤＭシンボルにおいて伝送される同期信号における二次同期信号のシーケンスは、対応するＯＦＤＭシンボルの第１の時間単位内のインデックスを示すために用いられ、異なるＯＦＤＭシンボルにおいて伝送される同期信号における一次同期信号のシーケンスは、第１の時間単位の第２の時間単位内のインデックスを示すために用いられ、同期信号を伝送するために用いられ、同じ半分のフレームにおける異なる第１の時間単位において、同じＯＦＤＭシンボルインデックスに対応するＯＦＤＭシンボルにおける二次同期信号のシーケンスは同じである。
【００２２】
任意選択的に、セルまたはスーパーセルに対して、同期信号における一次同期信号のシーケンスは、１つのセルＩＤグループにおけるセルＩＤ情報を識別するために用いられ、同期信号における二次同期信号のシーケンスは、セルＩＤグループの情報を識別するために用いられる。
【００２３】
任意選択的に、セルまたはスーパーセルに対して、第１の信号が同期信号であり、第２の信号がブロードキャスト信号であるとき、ブロードキャスト信号のシグナリングは、ブロードキャスト信号の第１の時間単位のインデックス情報を明示的に示し、および／または、ブロードキャスト信号におけるスクランブリングコードは、第１の時間単位のインデックス情報を保持し、および／または、ブロードキャスト信号における巡回冗長検査コードＣＲＣのマスクは、第１の時間単位のインデックス情報を保持する。
【００２４】
任意選択的に、セルまたはスーパーセルに対して、第１の信号が同期信号であり、第２の信号がブロードキャスト信号であるとき、ブロードキャスト信号のシグナリングはブロードキャスト信号の第１の時間単位のインデックス情報を明示的に示し、ブロードキャスト信号におけるスクランブリングコードは、ブロードキャスト信号に対応するＯＦＤＭシンボルのインデックス情報またはブロードキャスト信号に対応する同期信号のＯＦＤＭシンボルのインデックス情報を保持する。
【００２５】
任意選択的に、セルまたはスーパーセルに対して、第１の信号が同期信号であり、第２の信号がブロードキャスト信号であるとき、ブロードキャスト信号のシグナリングは、ブロードキャスト信号の第１の時間単位のインデックス情報を明示的に示し、ブロードキャスト信号におけるＣＲＣのマスクは、ブロードキャスト信号に対応するＯＦＤＭシンボルのインデックス情報またはブロードキャスト信号に対応する同期信号のＯＦＤＭシンボルのインデックス情報を保持する。
【００２６】
任意選択的に、セルまたはスーパーセルに対して、第１の時間単位のインデックスの最大数は、１つの第２の時間単位における第１の時間単位の数より小さい、またはそれに等しい。
【００２７】
任意選択的に、セルまたはスーパーセルに対して、第１のネットワーク装置により１つの第２の時間単位において第１の信号を送信するための第１の時間単位の位置は可変である。
【００２８】
任意選択的に、セルまたはスーパーセルに対して、第１のネットワーク装置により１つの第２の時間単位において第２の信号を送信するための第１の時間単位の位置は可変である。
【００２９】
任意選択的に、セルまたはスーパーセルに対して、第１のネットワーク装置により１つの第２の時間単位において第１の信号を送信するために占有されている第１の時間単位の数は可変である。
【００３０】
任意選択的に、セルまたはスーパーセルに対して、第１のネットワーク装置により１つの第２の時間単位において第２の信号を送信するために占有されている第１の時間単位の数は可変である。
【００３１】
任意選択的に、セルまたはスーパーセルに対して、第１の信号に対応する時間−周波数リソースは、第２の信号に対応する時間−周波数リソースと関連付けられる。
【００３２】
任意選択的に、セルまたはスーパーセルに対して、第１の信号に対応する時間−周波数リソースおよび第２の信号に対応する時間−周波数リソースは、同じＯＦＤＭシンボルにおいて周波数分割多重化されるか、または、第１の信号に対応する時間−周波数リソースおよび第２の信号に対応する時間−周波数リソースは、異なるＯＦＤＭシンボルにおいて時分割多重化される。
【００３３】
第２の態様によれば、信号受信方法が提供され、方法は、第２のネットワーク装置が、第１のネットワーク装置により送信されたＸ個の第１の信号のうち１つおよびＹ個の第２の信号のうち１つを検出する段階であって、Ｘは１以上の整数であり、Ｙは１以上の整数である、段階と、第２のネットワーク装置が、第１の信号に基づいてＯＦＤＭシンボルのインデックス情報を取得し、第２の信号に基づいて第１の時間単位のインデックス情報を取得する段階であって、ＯＦＤＭシンボルのインデックス情報は、第１の信号が位置するＯＦＤＭシンボルの第１の時間単位内のインデックスを示し、第１の時間単位のインデックス情報は、第２の信号が位置する第１の時間単位の第２の時間単位内のインデックスを示し、１つの第２の時間単位は、少なくとも２つの第１の時間単位を含み、それぞれの第１の時間単位は、少なくとも２つのОＦＤＭシンボルを含む、段階とを備える。
【００３４】
任意選択的に、Ｘ個の第１の信号およびＹ個の第２の信号のうち、互いに関連付けられている１つの第１の信号および１つの第２の信号は、１つの伝送ビームに位置する。
【００３５】
任意選択的に、Ｘ個の第１の信号およびＹ個の第２の信号のうち、互いに関連付けられている１つの第１の信号および１つの第２の信号は、１つの第１の時間単位に位置する。
【００３６】
任意選択的に、セルまたはスーパーセルに対して、第１の信号は同期信号であり、第２の信号はブロードキャスト信号であるか、または、第１の信号はブロードキャスト信号であり、第２の信号は同期信号であるか、または、第１の信号は同期信号であり、第２の信号は同期信号である。
【００３７】
任意選択的に、同期信号は、一次同期信号および二次同期信号を含むか、または、同期信号は、一次同期信号、二次同期信号、および第３の同期信号ｅＳＳＳを含み、各同期信号に含まれている一次同期信号および二次同期信号は、１つの第１の時間単位に位置する。
【００３８】
任意選択的に、第１の時間単位は、サブフレームまたはタイムスロットである。
【００３９】
任意選択的に、セルまたはスーパーセルに対して、第１の信号は同期信号であり、第１の信号が位置するＯＦＤＭシンボルの第１の時間単位内のインデックスは、同期信号の異なるシーケンスにより示される。
【００４０】
任意選択的に、セルまたはスーパーセルに対して、同期信号を伝送するための第１の時間単位において、異なるＯＦＤＭシンボルにおいて伝送される同期信号における一次同期信号のシーケンスは、対応するＯＦＤＭシンボルの第１の時間単位内のインデックスを示すために用いられ、同期信号を伝送するための異なる第１の時間単位において、同じＯＦＤＭシンボルインデックスに対応するＯＦＤＭシンボルにおける一次同期信号のシーケンスは同じであり、同期信号を伝送するための第１の時間単位において、異なるＯＦＤＭシンボルにおいて伝送される同期信号における二次同期信号のシーケンスは同じであり、同期信号を伝送するために用いられ、同じ半分のフレームにおける異なる第１の時間単位において、異なるＯＦＤＭシンボルにおいて伝送される同期信号における二次同期信号のシーケンスは同じである。
【００４１】
任意選択的に、セルまたはスーパーセルに対して、同期信号を伝送するための第１の時間単位において、異なるＯＦＤＭシンボルにおいて伝送される同期信号における二次同期信号のシーケンスは、対応するＯＦＤＭシンボルの第１の時間単位内のインデックスを示すために用いられ、同期信号を伝送するために用いられ、同じ半分のフレームにおける異なる第１の時間単位において、同じＯＦＤＭシンボルインデックスに対応するＯＦＤＭシンボルにおける二次同期信号のシーケンスは同じであり、同期信号を伝送するための第１の時間単位において、異なるＯＦＤＭシンボルにおいて伝送される同期信号における一次同期信号のシーケンスは同じであり、同期信号を伝送するための異なる第１の時間単位において、異なるＯＦＤＭシンボルにおいて伝送される同期信号における一次同期信号のシーケンスは同じである。
【００４２】
任意選択的に、セルまたはスーパーセルに対して、同期信号を伝送するための第１の時間単位において、異なるＯＦＤＭシンボルにおいて伝送される同期信号の第３の同期信号ｅＳＳＳのシーケンスは、対応するＯＦＤＭシンボルの第１の時間単位内のインデックスを示すために用いられ、同期信号を伝送するための異なる第１の時間単位において、同じＯＦＤＭシンボルインデックスに対応するＯＦＤＭシンボルにおける第３の同期信号のシーケンスは同じであり、同期信号を伝送するための第１の時間単位において、異なるＯＦＤＭシンボルにおいて伝送される同期信号における一次同期信号のシーケンスは同じであり、異なるＯＦＤＭシンボルにおいて伝送される同期信号における二次同期信号のシーケンスは同じであり、同期信号を伝送するための異なる第１の時間単位において、異なるＯＦＤＭシンボルにおいて伝送される同期信号における一次同期信号のシーケンスは同じであり、同期信号を伝送するために用いられ、同じ半分のフレームにおける異なる第１の時間単位において、異なるＯＦＤＭシンボルにおいて伝送される同期信号における二次同期信号のシーケンスは同じである。
【００４３】
任意選択的に、セルまたはスーパーセルに対して、同期信号を伝送するための第１の時間単位において、異なるＯＦＤＭシンボルにおいて伝送される同期信号の第３の同期信号ｅＳＳＳのシーケンスは、対応するＯＦＤＭシンボルの第１の時間単位内のインデックスを示すために用いられ、異なるＯＦＤＭシンボルにおいて伝送される同期信号における一次同期信号のシーケンスは、第１の時間単位の第２の時間単位内のインデックスを示すために用いられ、同期信号を伝送するための異なる第１の時間単位において、同じＯＦＤＭシンボルインデックスに対応するＯＦＤＭシンボルにおける第３の同期信号のシーケンスは同じであり、同期信号を伝送するための第１の時間単位において、異なるＯＦＤＭシンボルにおいて伝送される同期信号における二次同期信号のシーケンスは同じであり、同期信号を伝送するために用いられ、同じ半分のフレームにおける異なる第１の時間単位において、異なるＯＦＤＭシンボルにおいて伝送される同期信号における二次同期信号のシーケンスは同じである。
【００４４】
任意選択的に、セルまたはスーパーセルに対して、同期信号を伝送するための第１の時間単位において、異なるＯＦＤＭシンボルにおいて伝送される同期信号の第３の同期信号ｅＳＳＳのシーケンスは、対応するＯＦＤＭシンボルの第１の時間単位内のインデックスを示すために用いられ、異なるＯＦＤＭシンボルにおいて伝送される同期信号における二次同期信号のシーケンスは、第１の時間単位の第２の時間単位内のインデックスを示すために用いられ、同期信号を伝送するための異なる第１の時間単位において、同じＯＦＤＭシンボルインデックスに対応するＯＦＤＭシンボルにおける第３の同期信号のシーケンスは同じであり、同期信号を伝送するための第１の時間単位において、異なるＯＦＤＭシンボルにおいて伝送される同期信号における一次同期信号のシーケンスは同じであり、同期信号を伝送するための異なる第１の時間単位において、異なるＯＦＤＭシンボルにおいて伝送される同期信号における一次同期信号のシーケンスは同じである。
【００４５】
任意選択的に、セルまたはスーパーセルに対して、同期信号を伝送するための第１の時間単位において、異なるＯＦＤＭシンボルにおいて伝送される同期信号における一次同期信号のシーケンスは、対応するＯＦＤＭシンボルの第１の時間単位内のインデックスを示すために用いられ、異なるＯＦＤＭシンボルにおいて伝送される同期信号における二次同期信号のシーケンスは、第１の時間単位の第２の時間単位内のインデックスを示すために用いられ、同期信号を伝送するための異なる第１の時間単位において、同じＯＦＤＭシンボルインデックスに対応するＯＦＤＭシンボルにおける一次同期信号のシーケンスは同じである。
【００４６】
任意選択的に、セルまたはスーパーセルに対して、同期信号を伝送するための第１の時間単位において、異なるＯＦＤＭシンボルにおいて伝送される同期信号における二次同期信号のシーケンスは、対応するＯＦＤＭシンボルの第１の時間単位内のインデックスを示すために用いられ、異なるＯＦＤＭシンボルにおいて伝送される同期信号における一次同期信号のシーケンスは、第１の時間単位の第２の時間単位内のインデックスを示すために用いられ、同期信号を伝送するために用いられ、同じ半分のフレームにおける異なる第１の時間単位において、同じＯＦＤＭシンボルインデックスに対応するＯＦＤＭシンボルにおける二次同期信号のシーケンスは同じである。
【００４７】
任意選択的に、セルまたはスーパーセルに対して、同期信号における一次同期信号のシーケンスは、１つのセルＩＤグループにおけるセルＩＤ情報を識別するために用いられ、同期信号における二次同期信号のシーケンスは、セルＩＤグループの情報を識別するために用いられる。
【００４８】
任意選択的に、セルまたはスーパーセルに対して、第１の信号が同期信号であり、第２の信号がブロードキャスト信号であるとき、ブロードキャスト信号のシグナリングは、ブロードキャスト信号の第１の時間単位のインデックス情報を明示的に示し、および／または、ブロードキャスト信号におけるスクランブリングコードは、第１の時間単位のインデックス情報を保持し、および／または、ブロードキャスト信号における巡回冗長検査コードＣＲＣのマスクは、第１の時間単位のインデックス情報を保持する。
【００４９】
任意選択的に、セルまたはスーパーセルに対して、第１の信号が同期信号であり、第２の信号がブロードキャスト信号であるとき、ブロードキャスト信号のシグナリングは、ブロードキャスト信号の第１の時間単位のインデックス情報を明示的に示し、ブロードキャスト信号におけるスクランブリングコードは、ブロードキャスト信号に対応するＯＦＤＭシンボルのインデックス情報またはブロードキャスト信号に対応する同期信号のＯＦＤＭシンボルのインデックス情報を保持する。
【００５０】
任意選択的に、セルまたはスーパーセルに対して、第１の信号が同期信号であり、第２の信号がブロードキャスト信号であるとき、ブロードキャスト信号のシグナリングは、ブロードキャスト信号の第１の時間単位のインデックス情報を明示的に示し、ブロードキャスト信号におけるＣＲＣのマスクは、ブロードキャスト信号に対応するＯＦＤＭシンボルのインデックス情報またはブロードキャスト信号に対応する同期信号のＯＦＤＭシンボルのインデックス情報を保持する。
【００５１】
任意選択的に、セルまたはスーパーセルに対して、第１の時間単位のインデックスの最大数は、１つの第２の時間単位における第１の時間単位の数より小さい、またはそれに等しい。
【００５２】
任意選択的に、セルまたはスーパーセルに対して、第１のネットワーク装置により１つの第２の時間単位において第１の信号を送信するための第１の時間単位の位置は可変である。
【００５３】
任意選択的に、セルまたはスーパーセルに対して、第１のネットワーク装置により１つの第２の時間単位において第２の信号を送信するための第１の時間単位の位置は可変である。
【００５４】
任意選択的に、セルまたはスーパーセルに対して、第１のネットワーク装置により１つの第２の時間単位において第１の信号を送信するために占有されている第１の時間単位の数は可変である。
【００５５】
任意選択的に、セルまたはスーパーセルに対して、第１のネットワーク装置により１つの第２の時間単位において第２の信号を送信するために占有されている第１の時間単位の数は可変である。
【００５６】
任意選択的に、セルまたはスーパーセルに対して、第１の信号に対応する時間−周波数リソースは、第２の信号に対応する時間−周波数リソースと関連付けられる。
【００５７】
任意選択的に、セルまたはスーパーセルに対して、第１の信号に対応する時間−周波数リソースおよび第２の信号に対応する時間−周波数リソースは、同じＯＦＤＭシンボルにおいて周波数分割多重化されるか、または、第１の信号に対応する時間−周波数リソースおよび第２の信号に対応する時間−周波数リソースは、異なるＯＦＤＭシンボルにおいて時分割多重化される。
【００５８】
第３の態様によれば、本願の実施形態は、信号送信装置を提供し、信号送信装置は、少なくとも１つのユニットを備え、少なくとも１つのユニットは、前述の第１の態様または第１の態様の様々な任意選択的な実装方式において提供されている信号送信方法を実行するよう構成される。
【００５９】
第４の態様によれば、本願の実施形態は、信号検出装置を提供し、信号検出装置は、少なくとも１つのユニットを備え、少なくとも１つのユニットは、前述の少なくとも１つのユニットを実行するよう構成され、少なくとも１つのユニットは、前述の第２の態様または第２の態様の様々な任意選択的な実装方式において提供されている信号受信方法を実行するよう構成される。
【００６０】
第５の態様によれば、本願の実施形態は、ネットワーク装置を提供し、ネットワーク装置は、プロセッサおよびメモリを備え、メモリは、少なくとも１つの命令、少なくとも１つのプログラム、コードセット、または命令セットを記憶し、プロセッサは、少なくとも１つの命令、少なくとも１つのプログラム、コードセット、または命令セットを実行することによって、前述の第１の態様または第１の態様の様々な任意選択的な実装方式において提供されている信号送信方法を実行する。
【００６１】
第６の態様によれば、本願の実施形態は、ネットワーク装置を提供し、ネットワーク装置は、プロセッサおよびメモリを備え、メモリは、少なくとも１つの命令、少なくとも１つのプログラム、コードセット、または命令セットを記憶し、プロセッサは、少なくとも１つの命令、少なくとも１つのプログラム、コードセット、または命令セットを実行することによって、前述の第２の態様または第２の態様の様々な任意選択的な実装方式において提供されている信号受信方法を実行する。
【００６２】
第７の態様によれば、本願の実施形態はさらに、コンピュータ可読媒体を提供し、コンピュータ可読記憶媒体は、少なくとも１つの命令、少なくとも１つのプログラム、コードセット、または命令セットを記憶し、少なくとも１つの命令、少なくとも１つのプログラム、コードセット、または命令セットは、ネットワーク装置のプロセッサにより実行され、実装方式において提供されている信号送信方法の命令を実行し得るか、または、少なくとも１つの命令、少なくとも１つのプログラム、コードセット、または命令セットは、ネットワーク装置のプロセッサにより実行され、第２の態様または第２の態様の様々な任意選択的な実装方式において提供されている信号受信方法の命令を実行し得る。
【図面の簡単な説明】
【００６３】
【図１】本願において用いられるネットワーク環境のアーキテクチャ図である。
【００６４】
【図２】本出願の一実施形態に係るネットワーク装置の概略構造図である。
【００６５】
【図３】本出願の一実施形態に係る信号送信方法のフローチャートである。
【００６６】
【図４】図３に示されている実施形態において用いられる第２の時間単位に基づく区分の概略図である。
【００６７】
【図５】図３に示されている実施形態において用いられる１種類のリソースマッピングの概略図である。
【００６８】
【図６】図３に示されている実施形態において用いられる１種類のリソースマッピングの概略図である。
【図７】図３に示されている実施形態において用いられる１種類のリソースマッピングの概略図である。
【図８】図３に示されている実施形態において用いられる１種類のリソースマッピングの概略図である。
【００６９】
【図９】本出願の一実施形態に係る信号送信装置のブロック図である。
【００７０】
【図１０】本出願の一実施形態に係る信号受信装置のブロック図である。
【発明を実施するための形態】
【００７１】
本願の目的、技術的解決手段、および利点をより明白にするために、以下ではさらに、添付図面を参照して、本願の実装方式を詳細に説明する。
【００７２】
本明細書において言及される「いくつか」は、１または複数であることを意味し、「複数の」は２つまたはそれよりより多いことを意味することが理解されるべきである。「および／または」という用語は、関連付けられた物体を説明するための関連関係を説明し、３つの関係が存在し得ることを示す。例えば、Ａおよび／またはＢは、Ａのみが存在する、ＡおよびＢの両方が存在する、およびＢのみが存在するという３つの場合を示し得る。「／」という記号は概して、関連付けられた物体間の「または」という関係を示す。
【００７３】
図１は、本願において用いられるネットワーク環境のアーキテクチャ図である。ネットワーク環境は、以下のネットワーク装置を備える：第１のネットワーク装置１１０および第２のネットワーク装置１２０。
【００７４】
第１のネットワーク装置１１０および第２のネットワーク装置１２０は、同じ無線システムに位置する。例えば、（図１に示されているように、）第１のネットワーク装置１１０は無線アクセス装置であってよく、第２のネットワーク装置１２０は端末であってよい。代わりに、図１に示されているものとは反対に、第１のネットワーク装置１１０は端末であってよく、第２のネットワーク装置１２０は無線アクセス装置であってよい。
【００７５】
無線アクセス装置は、例えば、マクロセル、マイクロセル、またはピコセルのような独立基地局であってよい。代わりに、無線アクセス装置は、クラウド無線アクセスネットワークを形成する分散型基地局であってよい。代わりに、無線アクセス装置は、無線ルータであってよい。
【００７６】
端末は、無線通信機能を有する様々なハンドヘルド装置、車載装置、モノのインターネット装置、ウェアラブルデバイス、およびコンピュータ処理装置、または無線モデムに接続されている他の処理装置、および様々な形式のユーザ機器（英語表記：Ｕｓｅｒ  Ｅｑｕｉｐｍｅｎｔ、略してＵＥ）、移動局（英語表記：Ｍｏｂｉｌｅ  ｓｔａｔｉｏｎ、略してＭＳ）、端末（ｔｅｒｍｉｎａｌ）、端末機器（Ｔｅｒｍｉｎａｌ  Ｅｑｕｉｐｍｅｎｔ）、ソフトウェア端末などを含んでよい。説明を容易にするため、本願において、上で言及された装置は概して、端末またはＵＥと称される。
【００７７】
本願において示される解決手段において、第１のネットワーク装置１１０は、複数の異なるビーム上で信号を送信し得る。
【００７８】
図２は、本出願の一実施形態に係るネットワーク装置２０の概略構造図である。ネットワーク装置２０は、図１に示されているネットワーク環境における第１のネットワーク装置１１０または第２のネットワーク装置１２０として実行されてよい。図２に示されているように、ネットワーク装置２０は、プロセッサ２１および通信インタフェース２４を含んでよい。
【００７９】
プロセッサ２１は、１または複数の処理ユニットを含んでよい。処理ユニットは、中央演算処理装置（英語表記：ｃｅｎｔｒａｌ  ｐｒｏｃｅｓｓｉｎｇ  ｕｎｉｔ、ＣＰＵ）、ネットワークプロセッサ（英語表記：ｎｅｔｗｏｒｋ  ｐｒｏｃｅｓｓｏｒ、ＮＰ）、または同様のものであってよい。
【００８０】
通信インタフェース２４は、例えば、イーサネット（登録商標）インタフェースまたは光ファイバインタフェースのような有線ネットワークインタフェースを含んでよく、または、例えば、セルラネットワークインタフェースのような無線ネットワークインタフェースを含んでよい。例えば、ネットワーク装置が無線アクセス装置であるとき、通信インタフェース２４は、有線ネットワークインタフェースおよび無線ネットワークインタフェースの両方を含んでよい。有線ネットワークインタフェースは、ネットワーク装置２０と、無線システムにおける上層ネットワーク装置とを接続するよう構成され得る。無線ネットワークインタフェースは、信号カバレージ内の端末と通信するよう構成され得る。代わりに、ネットワーク装置が端末であるとき、通信インタフェース２４は、無線アクセス装置または別の端末と通信するよう構成される無線ネットワークインタフェースのみを含んでよい。
【００８１】
任意選択的に、ネットワーク装置２０はさらに、メモリ２３を含んでよい。プロセッサ２１は、バスを用いることによって、メモリ２３と通信インタフェース２４とに接続されてよい。
【００８２】
メモリ２３は、少なくとも１つの命令、少なくとも１つのプログラム、コードセット、または命令セットを記憶する。少なくとも１つの命令、少なくとも１つのプログラム、コードセット、または命令セットは、プロセッサ２１によりロードされて実行されることにより、第１のネットワーク装置により実行される段階であって、本出願の後続の実施形態における信号送信に関する段階を実行するか、または、少なくとも１つの命令、少なくとも１つのプログラム、コードセット、または命令セットは、プロセッサ２１によりロードされて実行されることにより、第２のネットワーク装置により実行される段階であって、後続の実施形態における信号受信に関する段階を実行する。
【００８３】
例えば、図２において、メモリ２３は、ソフトウェアプログラム２３ａを記憶するよう構成されてよい。ソフトウェアプログラム２３ａは、プロセッサ２１により実行され得る。加えて、メモリ２３はさらに、様々な種類のサービスデータまたはユーザデータを記憶し得る。
【００８４】
任意選択的に、図２に示されているように、ネットワーク装置２０が図１に示されているネットワーク環境における第１のネットワーク装置１１０として実行されるとき、ソフトウェアプログラム２３ａは、信号送信モジュール２３ａ１を含んでよい。
【００８５】
信号送信モジュール２３ａ１は、Ｘ個の第１の信号およびＹ個の第２の信号を送信するよう構成され、それぞれの第２の信号は、少なくとも１つの第１の信号と関連付けられ、Ｘは１以上の整数であり、Ｙは１以上の整数である。
【００８６】
任意選択的に、図２に示されているように、ネットワーク装置２０が図１に示されているネットワーク環境における第２のネットワーク装置１２０として実行されるとき、ソフトウェアプログラム２３ａは、検出モジュール２３ａ２および情報取得モジュール２３ａ３を含んでよい。
【００８７】
検出モジュール２３ａ２は、第１のネットワーク装置により送信されるＸ個の第１の信号のうち１つおよびＹ個の第２の信号のうち１つを検出するよう構成される。
【００８８】
情報取得モジュール２３ａ３は、第１の信号に基づいてＯＦＤＭシンボルのインデックス情報を取得し、第２の信号に基づいて第１の時間単位のインデックス情報を取得するよう構成され、ＯＦＤＭシンボルのインデックス情報は、第１の信号が位置するＯＦＤＭシンボルの第１の時間単位内のインデックスを示し、第１の時間単位のインデックス情報は、第２の信号が位置する第１の時間単位の第２の時間単位内のインデックスを示し、１つの第２の時間単位は、少なくとも２つの第１の時間単位を含み、それぞれの第１の時間単位は、少なくとも２つのОＦＤＭシンボルを含む。
【００８９】
任意選択的に、ネットワーク装置２０はさらに、出力装置２５および入力装置２７を含んでよい。出力装置２５および入力装置２７は、プロセッサ２１に接続される。出力装置２５は、情報を表示するよう構成されるディスプレイ、音声を再生するための電力増幅装置、プリンタ、または同様のものであってよい。出力装置２５はさらに、ディスプレイの画面、電力増幅装置、またはプリンタへの出力を提供するための出力コントローラを含んでよい。入力装置２７は、マウス、キーボード、電子スタイラス、またはタッチパネルなどのユーザにより情報を入力するために用いられる装置であってよい。入力装置２７はさらに、マウス、キーボード、電子スタイラス、またはタッチパネルなどの装置からの入力を受信および処理するよう構成される出力コントローラを含んでよい。
【００９０】
加えて、本願の実施形態はさらに、コンピュータ可読記憶媒体を提供する。コンピュータ可読記憶媒体は、少なくとも１つの命令、少なくとも１つのプログラム、コードセット、または命令セットを記憶する。少なくとも１つの命令、少なくとも１つのプログラム、コードセット、または命令セットは、ネットワーク装置のプロセッサにより実行されることにより、第１のネットワーク装置により実行される段階であって、本出願の後続の実施形態における信号送信に関する段階を完了し得るか、または、少なくとも１つの命令、少なくとも１つのプログラム、コードセット、または命令セットは、ネットワーク装置のプロセッサにより実行されることにより、第２のネットワーク装置により実行される段階であって、本出願の後続の実施形態における信号受信に関する段階を完了し得る。
【００９１】
コンピュータ可読記憶媒体は、ＲＯＭ、ランダムアクセスメモリ（ＲＡＭ）、ＣＤ−ＲＯＭ、磁気テープ、フロッピ（登録商標）ディスク、光データ記憶装置、または同様のものであってよい。
【００９２】
図３を参照すると、図３は、本出願の一実施形態に係る信号送信方法のフローチャートである。方法は、図１に示されているネットワーク環境における第１のネットワーク装置１１０において用いられてよい。図３に示されているように、信号送信方法は、以下の段階を備え得る。
【００９３】
段階３０１：第１のネットワーク装置が、Ｘ個の第１の信号およびＹ個の第２の信号を送信し、それぞれの第２の信号は、少なくとも１つの第１の信号と関連付けられ、Ｘは１以上の整数であり、Ｙは１以上の整数である。
【００９４】
本発明の本実施形態において、無線リソースは、第２の時間単位に基づき、時間ドメインにおいて区分され得る。それぞれの第２の時間単位は、少なくとも２つの第１の時間単位を含む。それぞれの第１の時間単位は、少なくとも２つのОＦＤＭシンボルを含む。例えば、第２の時間単位は１つの無線フレームであってよく、または、第２の時間単位は１つの無線フレームより小さくてよく（例えば、半分の無線フレーム）、または、第２の時間単位は１つの無線フレームよりも大きくてよい（例えば、２つまたはそれよりより多くの無線フレーム）。本発明の本実施形態における全ての後続の内容においては、説明のために、第２の時間単位が１つの無線フレームである例が用いられる。
【００９５】
セルまたはスーパーセルに対して、第１の信号は、ＯＦＤＭ（Ｏｒｔｈｏｇｏｎａｌ  Ｆｒｅｑｕｅｎｃｙ  Ｄｉｖｉｓｉｏｎ  Ｍｕｌｔｉｐｌｅｘｉｎｇ、直交周波数分割多重）シンボルのインデックス情報を保持し、ＯＦＤＭシンボルのインデックス情報は、第１の信号が位置するＯＦＤＭシンボルの第１の時間単位内のインデックスを示し、第２の信号は、第１の時間単位のインデックス情報を保持し、第１の時間単位のインデックス情報は、第２の信号が位置する第１の時間単位の無線フレーム内のインデックスを示し、無線フレームは、少なくとも２つの第１の時間単位を含み、それぞれの第１の時間単位は、少なくとも２つのОＦＤＭシンボルを含む。
【００９６】
無線フレームに含まれているＸ個の第１の信号のうち、それぞれの第１の信号は、第１の信号が位置するＯＦＤＭシンボルの第１の時間単位内のインデックスを示し、すなわち、第１の時間単位におけるどのＯＦＤＭシンボルが、第１の信号が位置するＯＦＤＭシンボルであるかを示す。無線フレームに含まれるX個の第２の信号のうち、それぞれの第２の信号は、第２の信号が位置する第１の時間単位のインデックスを示し、すなわち、無線フレーム内の、第２の信号が位置する第１の時間単位を示す。さらに、それぞれの第２の信号は、少なくとも１つの第１の信号に対応する。すなわち、１つの第１の信号と１つの第２の信号との組み合わせは、第１の信号を保持するＯＦＤＭシンボルの無線フレーム内の具体的な位置を示し得る。
【００９７】
例えば、図４を参照すると、図４は、開示された実施形態において用いられる無線フレームの区分の概略図である。１つの無線フレームは、Ｎ個の第１の時間単位を含む。各時間単位は、少なくとも２つのОＦＤＭシンボルを含む（４つのＯＦＤＭシンボルが図４に示されている）。Ｎ個の第１の時間単位の無線フレーム内のインデックスは、Ｓ０、Ｓ１、…、Ｓ（Ｎ−１）である。それぞれの第１の無線ユニット内のインデックスは、ａ０、ａ１、ａ２、およびａ３である。図４において、第１の信号に保持されているＯＦＤＭシンボルのインデックス情報により示され、かつ、ＯＦＤＭシンボルの第１の無線ユニット内にあるインデックスは、ａ１である。第１の信号と関連付けられている第２の信号に保持されている第１の時間単位のインデックス情報により示され、かつ、第１の無線ユニットの無線フレーム内にあるインデックスは、Ｓ１である。このように、第１の信号と第２の信号との組み合わせは、第１の信号を保持するＯＦＤＭシンボルの無線フレーム内の位置が、インデックスがＳ１である第１の無線ユニット（すなわち、第２の第１の時間単位）内のインデックスがａ１であるＯＦＤＭシンボル（すなわち、第２のＯＦＤＭシンボル）であることを示すことができる。
【００９８】
任意選択的に、セルまたはスーパーセルに対して、第１の信号は同期信号であり、第２の信号はブロードキャスト信号であるか、または、第１の信号はブロードキャスト信号であり、第２の信号は同期信号であるか、または、第１の信号は同期信号であり、第２の信号は同期信号である。
【００９９】
任意選択的に、Ｘ個の第１の信号およびＹ個の第２の信号のうち、互いに関連付けられる１つの第１の信号および１つの第２の信号は、１つの伝送ビームに位置する。
【０１００】
本願の本実施形態において、第１のネットワーク装置は、異なるビームを用いることによって、Ｘ個の第１の信号およびＹ個の第２の信号を送信してよく、互いに関連付けられている１つの第１の信号および１つの第２の信号は、同じビーム上で送信される。
【０１０１】
例えば、第１のネットワーク装置は基地局であり、基地局は１２のビームをサポートすると仮定する。１２グループの、互いに関連付けられている第１の信号および第２の信号は、基地局において予め設定されてよい。１２グループの、互いに関連付けられている第１の信号および第２の信号は、異なるＯＦＤＭシンボルの無線フレーム内の位置に対応する。信号を送信するとき、基地局は、各ビーム上で、１つのグループの、互いに関連付けられている第１の信号および第２の信号を送信する。
【０１０２】
任意選択的に、Ｘ個の第１の信号およびＹ個の第２の信号のうち、互いに関連付けられている１つの第１の信号および１つの第２の信号は、１つの第１の時間単位に位置する。
【０１０３】
例えば、図４は、例として用いられる。第１の信号により示され、ＯＦＤＭシンボルの第１の無線ユニット内のインデックスはａ１であり、第１の信号と関連付けられている第２の信号により示される、第１の時間単位のインデックスは、Ｓ１である。この場合、第１の信号は、インデックスがＳ１である第１の時間単位内のインデックスがａ１であるＯＦＤＭシンボルにおいて送信される。関連付けられた第２の信号は、インデックスがａ１である同じＯＦＤＭシンボルにおいて送信されてよく、インデックスがＳ１である第１の時間単位内の別のＯＦＤＭシンボルにおいて送信されてよい。
【０１０４】
任意選択的に、同期信号は、一次同期信号および二次同期信号を含むか、または、同期信号は、一次同期信号、二次同期信号、および第３の同期信号ｅＳＳＳを含み、各同期信号に含まれている一次同期信号および二次同期信号は、１つの第１の時間単位に位置する。
【０１０５】
例えば、図５を参照すると、図５は、開示された実施形態において用いられる１種類のリソースマッピングの概略図であり、同じセルまたはスーパーセルにおける２つの第１の時間単位内のＯＦＤＭシンボルにおける一部の周波数帯域に保持されている信号を示す。それぞれの第１の時間単位は、４つのＯＦＤＭシンボルを含む（シーケンス番号が０から８である、合計８つのＯＦＤＭシンボルが存在する）。各ＯＦＤＭシンボルにおける異なる周波数帯域は、ＰＢＣＨ（Ｐｈｙｓｉｃａｌ  ｂｒｏａｄｃａｓｔ  ｃｈａｎｎｅｌ、物理ブロードキャストチャネル）、第３の同期信号ｅＳＳＳ、ＰＳＳ（Ｐｒｉｍａｒｙ  Ｓｙｎｃｈｒｏｎｉｚａｔｉｏｎ  Ｓｉｇｎａｌ、一次同期信号）、およびＳＳＳ（Ｓｅｃｏｎｄａｒｙ  Ｓｙｎｃｈｒｏｎｉｚａｔｉｏｎ  Ｓｉｇｎａｌ、二次同期信号）を保持する。ＰＢＣＨ上で保持されている信号は、ブロードキャスト信号である。
【０１０６】
図５において、第１の信号は、各ＯＦＤＭシンボルにおける同期信号（ｅＳＳＳ、ＰＳＳ、およびＳＳＳのうち任意の１つ）であってよく、第２の信号は、各ＯＦＤＭシンボルにおけるＰＢＣＨ上の信号であってよい。代わりに、第１の信号は、各ＯＦＤＭシンボルにおけるＰＢＣＨ上の信号であってよく、第２の信号は、各ＯＦＤＭシンボルにおける同期信号（ｅＳＳＳ、ＰＳＳ、およびＳＳＳのうち任意の１つ）であってよい。代わりに、第１の信号および第２の信号は、同期信号（ｅＳＳＳ、ＰＳＳ、およびＳＳＳ）のうち任意の２つであってよい。
【０１０７】
任意選択的に、図５に加えて、ｅＳＳＳ、ＰＳＳ、ＳＳＳ、およびＰＢＣＨの位置はさらに、別の形式を有してよい。例えば、図６から図８を参照すると、図６から図８は、開示された本実施形態において用いられている３種類のリソースマッピングの概略図である。
【０１０８】
任意選択的に、第１の時間単位は、サブフレームまたはタイムスロットである。
【０１０９】
例えば、図５において、１つの第１の時間単位は、１つのサブフレームであってよく、または１つの第１の時間単位は、１つのタイムスロットであってよい。
【０１１０】
任意選択的に、セルまたはスーパーセルに対して、第１の信号は同期信号であり、第１の信号が位置するＯＦＤＭシンボルの第１の時間単位内のインデックスは、同期信号の異なるシーケンスにより示される。
【０１１１】
例えば、図４および図５に関連して、それぞれの第１の時間単位は、４つのＯＦＤＭシンボルを含み、例えば、Ｚ０、Ｚ１、Ｚ２、およびＺ３である、４つのグループの同期シーケンスが設定されてよい。各グループの同期シーケンスは、１つのＯＦＤＭインデックス（ａ０からａ３）に対応する。例えば、対応関係が以下の通りであってよい。Ｚ０―――ａ０、Ｚ１―――ａ１、Ｚ２―――ａ２、および、Ｚ３―――ａ３。
【０１１２】
第１の信号が同期信号であるとき、図５におけるそれぞれの第１の時間単位内のＯＦＤＭシンボルに保持されている同期信号は、ＯＦＤＭシンボルのＯＦＤＭシンボルのインデックス情報を示し得て、すなわち、ＯＦＤＭシンボルの第１の時間単位内のインデックスを示し得る。
【０１１３】
任意選択的に、セルまたはスーパーセルに対して、同期信号を伝送するための第１の時間単位において、異なるＯＦＤＭシンボルにおいて伝送される同期信号における一次同期信号のシーケンスは、対応するＯＦＤＭシンボルの第１の時間単位内のインデックスを示すために用いられ、同期信号を伝送するための異なる第１の時間単位において、同じＯＦＤＭシンボルインデックスに対応するＯＦＤＭシンボルにおける一次同期信号のシーケンスは、同じであり、同期信号を伝送するための第１の時間単位において、異なるＯＦＤＭシンボルにおいて伝送される同期信号における二次同期信号のシーケンスは同じであり、同期信号を伝送するために用いられ、同じ半分のフレームにおける異なる第１の時間単位において、異なるＯＦＤＭシンボルにおいて伝送されている同期信号における二次同期信号のシーケンスは同じである。
【０１１４】
例えば、図５は例として用いられる。ＰＳＳ  Ｂ０からＰＳＳ  Ｂ３が前の第１の時間単位に属し、ＰＳＳ  Ｂ４からＰＳＳ  Ｂ７が後の第１の時間単位に属し、ＰＳＳ  Ｂ０の前の第１の時間単位内の位置およびＰＳＳ  Ｂ４の後の第１の時間単位内のシンボル位置は同じであり、両方ともそれぞれの第１の時間単位における第１のＯＦＤＭシンボルである。一次同期信号が第１の信号を保持するとき、図５において、ＰＳＳ  Ｂ０のシーケンスは、ＰＳＳ  Ｂ４のシーケンスと同じである。この場合、図５において、１つの第１の時間単位に属する二次同期信号（ＳＳＳ  Ｂ０からＳＳＳ  Ｂ３、またはＳＳＳ  Ｂ４からＳＳＳ  Ｂ７）は、同じ信号シーケンスを有する。加えて、図５に示されている２つの第１の時間単位が無線フレームの同じ半分のフレームに属する場合、例えば、両方とも前半フレームに属するか、または両方とも後半フレームに属する場合、２つの第１の時間単位における二次同期信号のシーケンスは全て同じである。すなわち、ＳＳＳ  Ｂ０からＳＳＳ  Ｂ７のシーケンスは全て同じである。
【０１１５】
任意選択的に、セルまたはスーパーセルに対して、同期信号を伝送するための第１の時間単位において、異なるＯＦＤＭシンボルにおいて伝送される同期信号における二次同期信号のシーケンスは、対応するＯＦＤＭシンボルの第１の時間単位内のインデックスを示すために用いられ、同期信号を伝送するために用いられ、同じ半分のフレームにおける異なる第１の時間単位において、同じＯＦＤＭシンボルインデックスに対応するＯＦＤＭシンボルにおける二次同期信号のシーケンスは同じであり、同期信号を伝送するための第１の時間単位において、異なるＯＦＤＭシンボルにおいて伝送される同期信号における一次同期信号のシーケンスは同じであり、同期信号を伝送するための異なる第１の時間単位において、異なるＯＦＤＭシンボルにおいて伝送される同期信号における一次同期信号のシーケンスは同じである。
【０１１６】
例えば、図５はまた例として用いられる。ＳＳＳ  Ｂ０からＳＳＳ  Ｂ３が前の第１の時間単位に属し、ＳＳＳ  Ｂ４からＳＳＳ  Ｂ７が後の第１の時間単位に属し、ＳＳＳ  Ｂ０の前の第１の時間単位内の位置およびＳＳＳ  Ｂ４の後の第１の時間単位内のシンボル位置は同じであり、両方ともそれぞれの第１の時間単位における第１のＯＦＤＭシンボルである。二次同期信号が第１の信号を保持するとき、図５に示されている２つの第１の時間単位が無線フレームの同じ半分のフレームに属する場合、例えば、両方とも前半フレームに属するか、または、両方とも後半フレームに属する場合、ＳＳＳ  Ｂ０およびＳＳＳ  Ｂ４のシーケンスは同じである。図５において、この場合、２つの第１の時間単位における一次同期信号のシーケンスは同じであり、すなわち、ＰＳＳ  Ｂ０からＰＳＳ  Ｂ７のシーケンスは同じである。
【０１１７】
任意選択的に、セルまたはスーパーセルに対して、同期信号を伝送するための第１の時間単位において、異なるＯＦＤＭシンボルにおいて伝送される同期信号の第３の同期信号ｅＳＳＳのシーケンスは、対応するＯＦＤＭシンボルの第１の時間単位内のインデックスを示すために用いられ、同期信号を伝送するための異なる第１の時間単位において、同じＯＦＤＭシンボルインデックスに対応するＯＦＤＭシンボルにおける第３の同期信号のシーケンスは同じであり、同期信号を伝送するための第１の時間単位において、異なるＯＦＤＭシンボルにおいて伝送される同期信号における一次同期信号のシーケンスは同じであり、異なるＯＦＤＭシンボルにおいて伝送される同期信号における二次同期信号のシーケンスは同じであり、同期信号を伝送するための異なる第１の時間単位において、異なるＯＦＤＭシンボルにおいて伝送される同期信号における一次同期信号のシーケンスは同じであり、同期信号を伝送するために用いられ、同じ半分のフレームにおける異なる第１の時間単位において、異なるＯＦＤＭシンボルにおいて伝送される同期信号における二次同期信号のシーケンスは同じである。
【０１１８】
例えば、図５はまた例として用いられる。ｅＳＳＳ  Ｂ０からｅＳＳＳ  Ｂ３が前の第１の時間単位に属し、ｅＳＳＳ  Ｂ４からｅＳＳＳ  Ｂ７が後の第１の時間単位に属し、ｅＳＳＳ  Ｂ０の前の第１の時間単位内の位置およびｅＳＳＳ  Ｂ４の後の第１の時間単位内のシンボル位置は同じであり、両方ともそれぞれの第１の時間単位における第１のＯＦＤＭシンボルである。第３の同期信号が第１の信号を保持するとき、ｅＳＳＳ  Ｂ０およびｅＳＳＳ  Ｂ４のシーケンスは同じである。図５において、この場合、２つの第１の時間単位における一次同期信号のシーケンスは同じであり、すなわち、ＰＳＳ  Ｂ０からＰＳＳ  Ｂ７のシーケンスは同じである。図５において、この場合、１つの第１の時間単位に属する二次同期信号（ＳＳＳ  Ｂ０からＳＳＳ  Ｂ３、またはＳＳＳ  Ｂ４からＳＳＳ  Ｂ７）の信号シーケンスは同じである。加えて、図５に示されている２つの第１の時間単位が無線フレームの同じ半分のフレームに属する場合、例えば、両方とも前半フレームに属するか、または両方とも後半フレームに属する場合、２つの第１の時間単位における二次同期信号のシーケンスは同じであり、すなわち、ＳＳＳ  Ｂ０からＳＳＳ  Ｂ７のシーケンスは同じである。
【０１１９】
任意選択的に、セルまたはスーパーセルに対して、同期信号を伝送するための第１の時間単位において、異なるＯＦＤＭシンボルにおいて伝送される同期信号の第３の同期信号ｅＳＳＳのシーケンスは、対応するＯＦＤＭシンボルの第１の時間単位内のインデックスを示すために用いられ、異なるＯＦＤＭシンボルにおいて伝送される同期信号における一次同期信号のシーケンスは、第１の時間単位の無線フレーム内のインデックスを示すために用いられ、同期信号を伝送するための異なる第１の時間単位において、同じＯＦＤＭシンボルインデックスに対応するＯＦＤＭシンボルにおける第３の同期信号のシーケンスは同じであり、同期信号を伝送するための第１の時間単位において、異なるＯＦＤＭシンボルにおいて伝送される同期信号における二次同期信号のシーケンスは同じであり、同期信号を伝送するために用いられ、同じ半分のフレームにおける異なる第１の時間単位において、異なるＯＦＤＭシンボルにおいて伝送される同期信号における二次同期信号のシーケンスは同じである。
【０１２０】
例えば、図５はまた例として用いられる。第３の同期信号が第１の信号を保持し、一次同期信号が第２の信号を保持するとき、ｅＳＳＳ  Ｂ０およびｅＳＳＳ  Ｂ４のシーケンスは同じである。１つの第１の時間単位に属する一次同期信号（ＰＳＳ  Ｂ０からＰＳＳ  Ｂ３、またはＰＳＳ  Ｂ４からＰＳＳ  Ｂ７）の信号シーケンスは同じである。図５に示されている２つの第１の時間単位が無線フレームの同じ半分のフレームに属する場合、例えば、両方とも前半フレームに属するか、または両方とも後半フレームに属する場合、２つの第１の時間単位における二次同期信号のシーケンスは同じであり、すなわち、ＳＳＳ  Ｂ０からＳＳＳ  Ｂ７のシーケンスは同じである。
【０１２１】
任意選択的に、セルまたはスーパーセルに対して、同期信号を伝送するための第１の時間単位において、異なるＯＦＤＭシンボルにおいて伝送される同期信号の第３の同期信号ｅＳＳＳのシーケンスは、対応するＯＦＤＭシンボルの第１の時間単位内のインデックスを示すために用いられ、異なるＯＦＤＭシンボルにおいて伝送される同期信号における二次同期信号のシーケンスは、第１の時間単位の無線フレーム内のインデックスを示すために用いられ、同期信号を伝送するための異なる第１の時間単位において、同じＯＦＤＭシンボルインデックスに対応するＯＦＤＭシンボルにおける第３の同期信号のシーケンスは同じであり、同期信号を伝送するための第１の時間単位において、異なるＯＦＤＭシンボルにおいて伝送される同期信号における一次同期信号のシーケンスは同じであり、同期信号を伝送するための異なる第１の時間単位において、異なるＯＦＤＭシンボルにおいて伝送される同期信号における一次同期信号のシーケンスは同じである。
【０１２２】
例えば、図５はまた例として用いられる。第３の同期信号が第１の信号を保持し、二次同期信号が第２の信号を保持するとき、ｅＳＳＳ  Ｂ０およびｅＳＳＳ  Ｂ４のシーケンスは同じである。図５において、この場合、２つの第１の時間単位における一次同期信号のシーケンスは同じであり、すなわち、ＰＳＳ  Ｂ０からＰＳＳ  Ｂ７のシーケンスは同じである。
【０１２３】
任意選択的に、セルまたはスーパーセルに対して、同期信号を伝送するための第１の時間単位において、異なるＯＦＤＭシンボルにおいて伝送される同期信号における一次同期信号のシーケンスは、対応するＯＦＤＭシンボルの第１の時間単位内のインデックスを示すために用いられ、異なるＯＦＤＭシンボルにおいて伝送される同期信号における二次同期信号のシーケンスは、第１の時間単位の無線フレーム内のインデックスを示すために用いられ、同期信号を伝送するための異なる第１の時間単位において、同じＯＦＤＭシンボルインデックスに対応するＯＦＤＭシンボルの一次同期信号のシーケンスは同じである。
【０１２４】
例えば、図５はまた例として用いられる。一次同期信号が第１の信号を保持し、二次同期信号が第２の信号を保持するとき、ＰＳＳ  Ｂ０およびＰＳＳ  Ｂ４のシーケンスは同じである。
【０１２５】
任意選択的に、セルまたはスーパーセルに対して、同期信号を伝送するための第１の時間単位において、異なるＯＦＤＭシンボルにおいて伝送される同期信号における二次同期信号のシーケンスは、対応するＯＦＤＭシンボルの第１の時間単位内のインデックスを示すために用いられ、異なるＯＦＤＭシンボルにおいて伝送される同期信号における一次同期信号のシーケンスは、第１の時間単位の無線フレーム内のインデックスを示すために用いられ、同期信号を伝送するために用いられ、同じ半分のフレームにおける異なる第１の時間単位において、同じＯＦＤＭシンボルインデックスに対応するＯＦＤＭシンボルにおける二次同期信号のシーケンスは同じである。
【０１２６】
例えば、図５はまた例として用いられる。二次同期信号が第１の信号を保持し、一次同期信号が第２の信号を保持するとき、図５に示されている２つの第１の時間単位が無線フレームの同じ半分のフレームに属する場合、例えば、両方とも前半フレームに属するか、または両方とも後半フレームに属する場合、２つの第１の時間単位におけるＳＳＳ  Ｂ０およびＳＳＳ  Ｂ４のシーケンスは同じである。
【０１２７】
任意選択的に、セルまたはスーパーセルに対して、同期信号における一次同期信号のシーケンスは、１つのセルＩＤグループにおけるセルＩＤ情報を識別するために用いられ、同期信号における二次同期信号のシーケンスは、セルＩＤグループの情報を識別するために用いられる。
【０１２８】
本願の本実施形態において、第１の信号および／または第２の信号を保持することに加えて、同期信号はさらに、信号に対応するセルＩＤおよびセルＩＤグループを示すために用いられてよい。
【０１２９】
任意選択的に、セルまたはスーパーセルに対して、第１の信号が同期信号であり、第２の信号がブロードキャスト信号であるとき、ブロードキャスト信号のシグナリングは、ブロードキャスト信号の第１の時間単位のインデックス情報を明示的に示し、および／または、ブロードキャスト信号におけるスクランブリングコードは、第１の時間単位のインデックス情報を保持し、および／または、ブロードキャスト信号における巡回冗長検査コードＣＲＣのマスクは、第１の時間単位のインデックス情報を保持する。
【０１３０】
本願の本実施形態において、ブロードキャスト信号が第２の信号を保持するとき、スクランブリングコード、および／またはブロードキャスト信号のマスクはさらに、第１の信号を保持し得て、第２のネットワーク装置がその後、第２の信号をパースするときの認証を容易にし得る。
【０１３１】
任意選択的に、セルまたはスーパーセルに対して、第１の信号が同期信号であり、第２の信号がブロードキャスト信号であるとき、ブロードキャスト信号のシグナリングは、ブロードキャスト信号の第１の時間単位のインデックス情報を明示的に示し、ブロードキャスト信号におけるスクランブリングコードは、ブロードキャスト信号に対応するＯＦＤＭシンボルのインデックス情報またはブロードキャスト信号に対応する同期信号のＯＦＤＭシンボルのインデックス情報を保持する。
【０１３２】
本願の本実施形態において、同期信号が第１の信号を保持し、ブロードキャスト信号が第２の信号を保持するとき、ブロードキャスト信号におけるスクランブリングコードはさらに、ブロードキャスト信号が位置するＯＦＤＭシンボルに対応するＯＦＤＭシンボルのインデックス情報（すなわち、第１の時間単位におけるＯＦＤＭシンボルのインデックス）を保持してよく、または、ブロードキャスト信号におけるスクランブリングコードは、ブロードキャスト信号と関連付けられている同期信号が位置するＯＦＤＭシンボルに対応するＯＦＤＭシンボルのインデックス情報を保持してよい。
【０１３３】
任意選択的に、セルまたはスーパーセルに対して、第１の信号が同期信号であり、第２の信号がブロードキャスト信号であるとき、ブロードキャスト信号のシグナリングは、ブロードキャスト信号の第１の時間単位のインデックス情報を明示的に示し、ブロードキャスト信号のＣＲＣ（Ｃｙｃｌｉｃ  Ｒｅｄｕｎｄａｎｃｙ  Ｃｈｅｃｋ、巡回冗長検査）のマスクは、ブロードキャスト信号に対応するＯＦＤＭシンボルのインデックス情報またはブロードキャスト信号に対応する同期信号のＯＦＤＭシンボルのインデックス情報を保持する。
【０１３４】
本願の本実施形態において、同期信号が第１の信号を保持し、ブロードキャスト信号が第２の信号を保持するとき、ブロードキャスト信号におけるＣＲＣのマスクはさらに、ブロードキャスト信号が位置するＯＦＤＭシンボルに対応するＯＦＤＭシンボルのインデックス情報（すなわち、第１の時間単位におけるＯＦＤＭシンボルのインデックス）を保持してよく、または、ブロードキャスト信号におけるＣＲＣのマスクは、ブロードキャスト信号と関連付けられている同期信号が位置するＯＦＤＭシンボルに対応するＯＦＤＭシンボルのインデックス情報を保持してよい。
【０１３５】
任意選択的に、セルまたはスーパーセルに対して、第１の時間単位のインデックスの最大数は、１つの無線フレームにおける第１の時間単位の数より小さい、またはそれに等しい。
【０１３６】
本願の本実施形態において、第１の時間単位のインデックスの数は、１つの無線フレームにおける第１の時間単位の数より小さい、またはそれに等しいとすべきである。
【０１３７】
任意選択的に、セルまたはスーパーセルに対して、第１のネットワーク装置により１つの無線フレームにおいて第１の信号を送信するための第１の時間単位の位置は可変である。
【０１３８】
本願の本実施形態において、１つの無線フレームにおいて第１の信号を送信できる第１の時間単位の位置は固定されているのではなく、それに代えて、実際の応用に基づいて適応的に変わり得る。
【０１３９】
任意選択的に、セルまたはスーパーセルに対して、第１のネットワーク装置により１つの無線フレームにおいて第２の信号を送信するための第１の時間単位の位置は可変である。
【０１４０】
本願の本実施形態において、１つの無線フレームにおいて第２の信号を送信できる第１の時間単位の位置は固定されているのではなく、それに代えて、実際の応用に基づき適応的に変わり得る。
【０１４１】
任意選択的に、セルまたはスーパーセルに対して、第１のネットワーク装置により１つの無線フレームにおいて第１の信号を送信するために占有されている第１の時間単位の数は可変である。
【０１４２】
本願の本実施形態において、１つの無線フレームにおいて第１の信号を送信するために占有されている第１の時間単位の数は固定されているのではなく、それに代えて、実際の応用に基づき、適応的に変わり得る。
【０１４３】
任意選択的に、セルまたはスーパーセルに対して、第１のネットワーク装置により１つの無線フレームにおいて第２の信号を送信するために占有されている第１の時間単位の数は可変である。
【０１４４】
本願の本実施形態において、１つの無線フレームにおいて第２の信号を送信するために占有されている第１の時間単位の数は固定されているのではなく、それに代えて、実際の応用に基づき、適応的に変わり得る。
【０１４５】
任意選択的に、セルまたはスーパーセルに対して、第１の信号に対応する時間−周波数リソースは、第２の信号に対応する時間−周波数リソースと関連付けられる。
【０１４６】
例えば、図５から図８は、例として用いられる。本願の本実施形態において、第１の信号および第２の信号が互いに関連付けられているとき、第１の信号に対応する時間−周波数リソースが第２の信号に対応する時間−周波数リソースと関連付けられることであってよく、すなわち、関連付けられた第２の信号に対応する時間−周波数リソースは、第１の信号に対応する時間−周波数リソースに基づいて決定されてよく、または、関連付けられた第１の信号に対応する時間−周波数リソースは、第２の信号に対応する時間−周波数リソースに基づいて決定されてよい。
【０１４７】
任意選択的に、セルまたはスーパーセルに対して、第１の信号に対応する時間−周波数リソースおよび第２の信号に対応する時間−周波数リソースは、同じＯＦＤＭシンボルにおいて周波数分割多重化されるか、または、第１の信号に対応する時間−周波数リソースおよび第２の信号に対応する時間−周波数リソースは、異なるＯＦＤＭシンボルにおいて時分割多重化される。
【０１４８】
例えば、図５が例として用いられる。ＰＢＣＨ、ｅＳＳＳ、ＰＳＳ、ＳＳＳのうち任意の２つのうち一方が第１の信号を保持するために用いられ、当該２つのうち他方が第２の信号を保持するために用いられる。この場合、互いに関連付けられている第１の信号および第２の信号に対して、第１の信号および第２の信号の時間−周波数リソースは同じＯＦＤＭシンボルにあり、すなわち、同じＯＦＤＭシンボルにおける異なるサブキャリアまたは周波数帯域をそれぞれ占有する。
【０１４９】
代わりに、図７が例として用いられ、ＰＢＣＨが第１の信号を保持するために用いられ、ｅＳＳＳが第２の信号を保持するか、または、ＰＢＣＨが第２の信号を保持し、ｅＳＳＳが第２の信号を保持すると仮定する。この場合、互いに関連付けられている第１の信号および第２の信号に対して、第１の信号および第２の信号の時間−周波数リソースは、異なるＯＦＤＭシンボルにあり、すなわち、同じ周波数帯域または異なる周波数帯域における異なるＯＦＤＭシンボルをそれぞれ占有する。
【０１５０】
任意選択的に、一次同期信号のシーケンスセットにおけるシーケンスの数は、二次同期信号のシーケンスセットにおけるシーケンスの数より小さいか、または、一次同期信号のシーケンスセットにおけるシーケンスの数は、二次同期信号のシーケンスセットにおけるシーケンスの数より小さく、二次同期信号のシーケンスセットにおけるシーケンスの数は、第３の同期信号のシーケンスセットにおけるシーケンスの数より小さい。
【０１５１】
段階３０１は、図２に示されている実施形態におけるプロセッサ２１により、信号送信モジュール２３ａ１を実行することで、実行されてよい。
【０１５２】
段階３０２：第２のネットワーク装置が、第１のネットワーク装置により送信されたＸ個の第１の信号のうち１つおよびＹ個の第２の信号のうち１つを検出する。
【０１５３】
本願の本実施形態において、第１のネットワーク装置は、異なるビームを用いることによって、Ｘ個の第１の信号のうち１つおよびＹ個の第２の信号のうち１つを送信する。検出信号を受信するとき、第２のネットワーク装置は、１つのビーム上で送信された第１の信号および当該第１の信号と関連付けられた第２の信号のみを検出し得る。
【０１５４】
段階３０２は、図２に示されている実施形態におけるプロセッサ２１により、検出モジュール２３ａ２を実行することで、実行されてよい。
【０１５５】
段階３０３：第２のネットワーク装置が、第１の信号に基づいてＯＦＤＭシンボルのインデックス情報を取得し、第２の信号に基づいて第１の時間単位のインデックス情報を取得する。
【０１５６】
ＯＦＤＭシンボルのインデックス情報は、第１の信号が位置するＯＦＤＭシンボルの第１の時間単位内のインデックスを示し、第１の時間単位のインデックス情報は、第２の信号が位置する第１の時間単位の無線フレーム内のインデックスを示し、１つの無線フレームは、少なくとも２つの第１の時間単位を含み、それぞれの第１の時間単位は、少なくとも２つのОＦＤＭシンボルを含む。
【０１５７】
互いに関連付けられている第１の信号および第２の信号を検出した後に、第２のネットワーク装置は、第１の信号により示されているＯＦＤＭシンボルのインデックス情報と、第２の信号により示されている第１の時間単位のインデックス情報とに基づき、第１の信号が位置するＯＦＤＭシンボルの無線フレーム内の位置を決定し、フレームタイミングを実行してよい。
【０１５８】
段階３０３は、図２に示されている実施形態におけるプロセッサ２１により、情報取得モジュール２３ａ３を実行することで、実行されてよい。
【０１５９】
結論として、本願の本実施形態に示されている解決手段において、第１のネットワーク装置は、Ｘ個の第１の信号およびＹ個の第２の信号を送信し、それぞれの第２の信号は、少なくとも１つの第１の信号と関連付けられ、第１の信号は、直交周波数分割多重ＯＦＤＭシンボルのインデックス情報を保持し、ＯＦＤＭシンボルのインデックス情報は、第１の信号が位置するＯＦＤＭシンボルの第１の時間単位内のインデックスを示し、第２の信号は、第１の時間単位のインデックス情報を保持し、第１の時間単位のインデックス情報は、第２の信号が位置する第１の時間単位の無線フレーム内のインデックスを示し、１つの無線フレームは、少なくとも２つの第１の時間単位を含み、それぞれの第１の時間単位は、少なくとも２つのОＦＤＭシンボルを含み、第２のネットワーク装置は、第１のネットワーク装置により送信されたＸ個の第１の信号のうち１つおよびＹ個の第２の信号のうち１つを検出し、第１の信号に基づいてＯＦＤＭシンボルのインデックス情報を取得し、第２の信号に基づいて第１の時間単位のインデックス情報を取得し、第１の信号の無線フレーム内の位置を決定し、フレームタイミングを実行する。
【０１６０】
図９を参照すると、図９は、本出願の一実施形態に係る信号送信装置のブロック図である。当該装置は、ハードウェアまたはソフトウェアおよびハードウェアの組み合わせの方式で、図１に示されているネットワーク環境における第１のネットワーク装置１１０の一部または第１のネットワーク装置１１０全体として実現され、図３に示されている第１のネットワーク装置により実行される段階の全てまたは一部を実行してよい。装置は、信号送信ユニット９０１を含んでよい。
【０１６１】
本実施形態において、装置は、機能ユニットの形式で示されている。本明細書における「ユニット」は、特定用途向け集積回路（ａｐｐｌｉｃａｔｉｏｎ−ｓｐｅｃｉｆｉｃ  ｉｎｔｅｇｒａｔｅｄ  ｃｉｒｃｕｉｔ、ＡＳＩＣ）、回路、１または複数のソフトウェアまたはファームウェアプログラムを実行するプロセッサおよびメモリ、集積論理回路、および／または前述の機能を提供できる別の装置であってよい。
【０１６２】
信号送信ユニット９０１は、信号送信モジュール２３ａ１の機能と同じまたは同様の機能を有する。
【０１６３】
図１０を参照すると、図１０は、本出願の一実施形態に係る信号受信装置のブロック図である。装置は、ハードウェアまたはソフトウェアおよびハードウェアの組み合わせの方式で、図１に示されているネットワーク環境における第２のネットワーク装置１２０の一部または第２のネットワーク装置１２０全体として実行され、図４に示されているような第２のネットワーク装置により実行される段階の全てまたは一部を実行してよい。装置は、検出ユニット１００１および情報取得ユニット１００２を含んでよい。
【０１６４】
本実施形態において、装置は機能ユニットの形式で示されている。本明細書における「ユニット」は、特定用途向け集積回路（ａｐｐｌｉｃａｔｉｏｎ−ｓｐｅｃｉｆｉｃ  ｉｎｔｅｇｒａｔｅｄ  ｃｉｒｃｕｉｔ、ＡＳＩＣ）、回路、１または複数のソフトウェアまたはファームウェアプログラムを実行するプロセッサおよびメモリ、集積論理回路、および／または前述の機能を提供できる別の装置であってよい。
【０１６５】
検出ユニット１００１は、検出モジュール２３ａ２の機能と同じまたは同様の機能を有する。
【０１６６】
情報取得ユニット１００２は、情報取得モジュール２３ａ３の機能と同じまたは同様の機能を有する。
【０１６７】
前述の本願の実施形態のシーケンス番号は例示の目的のために過ぎず、実施形態の優先度を示すことを意図されていない。
【０１６８】
当業者は、実施形態における段階の全てまたは一部が、ハードウェアにより実行されてよく、または関連ハードウェアを指示するプログラムにより実行されてよいことを理解し得る。プログラムは、コンピュータ可読記憶媒体に記憶されてよい。
【０１６９】
前述の説明は本願の実施形態の例に過ぎず、本願を限定することを意図されていない。本願の趣旨および原則から逸脱することなく行われたいかなる変更、均等物との置換、または改善は、本願の保護範囲内に含まれるものとする。
【図１】
2019530275.tif 000003
【図２】
2019530275.tif 000004
【図３】
2019530275.tif 000005
【図４】
2019530275.tif 000006
【図５】
2019530275.tif 000007
【図６】
2019530275.tif 000008
【図７】
2019530275.tif 000009
【図８】
2019530275.tif 000010
【図９】
2019530275.tif 000011
【図１０】
2019530275.tif 000012
【手続補正書】
【提出日】平成31年3月22日(2019.3.22)
【手続補正１】
【補正対象書類名】特許請求の範囲
【補正対象項目名】全文
【補正方法】変更
【補正の内容】
【特許請求の範囲】
【請求項１】
信号を受信するための装置であって、前記装置は、
第１のネットワーク装置により送信された第１の信号および第２の信号を検出するよう構成される検出ユニットと、
前記第１の信号に基づいてＯＦＤＭシンボルのインデックス情報を取得し、前記第２の信号に基づいて第１の時間単位のインデックス情報を取得するよう構成される情報取得ユニットであって、前記ＯＦＤＭシンボルのインデックス情報は、前記第１の信号が位置するＯＦＤＭシンボルの第１の時間単位内のインデックスを示し、前記第１の時間単位のインデックス情報は、前記第２の信号が位置する第１の時間単位の第２の時間単位内のインデックスを示し、１つの第２の時間単位は、少なくとも２つの第１の時間単位を含み、それぞれの前記第１の時間単位は、少なくとも２つのОＦＤＭシンボルを含む、情報取得ユニットとを備える、
装置。
【請求項２】
前記第１の信号は、複数の第１の信号に含まれ、前記第２の信号は、複数の第２の信号に含まれ、互いに関連付けられている第１の信号および第２の信号は、１つの伝送ビームに位置する、請求項１に記載の装置。
【請求項３】
前記第１の信号は、複数の第１の信号に含まれ、前記第２の信号は、複数の第２の信号に含まれ、互いに関連付けられている第１の信号および第２の信号は、１つの第１の時間単位に位置する、
請求項１に記載の装置。
【請求項４】
前記第１の信号は同期信号であり、前記第２の信号はブロードキャスト信号である、
請求項１に記載の装置。
【請求項５】
前記第１の信号は、同期信号であり、前記第１の信号が位置する前記ＯＦＤＭシンボルの前記第１の時間単位内の前記インデックスは、前記同期信号の異なるシーケンスによって示される、請求項４に記載の装置。
【請求項６】
同期信号を伝送するための第１の時間単位において、異なるＯＦＤＭシンボルにおいて伝送される同期信号の第３の同期信号ｅＳＳＳのシーケンスは、対応するＯＦＤＭシンボルの前記第１の時間単位内のインデックスを示すために用いられ、
同期信号を伝送するための異なる第１の時間単位において、同じＯＦＤＭシンボルインデックスに対応するＯＦＤＭシンボルにおける第３の同期信号のシーケンスは同じであり、
同期信号を伝送するための第１の時間単位において、異なるＯＦＤＭシンボルにおいて伝送される同期信号における一次同期信号のシーケンスは同じであり、異なるＯＦＤＭシンボルにおいて伝送される同期信号における二次同期信号のシーケンスは同じであり、
同期信号を伝送するための異なる第１の時間単位において、異なるＯＦＤＭシンボルにおいて伝送される同期信号における一次同期信号のシーケンスは同じであり、
同期信号を伝送するために用いられ、同じ半分のフレームにおける異なる第１の時間単位において、異なるＯＦＤＭシンボルにおいて伝送される同期信号における二次同期信号のシーケンスは同じである、
請求項５に記載の装置。
【請求項７】
前記第１の信号が同期信号であり、前記第２の信号がブロードキャスト信号であるとき、
前記ブロードキャスト信号のシグナリングは、前記ブロードキャスト信号の第１の時間単位のインデックス情報を明示的に示し、
前記ブロードキャスト信号のＣＲＣのマスクは、前記ブロードキャスト信号に対応するＯＦＤＭシンボルのインデックス情報または前記ブロードキャスト信号に対応する同期信号のＯＦＤＭシンボルのインデックス情報を保持する、
請求項５または６に記載の装置。
【請求項８】
前記第１の時間単位は、４つのＯＦＤＭシンボルであり、前記第２の時間単位は、少なくとも８つのＯＦＤＭシンボルを含む、請求項１から７のいずれか一項に記載の装置。
【請求項９】
信号を受信するための方法であって、前記方法は、
第２のネットワーク装置が、第１のネットワーク装置により送信された第１の信号および第２の信号を検出する段階と、
前記第２のネットワーク装置が、前記第１の信号に基づいてＯＦＤＭシンボルのインデックス情報を取得し、前記第２の信号に基づいて第１の時間単位のインデックス情報を取得する段階であって、前記ＯＦＤＭシンボルのインデックス情報は、前記第１の信号が位置するＯＦＤＭシンボルの第１の時間単位内のインデックスを示し、前記第１の時間単位のインデックス情報は、前記第２の信号が位置する第１の時間単位の第２の時間単位内のインデックスを示し、１つの第２の時間単位は、少なくとも２つの第１の時間単位を含み、それぞれの前記第１の時間単位は、少なくとも２つのОＦＤＭシンボルを含む、段階とを備える、
方法。
【請求項１０】
前記第１の信号は、複数の第１の信号に含まれ、前記第２の信号は、複数の第２の信号に含まれ、互いに関連付けられている第１の信号および第２の信号は、１つの伝送ビームに位置する、
請求項９に記載の方法。
【請求項１１】
前記第１の信号は、複数の第１の信号に含まれ、前記第２の信号は、複数の第２の信号に含まれ、互いに関連付けられる第１の信号および第２の信号は、１つの第１の時間単位に位置する、請求項９に記載の方法。
【請求項１２】
前記第１の信号は同期信号であり、前記第２の信号はブロードキャスト信号である、
請求項９に記載の方法。
【請求項１３】
前記第１の信号は同期信号であり、前記第１の信号が位置する前記ＯＦＤＭシンボルの前記第１の時間単位内の前記インデックスは、前記同期信号の異なるシーケンスにより示される、
請求項１２に記載の方法。
【請求項１４】
同期信号を伝送するための第１の時間単位において、異なるＯＦＤＭシンボルにおいて伝送される同期信号の第３の同期信号ｅＳＳＳのシーケンスは、対応するＯＦＤＭシンボルの前記第１の時間単位内のインデックスを示すために用いられ、
同期信号を伝送するための異なる第１の時間単位において、同じＯＦＤＭシンボルインデックスに対応するＯＦＤＭシンボルにおける第３の同期信号のシーケンスは同じであり、
同期信号を伝送するための第１の時間単位において、異なるＯＦＤＭシンボルにおいて伝送される同期信号における一次同期信号のシーケンスは同じであり、異なるＯＦＤＭシンボルにおいて伝送される同期信号における二次同期信号のシーケンスは同じであり、
同期信号を伝送するための異なる第１の時間単位において、異なるＯＦＤＭシンボルにおいて伝送される同期信号における一次同期信号のシーケンスは同じであり、
同期信号を伝送するために用いられ、同じ半分のフレームにおける異なる第１の時間単位において、異なるＯＦＤＭシンボルにおいて伝送される同期信号における二次同期信号のシーケンスは同じである、
請求項１３に記載の方法。
【請求項１５】
セルまたはスーパーセルに対して、前記第１の信号が同期信号であり、前記第２の信号がブロードキャスト信号であるとき、
前記ブロードキャスト信号のシグナリングは、前記ブロードキャスト信号の第１の時間単位のインデックス情報を明示的に示し、
前記ブロードキャスト信号におけるＣＲＣのマスクは、前記ブロードキャスト信号に対応するＯＦＤＭシンボルのインデックス情報または前記ブロードキャスト信号に対応する同期信号のＯＦＤＭシンボルのインデックス情報を保持する、
請求項１３また１４に記載の方法。
【請求項１６】
前記第１の時間単位は、４つのＯＦＤＭシンボルであり、前記第２の時間単位は、少なくとも８つのＯＦＤＭシンボルを含む、請求項９から１５のいずれか一項に記載の方法。
【請求項１７】
プロセッサおよびメモリを備える装置であって、前記プロセッサは、前記メモリと連結され、前記プロセッサは、請求項９から１６のいずれか一項に記載の方法における動作を実行するよう構成される、
装置。
【請求項１８】
記録されている命令を有するプログラムであって、前記命令は、コンピュータに請求項９から１６のいずれか一項に記載の方法を実行させる、
プログラム。
【手続補正２】
【補正対象書類名】明細書
【補正対象項目名】全文
【補正方法】変更
【補正の内容】
【発明の詳細な説明】
【技術分野】
【０００１】
本出願は、通信分野に関し、特に信号送信装置、信号受信装置、および方法に関する。
【背景技術】
【０００２】
ロングタームエボリューション（ＬＴＥ）技術において、セルサーチを行うとき、ユーザ機器（ＵＥ）は、セルに対応する発展型Ｎｏｄｅ  Ｂ（ｅＮＢ）とフレーム同期を実行する必要がある。
【０００３】
時分割複信（ＴＤＤ）または周波数分割複信（ＦＤＤ）を用いるＬＴＥにおいて、ＵＥはまず、予め記憶された一次同期シーケンスを、ｅＮＢにより送信された無線フレームと関連付け、最大相関ピークに基づき、一次同期チャネル（ＰＳＣＨ）の無線フレーム内の位置を決定する。ＰＳＣＨの位置を決定した後に、ＵＥはさらに、ＰＳＣＨと二次同期チャネル（ＳＳＣＨ）との間の位置関係に基づき、ＳＳＣＨの無線フレーム内の位置を決定し、ＳＳＣＨの位置に基づいて無線フレームのフレーム境界を決定してフレーム同期を完了させる。
【０００４】
１つのビームのみがＬＴＥにおいて無線フレームを伝送するために用いられるので、ＵＥは、１組の同期信号を用いることによってフレーム同期を完了させることができる。第５世代移動通信技術（５Ｇ）において、各無線フレームは、異なる時点において異なるビームを用いることによって伝送される。同期信号の無線フレーム内の位置は、異なるビームにおいて異なる。その結果、無線フレームのフレーム同期は、前述のフレーム同期メカニズムを用いることによって実行されることができない。
【発明の概要】
【０００５】
同期信号の無線フレーム内の位置が異なるビームにおいて異なるがゆえに、無線フレームのフレーム同期は既存の同期メカニズムを用いることによって実行されることができないという課題を解決するために、本願の実施形態は、信号送信装置、信号受信装置、および方法を提供する。技術的解決手段は、以下の通りである。
【０００６】
第１の態様によれば、信号送信方法が提供され、方法は、第１のネットワーク装置が、Ｘ個の第１の信号およびＹ個の第２の信号を送信する段階であって、それぞれの第２の信号は少なくとも１つの第１の信号と関連付けられ、Ｘは１以上の整数であり、Ｙは１以上の整数である、段階を備え、第１の信号は、直交周波数分割多重シンボル（ＯＦＤＭシンボル）のインデックス情報を保持し、ＯＦＤＭシンボルのインデックス情報は、第１の信号が位置するＯＦＤＭシンボルの第１の時間単位内のインデックスを示し、第２の信号は、第１の時間単位のインデックス情報を保持し、第１の時間単位のインデックス情報は、第２の信号が位置する第１の時間単位の第２の時間単位内のインデックスを示し、１つの第２の時間単位は、少なくとも２つの第１の時間単位を含み、それぞれの第１の時間単位は、少なくとも２つのОＦＤＭシンボルを含む。
【０００７】
第１の態様において示されている解決手段において、信号を送信するとき、第１のネットワーク装置は、Ｘ個の第１の信号およびＹ個の第２の信号を送信し、それぞれの第２の信号は、少なくとも１つの第１の信号と関連付けられ、第１の信号に保持されているＯＦＤＭシンボルのインデックス情報は、第１の信号が位置するＯＦＤＭシンボルの第１の時間単位内のインデックスを示し、第２の信号に保持されている第１の時間単位のインデックス情報は、第２の信号が位置する第１の時間単位の第２の時間単位内のインデックスを示し、すなわち、第１の信号が位置するＯＦＤＭシンボルの第２の時間単位内の位置を、１つの第２の信号と１つの関連付けられた第１の信号との組み合わせを用いることによって特定することができる。
【０００８】
１つの第２の時間単位は、少なくとも２つの第１の時間単位を含み、それぞれの第１の時間単位は、少なくとも２つのОＦＤＭシンボルを含み、第２のネットワーク装置は、第１のネットワーク装置により送信されたＸ個の第１の信号のうち１つおよびＹ個の第２の信号のうち１つを検出し、第１の信号に基づいてＯＦＤＭシンボルのインデックス情報を取得して、第２の信号に基づいて第１の時間単位のインデックス情報を取得し、第２の時間単位における第１の信号の位置を決定し、それによって、フレームタイミングを実行する。
【０００９】
任意選択的に、Ｘ個の第１の信号およびＹ個の第２の信号のうち、互いに関連付けられている１つの第１の信号および１つの第２の信号は、１つの伝送ビームに位置する。
【００１０】
任意選択的に、Ｘ個の第１の信号およびＹ個の第２の信号のうち、互いに関連付けられている１つの第１の信号および１つの第２の信号は、１つの第１の時間単位に位置する。
【００１１】
任意選択的に、セルまたはスーパーセルに対して、第１の信号は同期信号であり、第２の信号はブロードキャスト信号であるか、または、第１の信号はブロードキャスト信号であり、第２の信号は同期信号であるか、または、第１の信号は同期信号であり、第２の信号は同期信号である。
【００１２】
任意選択的に、同期信号は、一次同期信号および二次同期信号を含むか、または、同期信号は、一次同期信号、二次同期信号、および第３の同期信号ｅＳＳＳを含み、各同期信号に含まれている一次同期信号および二次同期信号は、１つの第１の時間単位に位置する。
【００１３】
任意選択的に、第１の時間単位は、サブフレームまたはタイムスロットである。
【００１４】
任意選択的に、セルまたはスーパーセルに対して、第１の信号は同期信号であり、第１の信号が位置するＯＦＤＭシンボルの第１の時間単位内のインデックスは、同期信号の異なるシーケンスにより示される。
【００１５】
任意選択的に、セルまたはスーパーセルに対して、同期信号を伝送するための第１の時間単位において、異なるＯＦＤＭシンボルにおいて伝送される同期信号における一次同期信号のシーケンスは、対応するＯＦＤＭシンボルの第１の時間単位内のインデックスを示すために用いられ、同期信号を伝送するための異なる第１の時間単位において、同じＯＦＤＭシンボルインデックスに対応するＯＦＤＭシンボルにおける一次同期信号のシーケンスは同じであり、同期信号を伝送するための第１の時間単位において、異なるＯＦＤＭシンボルにおいて伝送される同期信号における二次同期信号のシーケンスは同じであり、同期信号を伝送するために用いられ、同じ半分のフレームにおける異なる第１の時間単位において、異なるＯＦＤＭシンボルにおいて伝送される同期信号における二次同期信号のシーケンスは同じである。
【００１６】
任意選択的に、セルまたはスーパーセルに対して、同期信号を伝送するための第１の時間単位において、異なるＯＦＤＭシンボルにおいて伝送される同期信号における二次同期信号のシーケンスは、対応するＯＦＤＭシンボルの第１の時間単位内のインデックスを示すために用いられ、同期信号を伝送するために用いられ、同じの半分のフレームにおける異なる第１の時間単位において、同じＯＦＤＭシンボルインデックスに対応するＯＦＤＭシンボルにおける二次同期信号のシーケンスは同じであり、同期信号を伝送するための第１の時間単位において、異なるＯＦＤＭシンボルにおいて伝送される同期信号における一次同期信号のシーケンスは同じであり、同期信号を伝送するための異なる第１の時間単位において、異なるＯＦＤＭシンボルにおいて伝送される同期信号における一次同期信号のシーケンスは同じである。
【００１７】
任意選択的に、同じセルまたはスーパーセルに対して、同期信号を伝送するための第１の時間単位において、異なるＯＦＤＭシンボルにおいて伝送される同期信号の第３の同期信号ｅＳＳＳのシーケンスは、対応するＯＦＤＭシンボルの第１の時間単位内のインデックスを示すために用いられ、同期信号を伝送するための異なる第１の時間単位において、同じＯＦＤＭシンボルインデックスに対応するＯＦＤＭシンボルにおける第３の同期信号のシーケンスは同じであり、同期信号を伝送するための第１の時間単位において、異なるＯＦＤＭシンボルにおいて伝送される同期信号における一次同期信号のシーケンスは同じであり、異なるＯＦＤＭシンボルにおいて伝送される同期信号における二次同期信号のシーケンスは同じであり、同期信号を伝送するための異なる第１の時間単位において、異なるＯＦＤＭシンボルにおいて伝送される同期信号における一次同期信号のシーケンスは同じであり、同期信号を伝送するために用いられ、同じ半分のフレームにおける異なる第１の時間単位において、異なるＯＦＤＭシンボルにおいて伝送される同期信号における二次同期信号のシーケンスは同じである。
【００１８】
任意選択的に、セルまたはスーパーセルに対して、同期信号を伝送するための第１の時間単位において、異なるＯＦＤＭシンボルにおいて伝送される同期信号の第３の同期信号ｅＳＳＳのシーケンスは、対応するＯＦＤＭシンボルの第１の時間単位内のインデックスを示すために用いられ、異なるＯＦＤＭシンボルにおいて伝送される同期信号における一次同期信号のシーケンスは、第１の時間単位の第２の時間単位内のインデックスを示すために用いられ、同期信号を伝送するための異なる第１の時間単位において、同じＯＦＤＭシンボルインデックスに対応するＯＦＤＭシンボルにおける第３の同期信号のシーケンスは同じであり、同期信号を伝送するための第１の時間単位において、異なるＯＦＤＭシンボルにおいて伝送される同期信号における二次同期信号のシーケンスは同じであり、同期信号を伝送するために用いられ、同じ半分のフレームにおける異なる第１の時間単位において、異なるＯＦＤＭシンボルにおいて伝送される同期信号における二次同期信号のシーケンスは同じである。
【００１９】
任意選択的に、セルまたはスーパーセルに対して、同期信号を伝送するための第１の時間単位において、異なるＯＦＤＭシンボルにおいて伝送される同期信号の第３の同期信号ｅＳＳＳのシーケンスは、対応するＯＦＤＭシンボルの第１の時間単位内のインデックスを示すために用いられ、異なるＯＦＤＭシンボルにおいて伝送される同期信号における二次同期信号のシーケンスは、第１の時間単位の第２の時間単位内のインデックスを示すために用いられ、同期信号を伝送するための異なる第１の時間単位において、同じＯＦＤＭシンボルインデックスに対応するＯＦＤＭシンボルにおける第３の同期信号のシーケンスは同じであり、同期信号を伝送するための第１の時間単位において、異なるＯＦＤＭシンボルにおいて伝送される同期信号における一次同期信号のシーケンスは同じであり、同期信号を伝送するための異なる第１の時間単位において、異なるＯＦＤＭシンボルにおいて伝送される同期信号における一次同期信号のシーケンスは同じである。
【００２０】
任意選択的に、セルまたはスーパーセルに対して、同期信号を伝送するための第１の時間単位において、異なるＯＦＤＭシンボルにおいて伝送される同期信号の一次同期信号のシーケンスは、対応するＯＦＤＭシンボルの第１の時間単位内のインデックスを示すために用いられ、異なるＯＦＤＭシンボルにおいて伝送される同期信号における二次同期信号のシーケンスは、第１の時間単位の第２の時間単位内のインデックスを示すために用いられ、同期信号を伝送するための異なる第１の時間単位において、同じＯＦＤＭシンボルインデックスに対応するＯＦＤＭシンボルにおける一次同期信号のシーケンスは同じである。
【００２１】
任意選択的に、セルまたはスーパーセルに対して、同期信号を伝送するための第１の時間単位において、異なるＯＦＤＭシンボルにおいて伝送される同期信号における二次同期信号のシーケンスは、対応するＯＦＤＭシンボルの第１の時間単位内のインデックスを示すために用いられ、異なるＯＦＤＭシンボルにおいて伝送される同期信号における一次同期信号のシーケンスは、第１の時間単位の第２の時間単位内のインデックスを示すために用いられ、同期信号を伝送するために用いられ、同じ半分のフレームにおける異なる第１の時間単位において、同じＯＦＤＭシンボルインデックスに対応するＯＦＤＭシンボルにおける二次同期信号のシーケンスは同じである。
【００２２】
任意選択的に、セルまたはスーパーセルに対して、同期信号における一次同期信号のシーケンスは、１つのセルＩＤグループにおけるセルＩＤ情報を識別するために用いられ、同期信号における二次同期信号のシーケンスは、セルＩＤグループの情報を識別するために用いられる。
【００２３】
任意選択的に、セルまたはスーパーセルに対して、第１の信号が同期信号であり、第２の信号がブロードキャスト信号であるとき、ブロードキャスト信号のシグナリングは、ブロードキャスト信号の第１の時間単位のインデックス情報を明示的に示し、および／または、ブロードキャスト信号におけるスクランブリングコードは、第１の時間単位のインデックス情報を保持し、および／または、ブロードキャスト信号における巡回冗長検査コードＣＲＣのマスクは、第１の時間単位のインデックス情報を保持する。
【００２４】
任意選択的に、セルまたはスーパーセルに対して、第１の信号が同期信号であり、第２の信号がブロードキャスト信号であるとき、ブロードキャスト信号のシグナリングはブロードキャスト信号の第１の時間単位のインデックス情報を明示的に示し、ブロードキャスト信号におけるスクランブリングコードは、ブロードキャスト信号に対応するＯＦＤＭシンボルのインデックス情報またはブロードキャスト信号に対応する同期信号のＯＦＤＭシンボルのインデックス情報を保持する。
【００２５】
任意選択的に、セルまたはスーパーセルに対して、第１の信号が同期信号であり、第２の信号がブロードキャスト信号であるとき、ブロードキャスト信号のシグナリングは、ブロードキャスト信号の第１の時間単位のインデックス情報を明示的に示し、ブロードキャスト信号におけるＣＲＣのマスクは、ブロードキャスト信号に対応するＯＦＤＭシンボルのインデックス情報またはブロードキャスト信号に対応する同期信号のＯＦＤＭシンボルのインデックス情報を保持する。
【００２６】
任意選択的に、セルまたはスーパーセルに対して、第１の時間単位のインデックスの最大数は、１つの第２の時間単位における第１の時間単位の数より小さい、またはそれに等しい。
【００２７】
任意選択的に、セルまたはスーパーセルに対して、第１のネットワーク装置により１つの第２の時間単位において第１の信号を送信するための第１の時間単位の位置は可変である。
【００２８】
任意選択的に、セルまたはスーパーセルに対して、第１のネットワーク装置により１つの第２の時間単位において第２の信号を送信するための第１の時間単位の位置は可変である。
【００２９】
任意選択的に、セルまたはスーパーセルに対して、第１のネットワーク装置により１つの第２の時間単位において第１の信号を送信するために占有されている第１の時間単位の数は可変である。
【００３０】
任意選択的に、セルまたはスーパーセルに対して、第１のネットワーク装置により１つの第２の時間単位において第２の信号を送信するために占有されている第１の時間単位の数は可変である。
【００３１】
任意選択的に、セルまたはスーパーセルに対して、第１の信号に対応する時間−周波数リソースは、第２の信号に対応する時間−周波数リソースと関連付けられる。
【００３２】
任意選択的に、セルまたはスーパーセルに対して、第１の信号に対応する時間−周波数リソースおよび第２の信号に対応する時間−周波数リソースは、同じＯＦＤＭシンボルにおいて周波数分割多重化されるか、または、第１の信号に対応する時間−周波数リソースおよび第２の信号に対応する時間−周波数リソースは、異なるＯＦＤＭシンボルにおいて時分割多重化される。
【００３３】
第２の態様によれば、信号受信方法が提供され、方法は、第２のネットワーク装置が、第１のネットワーク装置により送信されたＸ個の第１の信号のうち１つおよびＹ個の第２の信号のうち１つを検出する段階であって、Ｘは１以上の整数であり、Ｙは１以上の整数である、段階と、第２のネットワーク装置が、第１の信号に基づいてＯＦＤＭシンボルのインデックス情報を取得し、第２の信号に基づいて第１の時間単位のインデックス情報を取得する段階であって、ＯＦＤＭシンボルのインデックス情報は、第１の信号が位置するＯＦＤＭシンボルの第１の時間単位内のインデックスを示し、第１の時間単位のインデックス情報は、第２の信号が位置する第１の時間単位の第２の時間単位内のインデックスを示し、１つの第２の時間単位は、少なくとも２つの第１の時間単位を含み、それぞれの第１の時間単位は、少なくとも２つのОＦＤＭシンボルを含む、段階とを備える。
【００３４】
任意選択的に、Ｘ個の第１の信号およびＹ個の第２の信号のうち、互いに関連付けられている１つの第１の信号および１つの第２の信号は、１つの伝送ビームに位置する。
【００３５】
任意選択的に、Ｘ個の第１の信号およびＹ個の第２の信号のうち、互いに関連付けられている１つの第１の信号および１つの第２の信号は、１つの第１の時間単位に位置する。
【００３６】
任意選択的に、セルまたはスーパーセルに対して、第１の信号は同期信号であり、第２の信号はブロードキャスト信号であるか、または、第１の信号はブロードキャスト信号であり、第２の信号は同期信号であるか、または、第１の信号は同期信号であり、第２の信号は同期信号である。
【００３７】
任意選択的に、同期信号は、一次同期信号および二次同期信号を含むか、または、同期信号は、一次同期信号、二次同期信号、および第３の同期信号ｅＳＳＳを含み、各同期信号に含まれている一次同期信号および二次同期信号は、１つの第１の時間単位に位置する。
【００３８】
任意選択的に、第１の時間単位は、サブフレームまたはタイムスロットである。
【００３９】
任意選択的に、セルまたはスーパーセルに対して、第１の信号は同期信号であり、第１の信号が位置するＯＦＤＭシンボルの第１の時間単位内のインデックスは、同期信号の異なるシーケンスにより示される。
【００４０】
任意選択的に、セルまたはスーパーセルに対して、同期信号を伝送するための第１の時間単位において、異なるＯＦＤＭシンボルにおいて伝送される同期信号における一次同期信号のシーケンスは、対応するＯＦＤＭシンボルの第１の時間単位内のインデックスを示すために用いられ、同期信号を伝送するための異なる第１の時間単位において、同じＯＦＤＭシンボルインデックスに対応するＯＦＤＭシンボルにおける一次同期信号のシーケンスは同じであり、同期信号を伝送するための第１の時間単位において、異なるＯＦＤＭシンボルにおいて伝送される同期信号における二次同期信号のシーケンスは同じであり、同期信号を伝送するために用いられ、同じ半分のフレームにおける異なる第１の時間単位において、異なるＯＦＤＭシンボルにおいて伝送される同期信号における二次同期信号のシーケンスは同じである。
【００４１】
任意選択的に、セルまたはスーパーセルに対して、同期信号を伝送するための第１の時間単位において、異なるＯＦＤＭシンボルにおいて伝送される同期信号における二次同期信号のシーケンスは、対応するＯＦＤＭシンボルの第１の時間単位内のインデックスを示すために用いられ、同期信号を伝送するために用いられ、同じ半分のフレームにおける異なる第１の時間単位において、同じＯＦＤＭシンボルインデックスに対応するＯＦＤＭシンボルにおける二次同期信号のシーケンスは同じであり、同期信号を伝送するための第１の時間単位において、異なるＯＦＤＭシンボルにおいて伝送される同期信号における一次同期信号のシーケンスは同じであり、同期信号を伝送するための異なる第１の時間単位において、異なるＯＦＤＭシンボルにおいて伝送される同期信号における一次同期信号のシーケンスは同じである。
【００４２】
任意選択的に、セルまたはスーパーセルに対して、同期信号を伝送するための第１の時間単位において、異なるＯＦＤＭシンボルにおいて伝送される同期信号の第３の同期信号ｅＳＳＳのシーケンスは、対応するＯＦＤＭシンボルの第１の時間単位内のインデックスを示すために用いられ、同期信号を伝送するための異なる第１の時間単位において、同じＯＦＤＭシンボルインデックスに対応するＯＦＤＭシンボルにおける第３の同期信号のシーケンスは同じであり、同期信号を伝送するための第１の時間単位において、異なるＯＦＤＭシンボルにおいて伝送される同期信号における一次同期信号のシーケンスは同じであり、異なるＯＦＤＭシンボルにおいて伝送される同期信号における二次同期信号のシーケンスは同じであり、同期信号を伝送するための異なる第１の時間単位において、異なるＯＦＤＭシンボルにおいて伝送される同期信号における一次同期信号のシーケンスは同じであり、同期信号を伝送するために用いられ、同じ半分のフレームにおける異なる第１の時間単位において、異なるＯＦＤＭシンボルにおいて伝送される同期信号における二次同期信号のシーケンスは同じである。
【００４３】
任意選択的に、セルまたはスーパーセルに対して、同期信号を伝送するための第１の時間単位において、異なるＯＦＤＭシンボルにおいて伝送される同期信号の第３の同期信号ｅＳＳＳのシーケンスは、対応するＯＦＤＭシンボルの第１の時間単位内のインデックスを示すために用いられ、異なるＯＦＤＭシンボルにおいて伝送される同期信号における一次同期信号のシーケンスは、第１の時間単位の第２の時間単位内のインデックスを示すために用いられ、同期信号を伝送するための異なる第１の時間単位において、同じＯＦＤＭシンボルインデックスに対応するＯＦＤＭシンボルにおける第３の同期信号のシーケンスは同じであり、同期信号を伝送するための第１の時間単位において、異なるＯＦＤＭシンボルにおいて伝送される同期信号における二次同期信号のシーケンスは同じであり、同期信号を伝送するために用いられ、同じ半分のフレームにおける異なる第１の時間単位において、異なるＯＦＤＭシンボルにおいて伝送される同期信号における二次同期信号のシーケンスは同じである。
【００４４】
任意選択的に、セルまたはスーパーセルに対して、同期信号を伝送するための第１の時間単位において、異なるＯＦＤＭシンボルにおいて伝送される同期信号の第３の同期信号ｅＳＳＳのシーケンスは、対応するＯＦＤＭシンボルの第１の時間単位内のインデックスを示すために用いられ、異なるＯＦＤＭシンボルにおいて伝送される同期信号における二次同期信号のシーケンスは、第１の時間単位の第２の時間単位内のインデックスを示すために用いられ、同期信号を伝送するための異なる第１の時間単位において、同じＯＦＤＭシンボルインデックスに対応するＯＦＤＭシンボルにおける第３の同期信号のシーケンスは同じであり、同期信号を伝送するための第１の時間単位において、異なるＯＦＤＭシンボルにおいて伝送される同期信号における一次同期信号のシーケンスは同じであり、同期信号を伝送するための異なる第１の時間単位において、異なるＯＦＤＭシンボルにおいて伝送される同期信号における一次同期信号のシーケンスは同じである。
【００４５】
任意選択的に、セルまたはスーパーセルに対して、同期信号を伝送するための第１の時間単位において、異なるＯＦＤＭシンボルにおいて伝送される同期信号における一次同期信号のシーケンスは、対応するＯＦＤＭシンボルの第１の時間単位内のインデックスを示すために用いられ、異なるＯＦＤＭシンボルにおいて伝送される同期信号における二次同期信号のシーケンスは、第１の時間単位の第２の時間単位内のインデックスを示すために用いられ、同期信号を伝送するための異なる第１の時間単位において、同じＯＦＤＭシンボルインデックスに対応するＯＦＤＭシンボルにおける一次同期信号のシーケンスは同じである。
【００４６】
任意選択的に、セルまたはスーパーセルに対して、同期信号を伝送するための第１の時間単位において、異なるＯＦＤＭシンボルにおいて伝送される同期信号における二次同期信号のシーケンスは、対応するＯＦＤＭシンボルの第１の時間単位内のインデックスを示すために用いられ、異なるＯＦＤＭシンボルにおいて伝送される同期信号における一次同期信号のシーケンスは、第１の時間単位の第２の時間単位内のインデックスを示すために用いられ、同期信号を伝送するために用いられ、同じ半分のフレームにおける異なる第１の時間単位において、同じＯＦＤＭシンボルインデックスに対応するＯＦＤＭシンボルにおける二次同期信号のシーケンスは同じである。
【００４７】
任意選択的に、セルまたはスーパーセルに対して、同期信号における一次同期信号のシーケンスは、１つのセルＩＤグループにおけるセルＩＤ情報を識別するために用いられ、同期信号における二次同期信号のシーケンスは、セルＩＤグループの情報を識別するために用いられる。
【００４８】
任意選択的に、セルまたはスーパーセルに対して、第１の信号が同期信号であり、第２の信号がブロードキャスト信号であるとき、ブロードキャスト信号のシグナリングは、ブロードキャスト信号の第１の時間単位のインデックス情報を明示的に示し、および／または、ブロードキャスト信号におけるスクランブリングコードは、第１の時間単位のインデックス情報を保持し、および／または、ブロードキャスト信号における巡回冗長検査コードＣＲＣのマスクは、第１の時間単位のインデックス情報を保持する。
【００４９】
任意選択的に、セルまたはスーパーセルに対して、第１の信号が同期信号であり、第２の信号がブロードキャスト信号であるとき、ブロードキャスト信号のシグナリングは、ブロードキャスト信号の第１の時間単位のインデックス情報を明示的に示し、ブロードキャスト信号におけるスクランブリングコードは、ブロードキャスト信号に対応するＯＦＤＭシンボルのインデックス情報またはブロードキャスト信号に対応する同期信号のＯＦＤＭシンボルのインデックス情報を保持する。
【００５０】
任意選択的に、セルまたはスーパーセルに対して、第１の信号が同期信号であり、第２の信号がブロードキャスト信号であるとき、ブロードキャスト信号のシグナリングは、ブロードキャスト信号の第１の時間単位のインデックス情報を明示的に示し、ブロードキャスト信号におけるＣＲＣのマスクは、ブロードキャスト信号に対応するＯＦＤＭシンボルのインデックス情報またはブロードキャスト信号に対応する同期信号のＯＦＤＭシンボルのインデックス情報を保持する。
【００５１】
任意選択的に、セルまたはスーパーセルに対して、第１の時間単位のインデックスの最大数は、１つの第２の時間単位における第１の時間単位の数より小さい、またはそれに等しい。
【００５２】
任意選択的に、セルまたはスーパーセルに対して、第１のネットワーク装置により１つの第２の時間単位において第１の信号を送信するための第１の時間単位の位置は可変である。
【００５３】
任意選択的に、セルまたはスーパーセルに対して、第１のネットワーク装置により１つの第２の時間単位において第２の信号を送信するための第１の時間単位の位置は可変である。
【００５４】
任意選択的に、セルまたはスーパーセルに対して、第１のネットワーク装置により１つの第２の時間単位において第１の信号を送信するために占有されている第１の時間単位の数は可変である。
【００５５】
任意選択的に、セルまたはスーパーセルに対して、第１のネットワーク装置により１つの第２の時間単位において第２の信号を送信するために占有されている第１の時間単位の数は可変である。
【００５６】
任意選択的に、セルまたはスーパーセルに対して、第１の信号に対応する時間−周波数リソースは、第２の信号に対応する時間−周波数リソースと関連付けられる。
【００５７】
任意選択的に、セルまたはスーパーセルに対して、第１の信号に対応する時間−周波数リソースおよび第２の信号に対応する時間−周波数リソースは、同じＯＦＤＭシンボルにおいて周波数分割多重化されるか、または、第１の信号に対応する時間−周波数リソースおよび第２の信号に対応する時間−周波数リソースは、異なるＯＦＤＭシンボルにおいて時分割多重化される。
【００５８】
第３の態様によれば、本願の実施形態は、信号送信装置を提供し、信号送信装置は、少なくとも１つのユニットを備え、少なくとも１つのユニットは、前述の第１の態様または第１の態様の様々な任意選択的な実装方式において提供されている信号送信方法を実行するよう構成される。
【００５９】
第４の態様によれば、本願の実施形態は、信号検出装置を提供し、信号検出装置は、少なくとも１つのユニットを備え、少なくとも１つのユニットは、前述の第２の態様または第２の態様の様々な任意選択的な実装方式において提供されている信号受信方法を実行するよう構成される。
【００６０】
第５の態様によれば、本願の実施形態は、ネットワーク装置を提供し、ネットワーク装置は、プロセッサおよびメモリを備え、メモリは、少なくとも１つの命令、少なくとも１つのプログラム、コードセット、または命令セットを記憶し、プロセッサは、少なくとも１つの命令、少なくとも１つのプログラム、コードセット、または命令セットを実行することによって、前述の第１の態様または第１の態様の様々な任意選択的な実装方式において提供されている信号送信方法を実行する。
【００６１】
第６の態様によれば、本願の実施形態は、ネットワーク装置を提供し、ネットワーク装置は、プロセッサおよびメモリを備え、メモリは、少なくとも１つの命令、少なくとも１つのプログラム、コードセット、または命令セットを記憶し、プロセッサは、少なくとも１つの命令、少なくとも１つのプログラム、コードセット、または命令セットを実行することによって、前述の第２の態様または第２の態様の様々な任意選択的な実装方式において提供されている信号受信方法を実行する。
【００６２】
第７の態様によれば、本願の実施形態はさらに、コンピュータ可読記憶媒体を提供し、コンピュータ可読記憶媒体は、少なくとも１つの命令、少なくとも１つのプログラム、コードセット、または命令セットを記憶し、少なくとも１つの命令、少なくとも１つのプログラム、コードセット、または命令セットは、ネットワーク装置のプロセッサにより実行され、前述の第１の態様または第１の態様の様々な任意選択的な実装方式において提供されている信号送信方法の命令を実行し得るか、または、少なくとも１つの命令、少なくとも１つのプログラム、コードセット、または命令セットは、ネットワーク装置のプロセッサにより実行され、第２の態様または第２の態様の様々な任意選択的な実装方式において提供されている信号受信方法の命令を実行し得る。
【図面の簡単な説明】
【００６３】
【図１】本願において用いられるネットワーク環境のアーキテクチャ図である。
【００６４】
【図２】本出願の一実施形態に係るネットワーク装置の概略構造図である。
【００６５】
【図３】本出願の一実施形態に係る信号送信方法のフローチャートである。
【００６６】
【図４】図３に示されている実施形態において用いられる第２の時間単位に基づく区分の概略図である。
【００６７】
【図５】図３に示されている実施形態において用いられる１種類のリソースマッピングの概略図である。
【００６８】
【図６】図３に示されている実施形態において用いられる１種類のリソースマッピングの概略図である。
【図７】図３に示されている実施形態において用いられる１種類のリソースマッピングの概略図である。
【図８】図３に示されている実施形態において用いられる１種類のリソースマッピングの概略図である。
【００６９】
【図９】本出願の一実施形態に係る信号送信装置のブロック図である。
【００７０】
【図１０】本出願の一実施形態に係る信号受信装置のブロック図である。
【発明を実施するための形態】
【００７１】
本願の目的、技術的解決手段、および利点をより明白にするために、以下ではさらに、添付図面を参照して、本願の実装方式を詳細に説明する。
【００７２】
本明細書において言及される「いくつか」は、１または複数であることを意味し、「複数の」は２つまたはそれよりより多いことを意味することが理解されるべきである。「および／または」という用語は、関連付けられた物体を説明するための関連関係を説明し、３つの関係が存在し得ることを示す。例えば、Ａおよび／またはＢは、Ａのみが存在する、ＡおよびＢの両方が存在する、およびＢのみが存在するという３つの場合を示し得る。「／」という記号は概して、関連付けられた物体間の「または」という関係を示す。
【００７３】
図１は、本願において用いられるネットワーク環境のアーキテクチャ図である。ネットワーク環境は、以下のネットワーク装置を備える：第１のネットワーク装置１１０および第２のネットワーク装置１２０。
【００７４】
第１のネットワーク装置１１０および第２のネットワーク装置１２０は、同じ無線システムに位置する。例えば、（図１に示されているように、）第１のネットワーク装置１１０は無線アクセス装置であってよく、第２のネットワーク装置１２０は端末であってよい。代わりに、図１に示されているものとは反対に、第１のネットワーク装置１１０は端末であってよく、第２のネットワーク装置１２０は無線アクセス装置であってよい。
【００７５】
無線アクセス装置は、例えば、マクロセル、マイクロセル、またはピコセルのような独立基地局であってよい。代わりに、無線アクセス装置は、クラウド無線アクセスネットワークを形成する分散型基地局であってよい。代わりに、無線アクセス装置は、無線ルータであってよい。
【００７６】
端末は、無線通信機能を有する様々なハンドヘルド装置、車載装置、モノのインターネット装置、ウェアラブルデバイス、およびコンピュータ処理装置、または無線モデムに接続されている他の処理装置、および様々な形式のユーザ機器（英語表記：Ｕｓｅｒ  Ｅｑｕｉｐｍｅｎｔ、略してＵＥ）、移動局（英語表記：Ｍｏｂｉｌｅ  ｓｔａｔｉｏｎ、略してＭＳ）、端末（ｔｅｒｍｉｎａｌ）、端末機器（Ｔｅｒｍｉｎａｌ  Ｅｑｕｉｐｍｅｎｔ）、ソフトウェア端末などを含んでよい。説明を容易にするため、本願において、上で言及された装置は概して、端末またはＵＥと称される。
【００７７】
本願において示される解決手段において、第１のネットワーク装置１１０は、複数の異なるビーム上で信号を送信し得る。
【００７８】
図２は、本出願の一実施形態に係るネットワーク装置２０の概略構造図である。ネットワーク装置２０は、図１に示されているネットワーク環境における第１のネットワーク装置１１０または第２のネットワーク装置１２０として実行されてよい。図２に示されているように、ネットワーク装置２０は、プロセッサ２１および通信インタフェース２４を含んでよい。
【００７９】
プロセッサ２１は、１または複数の処理ユニットを含んでよい。処理ユニットは、中央演算処理装置（英語表記：ｃｅｎｔｒａｌ  ｐｒｏｃｅｓｓｉｎｇ  ｕｎｉｔ、ＣＰＵ）、ネットワークプロセッサ（英語表記：ｎｅｔｗｏｒｋ  ｐｒｏｃｅｓｓｏｒ、ＮＰ）、または同様のものであってよい。
【００８０】
通信インタフェース２４は、例えば、イーサネット（登録商標）インタフェースまたは光ファイバインタフェースのような有線ネットワークインタフェースを含んでよく、または、例えば、セルラネットワークインタフェースのような無線ネットワークインタフェースを含んでよい。例えば、ネットワーク装置が無線アクセス装置であるとき、通信インタフェース２４は、有線ネットワークインタフェースおよび無線ネットワークインタフェースの両方を含んでよい。有線ネットワークインタフェースは、ネットワーク装置２０と、無線システムにおける上層ネットワーク装置とを接続するよう構成され得る。無線ネットワークインタフェースは、信号カバレージ内の端末と通信するよう構成され得る。代わりに、ネットワーク装置が端末であるとき、通信インタフェース２４は、無線アクセス装置または別の端末と通信するよう構成される無線ネットワークインタフェースのみを含んでよい。
【００８１】
任意選択的に、ネットワーク装置２０はさらに、メモリ２３を含んでよい。プロセッサ２１は、バスを用いることによって、メモリ２３と通信インタフェース２４とに接続されてよい。
【００８２】
メモリ２３は、少なくとも１つの命令、少なくとも１つのプログラム、コードセット、または命令セットを記憶する。少なくとも１つの命令、少なくとも１つのプログラム、コードセット、または命令セットは、プロセッサ２１によりロードされて実行されることにより、第１のネットワーク装置により実行される段階であって、本出願の後続の実施形態における信号送信に関する段階を実行するか、または、少なくとも１つの命令、少なくとも１つのプログラム、コードセット、または命令セットは、プロセッサ２１によりロードされて実行されることにより、第２のネットワーク装置により実行される段階であって、後続の実施形態における信号受信に関する段階を実行する。
【００８３】
例えば、図２において、メモリ２３は、ソフトウェアプログラム２３ａを記憶するよう構成されてよい。ソフトウェアプログラム２３ａは、プロセッサ２１により実行され得る。加えて、メモリ２３はさらに、様々な種類のサービスデータまたはユーザデータを記憶し得る。
【００８４】
任意選択的に、図２に示されているように、ネットワーク装置２０が図１に示されているネットワーク環境における第１のネットワーク装置１１０として実行されるとき、ソフトウェアプログラム２３ａは、信号送信モジュール２３ａ１を含んでよい。
【００８５】
信号送信モジュール２３ａ１は、Ｘ個の第１の信号およびＹ個の第２の信号を送信するよう構成され、それぞれの第２の信号は、少なくとも１つの第１の信号と関連付けられ、Ｘは１以上の整数であり、Ｙは１以上の整数である。
【００８６】
任意選択的に、図２に示されているように、ネットワーク装置２０が図１に示されているネットワーク環境における第２のネットワーク装置１２０として実行されるとき、ソフトウェアプログラム２３ａは、検出モジュール２３ａ２および情報取得モジュール２３ａ３を含んでよい。
【００８７】
検出モジュール２３ａ２は、第１のネットワーク装置により送信されるＸ個の第１の信号のうち１つおよびＹ個の第２の信号のうち１つを検出するよう構成される。
【００８８】
情報取得モジュール２３ａ３は、第１の信号に基づいてＯＦＤＭシンボルのインデックス情報を取得し、第２の信号に基づいて第１の時間単位のインデックス情報を取得するよう構成され、ＯＦＤＭシンボルのインデックス情報は、第１の信号が位置するＯＦＤＭシンボルの第１の時間単位内のインデックスを示し、第１の時間単位のインデックス情報は、第２の信号が位置する第１の時間単位の第２の時間単位内のインデックスを示し、１つの第２の時間単位は、少なくとも２つの第１の時間単位を含み、それぞれの第１の時間単位は、少なくとも２つのОＦＤＭシンボルを含む。
【００８９】
任意選択的に、ネットワーク装置２０はさらに、出力装置２５および入力装置２７を含んでよい。出力装置２５および入力装置２７は、プロセッサ２１に接続される。出力装置２５は、情報を表示するよう構成されるディスプレイ、音声を再生するための電力増幅装置、プリンタ、または同様のものであってよい。出力装置２５はさらに、ディスプレイの画面、電力増幅装置、またはプリンタへの出力を提供するための出力コントローラを含んでよい。入力装置２７は、マウス、キーボード、電子スタイラス、またはタッチパネルなどのユーザにより情報を入力するために用いられる装置であってよい。入力装置２７はさらに、マウス、キーボード、電子スタイラス、またはタッチパネルなどの装置からの入力を受信および処理するよう構成される出力コントローラを含んでよい。
【００９０】
加えて、本願の実施形態はさらに、コンピュータ可読記憶媒体を提供する。コンピュータ可読記憶媒体は、少なくとも１つの命令、少なくとも１つのプログラム、コードセット、または命令セットを記憶する。少なくとも１つの命令、少なくとも１つのプログラム、コードセット、または命令セットは、ネットワーク装置のプロセッサにより実行されることにより、第１のネットワーク装置により実行される段階であって、本出願の後続の実施形態における信号送信に関する段階を完了し得るか、または、少なくとも１つの命令、少なくとも１つのプログラム、コードセット、または命令セットは、ネットワーク装置のプロセッサにより実行されることにより、第２のネットワーク装置により実行される段階であって、本出願の後続の実施形態における信号受信に関する段階を完了し得る。
【００９１】
コンピュータ可読記憶媒体は、ＲＯＭ、ランダムアクセスメモリ（ＲＡＭ）、ＣＤ−ＲＯＭ、磁気テープ、フロッピ（登録商標）ディスク、光データ記憶装置、または同様のものであってよい。
【００９２】
図３を参照すると、図３は、本出願の一実施形態に係る信号送信方法のフローチャートである。方法は、図１に示されているネットワーク環境における第１のネットワーク装置１１０において用いられてよい。図３に示されているように、信号送信方法は、以下の段階を備え得る。
【００９３】
段階３０１：第１のネットワーク装置が、Ｘ個の第１の信号およびＹ個の第２の信号を送信し、それぞれの第２の信号は、少なくとも１つの第１の信号と関連付けられ、Ｘは１以上の整数であり、Ｙは１以上の整数である。
【００９４】
本発明の本実施形態において、無線リソースは、第２の時間単位に基づき、時間ドメインにおいて区分され得る。それぞれの第２の時間単位は、少なくとも２つの第１の時間単位を含む。それぞれの第１の時間単位は、少なくとも２つのОＦＤＭシンボルを含む。例えば、第２の時間単位は１つの無線フレームであってよく、または、第２の時間単位は１つの無線フレームより小さくてよく（例えば、半分の無線フレーム）、または、第２の時間単位は１つの無線フレームよりも大きくてよい（例えば、２つまたはそれよりより多くの無線フレーム）。本発明の本実施形態における全ての後続の内容においては、説明のために、第２の時間単位が１つの無線フレームである例が用いられる。
【００９５】
セルまたはスーパーセルに対して、第１の信号は、ＯＦＤＭ（Ｏｒｔｈｏｇｏｎａｌ  Ｆｒｅｑｕｅｎｃｙ  Ｄｉｖｉｓｉｏｎ  Ｍｕｌｔｉｐｌｅｘｉｎｇ、直交周波数分割多重）シンボルのインデックス情報を保持し、ＯＦＤＭシンボルのインデックス情報は、第１の信号が位置するＯＦＤＭシンボルの第１の時間単位内のインデックスを示し、第２の信号は、第１の時間単位のインデックス情報を保持し、第１の時間単位のインデックス情報は、第２の信号が位置する第１の時間単位の無線フレーム内のインデックスを示し、無線フレームは、少なくとも２つの第１の時間単位を含み、それぞれの第１の時間単位は、少なくとも２つのОＦＤＭシンボルを含む。
【００９６】
無線フレームに含まれているＸ個の第１の信号のうち、それぞれの第１の信号は、第１の信号が位置するＯＦＤＭシンボルの第１の時間単位内のインデックスを示し、すなわち、第１の時間単位におけるどのＯＦＤＭシンボルが、第１の信号が位置するＯＦＤＭシンボルであるかを示す。無線フレームに含まれるX個の第２の信号のうち、それぞれの第２の信号は、第２の信号が位置する第１の時間単位のインデックスを示し、すなわち、無線フレーム内の、第２の信号が位置する第１の時間単位を示す。さらに、それぞれの第２の信号は、少なくとも１つの第１の信号に対応する。すなわち、１つの第１の信号と１つの第２の信号との組み合わせは、第１の信号を保持するＯＦＤＭシンボルの無線フレーム内の具体的な位置を示し得る。
【００９７】
例えば、図４を参照すると、図４は、開示された実施形態において用いられる無線フレームの区分の概略図である。１つの無線フレームは、Ｎ個の第１の時間単位を含む。各時間単位は、少なくとも２つのОＦＤＭシンボルを含む（４つのＯＦＤＭシンボルが図４に示されている）。Ｎ個の第１の時間単位の無線フレーム内のインデックスは、Ｓ０、Ｓ１、…、Ｓ（Ｎ−１）である。それぞれの第１の時間単位内のインデックスは、ａ０、ａ１、ａ２、およびａ３である。図４において、第１の信号に保持されているＯＦＤＭシンボルのインデックス情報により示され、かつ、ＯＦＤＭシンボルの第１の時間単位内にあるインデックスは、ａ１である。第１の信号と関連付けられている第２の信号に保持されている第１の時間単位のインデックス情報により示され、かつ、第１の時間単位の無線フレーム内にあるインデックスは、Ｓ１である。このように、第１の信号と第２の信号との組み合わせは、第１の信号を保持するＯＦＤＭシンボルの無線フレーム内の位置が、インデックスがＳ１である第１の時間単位（すなわち、第２の第１の時間単位）内のインデックスがａ１であるＯＦＤＭシンボル（すなわち、第２のＯＦＤＭシンボル）であることを示すことができる。
【００９８】
任意選択的に、セルまたはスーパーセルに対して、第１の信号は同期信号であり、第２の信号はブロードキャスト信号であるか、または、第１の信号はブロードキャスト信号であり、第２の信号は同期信号であるか、または、第１の信号は同期信号であり、第２の信号は同期信号である。
【００９９】
任意選択的に、Ｘ個の第１の信号およびＹ個の第２の信号のうち、互いに関連付けられる１つの第１の信号および１つの第２の信号は、１つの伝送ビームに位置する。
【０１００】
本願の本実施形態において、第１のネットワーク装置は、異なるビームを用いることによって、Ｘ個の第１の信号およびＹ個の第２の信号を送信してよく、互いに関連付けられている１つの第１の信号および１つの第２の信号は、同じビーム上で送信される。
【０１０１】
例えば、第１のネットワーク装置は基地局であり、基地局は１２のビームをサポートすると仮定する。１２グループの、互いに関連付けられている第１の信号および第２の信号は、基地局において予め設定されてよい。１２グループの、互いに関連付けられている第１の信号および第２の信号は、異なるＯＦＤＭシンボルの無線フレーム内の位置に対応する。信号を送信するとき、基地局は、各ビーム上で、１つのグループの、互いに関連付けられている第１の信号および第２の信号を送信する。
【０１０２】
任意選択的に、Ｘ個の第１の信号およびＹ個の第２の信号のうち、互いに関連付けられている１つの第１の信号および１つの第２の信号は、１つの第１の時間単位に位置する。
【０１０３】
例えば、図４は、例として用いられる。第１の信号により示され、ＯＦＤＭシンボルの第１の時間単位内のインデックスはａ１であり、第１の信号と関連付けられている第２の信号により示される、第１の時間単位のインデックスは、Ｓ１である。この場合、第１の信号は、インデックスがＳ１である第１の時間単位内のインデックスがａ１であるＯＦＤＭシンボルにおいて送信される。関連付けられた第２の信号は、インデックスがａ１である同じＯＦＤＭシンボルにおいて送信されてよく、インデックスがＳ１である第１の時間単位内の別のＯＦＤＭシンボルにおいて送信されてよい。
【０１０４】
任意選択的に、同期信号は、一次同期信号および二次同期信号を含むか、または、同期信号は、一次同期信号、二次同期信号、および第３の同期信号ｅＳＳＳを含み、各同期信号に含まれている一次同期信号および二次同期信号は、１つの第１の時間単位に位置する。
【０１０５】
例えば、図５を参照すると、図５は、開示された実施形態において用いられる１種類のリソースマッピングの概略図であり、同じセルまたはスーパーセルにおける２つの第１の時間単位内のＯＦＤＭシンボルにおける一部の周波数帯域に保持されている信号を示す。それぞれの第１の時間単位は、４つのＯＦＤＭシンボルを含む（シーケンス番号が０から７である、合計８つのＯＦＤＭシンボルが存在する）。各ＯＦＤＭシンボルにおける異なる周波数帯域は、ＰＢＣＨ（Ｐｈｙｓｉｃａｌ  ｂｒｏａｄｃａｓｔ  ｃｈａｎｎｅｌ、物理ブロードキャストチャネル）、第３の同期信号ｅＳＳＳ、ＰＳＳ（Ｐｒｉｍａｒｙ  Ｓｙｎｃｈｒｏｎｉｚａｔｉｏｎ  Ｓｉｇｎａｌ、一次同期信号）、およびＳＳＳ（Ｓｅｃｏｎｄａｒｙ  Ｓｙｎｃｈｒｏｎｉｚａｔｉｏｎ  Ｓｉｇｎａｌ、二次同期信号）を保持する。ＰＢＣＨ上で保持されている信号は、ブロードキャスト信号である。
【０１０６】
図５において、第１の信号は、各ＯＦＤＭシンボルにおける同期信号（ｅＳＳＳ、ＰＳＳ、およびＳＳＳのうち任意の１つ）であってよく、第２の信号は、各ＯＦＤＭシンボルにおけるＰＢＣＨ上の信号であってよい。代わりに、第１の信号は、各ＯＦＤＭシンボルにおけるＰＢＣＨ上の信号であってよく、第２の信号は、各ＯＦＤＭシンボルにおける同期信号（ｅＳＳＳ、ＰＳＳ、およびＳＳＳのうち任意の１つ）であってよい。代わりに、第１の信号および第２の信号は、同期信号（ｅＳＳＳ、ＰＳＳ、およびＳＳＳ）のうち任意の２つであってよい。
【０１０７】
任意選択的に、図５に加えて、ｅＳＳＳ、ＰＳＳ、ＳＳＳ、およびＰＢＣＨの位置はさらに、別の形式を有してよい。例えば、図６から図８を参照すると、図６から図８は、開示された本実施形態において用いられている３種類のリソースマッピングの概略図である。
【０１０８】
任意選択的に、第１の時間単位は、サブフレームまたはタイムスロットである。
【０１０９】
例えば、図５において、１つの第１の時間単位は、１つのサブフレームであってよく、または１つの第１の時間単位は、１つのタイムスロットであってよい。
【０１１０】
任意選択的に、セルまたはスーパーセルに対して、第１の信号は同期信号であり、第１の信号が位置するＯＦＤＭシンボルの第１の時間単位内のインデックスは、同期信号の異なるシーケンスにより示される。
【０１１１】
例えば、図４および図５に関連して、それぞれの第１の時間単位は、４つのＯＦＤＭシンボルを含み、例えば、Ｚ０、Ｚ１、Ｚ２、およびＺ３である、４つのグループの同期シーケンスが設定されてよい。各グループの同期シーケンスは、１つのＯＦＤＭインデックス（ａ０からａ３）に対応する。例えば、対応関係が以下の通りであってよい。Ｚ０―――ａ０、Ｚ１―――ａ１、Ｚ２―――ａ２、および、Ｚ３―――ａ３。
【０１１２】
第１の信号が同期信号であるとき、図５におけるそれぞれの第１の時間単位内のＯＦＤＭシンボルに保持されている同期信号は、ＯＦＤＭシンボルのＯＦＤＭシンボルのインデックス情報を示し得て、すなわち、ＯＦＤＭシンボルの第１の時間単位内のインデックスを示し得る。
【０１１３】
任意選択的に、セルまたはスーパーセルに対して、同期信号を伝送するための第１の時間単位において、異なるＯＦＤＭシンボルにおいて伝送される同期信号における一次同期信号のシーケンスは、対応するＯＦＤＭシンボルの第１の時間単位内のインデックスを示すために用いられ、同期信号を伝送するための異なる第１の時間単位において、同じＯＦＤＭシンボルインデックスに対応するＯＦＤＭシンボルにおける一次同期信号のシーケンスは、同じであり、同期信号を伝送するための第１の時間単位において、異なるＯＦＤＭシンボルにおいて伝送される同期信号における二次同期信号のシーケンスは同じであり、同期信号を伝送するために用いられ、同じ半分のフレームにおける異なる第１の時間単位において、異なるＯＦＤＭシンボルにおいて伝送されている同期信号における二次同期信号のシーケンスは同じである。
【０１１４】
例えば、図５は例として用いられる。ＰＳＳ  Ｂ０からＰＳＳ  Ｂ３が前の第１の時間単位に属し、ＰＳＳ  Ｂ４からＰＳＳ  Ｂ７が後の第１の時間単位に属し、ＰＳＳ  Ｂ０の前の第１の時間単位内の位置およびＰＳＳ  Ｂ４の後の第１の時間単位内のシンボル位置は同じであり、両方ともそれぞれの第１の時間単位における第１のＯＦＤＭシンボルである。一次同期信号が第１の信号を保持するとき、図５において、ＰＳＳ  Ｂ０のシーケンスは、ＰＳＳ  Ｂ４のシーケンスと同じである。この場合、図５において、１つの第１の時間単位に属する二次同期信号（ＳＳＳ  Ｂ０からＳＳＳ  Ｂ３、またはＳＳＳ  Ｂ４からＳＳＳ  Ｂ７）は、同じ信号シーケンスを有する。加えて、図５に示されている２つの第１の時間単位が無線フレームの同じ半分のフレームに属する場合、例えば、両方とも前半フレームに属するか、または両方とも後半フレームに属する場合、２つの第１の時間単位における二次同期信号のシーケンスは全て同じである。すなわち、ＳＳＳ  Ｂ０からＳＳＳ  Ｂ７のシーケンスは全て同じである。
【０１１５】
任意選択的に、セルまたはスーパーセルに対して、同期信号を伝送するための第１の時間単位において、異なるＯＦＤＭシンボルにおいて伝送される同期信号における二次同期信号のシーケンスは、対応するＯＦＤＭシンボルの第１の時間単位内のインデックスを示すために用いられ、同期信号を伝送するために用いられ、同じ半分のフレームにおける異なる第１の時間単位において、同じＯＦＤＭシンボルインデックスに対応するＯＦＤＭシンボルにおける二次同期信号のシーケンスは同じであり、同期信号を伝送するための第１の時間単位において、異なるＯＦＤＭシンボルにおいて伝送される同期信号における一次同期信号のシーケンスは同じであり、同期信号を伝送するための異なる第１の時間単位において、異なるＯＦＤＭシンボルにおいて伝送される同期信号における一次同期信号のシーケンスは同じである。
【０１１６】
例えば、図５はまた例として用いられる。ＳＳＳ  Ｂ０からＳＳＳ  Ｂ３が前の第１の時間単位に属し、ＳＳＳ  Ｂ４からＳＳＳ  Ｂ７が後の第１の時間単位に属し、ＳＳＳ  Ｂ０の前の第１の時間単位内の位置およびＳＳＳ  Ｂ４の後の第１の時間単位内のシンボル位置は同じであり、両方ともそれぞれの第１の時間単位における第１のＯＦＤＭシンボルである。二次同期信号が第１の信号を保持するとき、図５に示されている２つの第１の時間単位が無線フレームの同じ半分のフレームに属する場合、例えば、両方とも前半フレームに属するか、または、両方とも後半フレームに属する場合、ＳＳＳ  Ｂ０およびＳＳＳ  Ｂ４のシーケンスは同じである。図５において、この場合、２つの第１の時間単位における一次同期信号のシーケンスは同じであり、すなわち、ＰＳＳ  Ｂ０からＰＳＳ  Ｂ７のシーケンスは同じである。
【０１１７】
任意選択的に、セルまたはスーパーセルに対して、同期信号を伝送するための第１の時間単位において、異なるＯＦＤＭシンボルにおいて伝送される同期信号の第３の同期信号ｅＳＳＳのシーケンスは、対応するＯＦＤＭシンボルの第１の時間単位内のインデックスを示すために用いられ、同期信号を伝送するための異なる第１の時間単位において、同じＯＦＤＭシンボルインデックスに対応するＯＦＤＭシンボルにおける第３の同期信号のシーケンスは同じであり、同期信号を伝送するための第１の時間単位において、異なるＯＦＤＭシンボルにおいて伝送される同期信号における一次同期信号のシーケンスは同じであり、異なるＯＦＤＭシンボルにおいて伝送される同期信号における二次同期信号のシーケンスは同じであり、同期信号を伝送するための異なる第１の時間単位において、異なるＯＦＤＭシンボルにおいて伝送される同期信号における一次同期信号のシーケンスは同じであり、同期信号を伝送するために用いられ、同じ半分のフレームにおける異なる第１の時間単位において、異なるＯＦＤＭシンボルにおいて伝送される同期信号における二次同期信号のシーケンスは同じである。
【０１１８】
例えば、図５はまた例として用いられる。ｅＳＳＳ  Ｂ０からｅＳＳＳ  Ｂ３が前の第１の時間単位に属し、ｅＳＳＳ  Ｂ４からｅＳＳＳ  Ｂ７が後の第１の時間単位に属し、ｅＳＳＳ  Ｂ０の前の第１の時間単位内の位置およびｅＳＳＳ  Ｂ４の後の第１の時間単位内のシンボル位置は同じであり、両方ともそれぞれの第１の時間単位における第１のＯＦＤＭシンボルである。第３の同期信号が第１の信号を保持するとき、ｅＳＳＳ  Ｂ０およびｅＳＳＳ  Ｂ４のシーケンスは同じである。図５において、この場合、２つの第１の時間単位における一次同期信号のシーケンスは同じであり、すなわち、ＰＳＳ  Ｂ０からＰＳＳ  Ｂ７のシーケンスは同じである。図５において、この場合、１つの第１の時間単位に属する二次同期信号（ＳＳＳ  Ｂ０からＳＳＳ  Ｂ３、またはＳＳＳ  Ｂ４からＳＳＳ  Ｂ７）の信号シーケンスは同じである。加えて、図５に示されている２つの第１の時間単位が無線フレームの同じ半分のフレームに属する場合、例えば、両方とも前半フレームに属するか、または両方とも後半フレームに属する場合、２つの第１の時間単位における二次同期信号のシーケンスは同じであり、すなわち、ＳＳＳ  Ｂ０からＳＳＳ  Ｂ７のシーケンスは同じである。
【０１１９】
任意選択的に、セルまたはスーパーセルに対して、同期信号を伝送するための第１の時間単位において、異なるＯＦＤＭシンボルにおいて伝送される同期信号の第３の同期信号ｅＳＳＳのシーケンスは、対応するＯＦＤＭシンボルの第１の時間単位内のインデックスを示すために用いられ、異なるＯＦＤＭシンボルにおいて伝送される同期信号における一次同期信号のシーケンスは、第１の時間単位の無線フレーム内のインデックスを示すために用いられ、同期信号を伝送するための異なる第１の時間単位において、同じＯＦＤＭシンボルインデックスに対応するＯＦＤＭシンボルにおける第３の同期信号のシーケンスは同じであり、同期信号を伝送するための第１の時間単位において、異なるＯＦＤＭシンボルにおいて伝送される同期信号における二次同期信号のシーケンスは同じであり、同期信号を伝送するために用いられ、同じ半分のフレームにおける異なる第１の時間単位において、異なるＯＦＤＭシンボルにおいて伝送される同期信号における二次同期信号のシーケンスは同じである。
【０１２０】
例えば、図５はまた例として用いられる。第３の同期信号が第１の信号を保持し、一次同期信号が第２の信号を保持するとき、ｅＳＳＳ  Ｂ０およびｅＳＳＳ  Ｂ４のシーケンスは同じである。１つの第１の時間単位に属する一次同期信号（ＰＳＳ  Ｂ０からＰＳＳ  Ｂ３、またはＰＳＳ  Ｂ４からＰＳＳ  Ｂ７）の信号シーケンスは同じである。図５に示されている２つの第１の時間単位が無線フレームの同じ半分のフレームに属する場合、例えば、両方とも前半フレームに属するか、または両方とも後半フレームに属する場合、２つの第１の時間単位における二次同期信号のシーケンスは同じであり、すなわち、ＳＳＳ  Ｂ０からＳＳＳ  Ｂ７のシーケンスは同じである。
【０１２１】
任意選択的に、セルまたはスーパーセルに対して、同期信号を伝送するための第１の時間単位において、異なるＯＦＤＭシンボルにおいて伝送される同期信号の第３の同期信号ｅＳＳＳのシーケンスは、対応するＯＦＤＭシンボルの第１の時間単位内のインデックスを示すために用いられ、異なるＯＦＤＭシンボルにおいて伝送される同期信号における二次同期信号のシーケンスは、第１の時間単位の無線フレーム内のインデックスを示すために用いられ、同期信号を伝送するための異なる第１の時間単位において、同じＯＦＤＭシンボルインデックスに対応するＯＦＤＭシンボルにおける第３の同期信号のシーケンスは同じであり、同期信号を伝送するための第１の時間単位において、異なるＯＦＤＭシンボルにおいて伝送される同期信号における一次同期信号のシーケンスは同じであり、同期信号を伝送するための異なる第１の時間単位において、異なるＯＦＤＭシンボルにおいて伝送される同期信号における一次同期信号のシーケンスは同じである。
【０１２２】
例えば、図５はまた例として用いられる。第３の同期信号が第１の信号を保持し、二次同期信号が第２の信号を保持するとき、ｅＳＳＳ  Ｂ０およびｅＳＳＳ  Ｂ４のシーケンスは同じである。図５において、この場合、２つの第１の時間単位における一次同期信号のシーケンスは同じであり、すなわち、ＰＳＳ  Ｂ０からＰＳＳ  Ｂ７のシーケンスは同じである。
【０１２３】
任意選択的に、セルまたはスーパーセルに対して、同期信号を伝送するための第１の時間単位において、異なるＯＦＤＭシンボルにおいて伝送される同期信号における一次同期信号のシーケンスは、対応するＯＦＤＭシンボルの第１の時間単位内のインデックスを示すために用いられ、異なるＯＦＤＭシンボルにおいて伝送される同期信号における二次同期信号のシーケンスは、第１の時間単位の無線フレーム内のインデックスを示すために用いられ、同期信号を伝送するための異なる第１の時間単位において、同じＯＦＤＭシンボルインデックスに対応するＯＦＤＭシンボルの一次同期信号のシーケンスは同じである。
【０１２４】
例えば、図５はまた例として用いられる。一次同期信号が第１の信号を保持し、二次同期信号が第２の信号を保持するとき、ＰＳＳ  Ｂ０およびＰＳＳ  Ｂ４のシーケンスは同じである。
【０１２５】
任意選択的に、セルまたはスーパーセルに対して、同期信号を伝送するための第１の時間単位において、異なるＯＦＤＭシンボルにおいて伝送される同期信号における二次同期信号のシーケンスは、対応するＯＦＤＭシンボルの第１の時間単位内のインデックスを示すために用いられ、異なるＯＦＤＭシンボルにおいて伝送される同期信号における一次同期信号のシーケンスは、第１の時間単位の無線フレーム内のインデックスを示すために用いられ、同期信号を伝送するために用いられ、同じ半分のフレームにおける異なる第１の時間単位において、同じＯＦＤＭシンボルインデックスに対応するＯＦＤＭシンボルにおける二次同期信号のシーケンスは同じである。
【０１２６】
例えば、図５はまた例として用いられる。二次同期信号が第１の信号を保持し、一次同期信号が第２の信号を保持するとき、図５に示されている２つの第１の時間単位が無線フレームの同じ半分のフレームに属する場合、例えば、両方とも前半フレームに属するか、または両方とも後半フレームに属する場合、２つの第１の時間単位におけるＳＳＳ  Ｂ０およびＳＳＳ  Ｂ４のシーケンスは同じである。
【０１２７】
任意選択的に、セルまたはスーパーセルに対して、同期信号における一次同期信号のシーケンスは、１つのセルＩＤグループにおけるセルＩＤ情報を識別するために用いられ、同期信号における二次同期信号のシーケンスは、セルＩＤグループの情報を識別するために用いられる。
【０１２８】
本願の本実施形態において、第１の信号および／または第２の信号を保持することに加えて、同期信号はさらに、信号に対応するセルＩＤおよびセルＩＤグループを示すために用いられてよい。
【０１２９】
任意選択的に、セルまたはスーパーセルに対して、第１の信号が同期信号であり、第２の信号がブロードキャスト信号であるとき、ブロードキャスト信号のシグナリングは、ブロードキャスト信号の第１の時間単位のインデックス情報を明示的に示し、および／または、ブロードキャスト信号におけるスクランブリングコードは、第１の時間単位のインデックス情報を保持し、および／または、ブロードキャスト信号における巡回冗長検査コードＣＲＣのマスクは、第１の時間単位のインデックス情報を保持する。
【０１３０】
本願の本実施形態において、ブロードキャスト信号が第２の信号を保持するとき、スクランブリングコード、および／またはブロードキャスト信号のマスクはさらに、第１の信号を保持し得て、第２のネットワーク装置がその後、第２の信号をパースするときの認証を容易にし得る。
【０１３１】
任意選択的に、セルまたはスーパーセルに対して、第１の信号が同期信号であり、第２の信号がブロードキャスト信号であるとき、ブロードキャスト信号のシグナリングは、ブロードキャスト信号の第１の時間単位のインデックス情報を明示的に示し、ブロードキャスト信号におけるスクランブリングコードは、ブロードキャスト信号に対応するＯＦＤＭシンボルのインデックス情報またはブロードキャスト信号に対応する同期信号のＯＦＤＭシンボルのインデックス情報を保持する。
【０１３２】
本願の本実施形態において、同期信号が第１の信号を保持し、ブロードキャスト信号が第２の信号を保持するとき、ブロードキャスト信号におけるスクランブリングコードはさらに、ブロードキャスト信号が位置するＯＦＤＭシンボルに対応するＯＦＤＭシンボルのインデックス情報（すなわち、第１の時間単位におけるＯＦＤＭシンボルのインデックス）を保持してよく、または、ブロードキャスト信号におけるスクランブリングコードは、ブロードキャスト信号と関連付けられている同期信号が位置するＯＦＤＭシンボルに対応するＯＦＤＭシンボルのインデックス情報を保持してよい。
【０１３３】
任意選択的に、セルまたはスーパーセルに対して、第１の信号が同期信号であり、第２の信号がブロードキャスト信号であるとき、ブロードキャスト信号のシグナリングは、ブロードキャスト信号の第１の時間単位のインデックス情報を明示的に示し、ブロードキャスト信号のＣＲＣ（Ｃｙｃｌｉｃ  Ｒｅｄｕｎｄａｎｃｙ  Ｃｈｅｃｋ、巡回冗長検査）のマスクは、ブロードキャスト信号に対応するＯＦＤＭシンボルのインデックス情報またはブロードキャスト信号に対応する同期信号のＯＦＤＭシンボルのインデックス情報を保持する。
【０１３４】
本願の本実施形態において、同期信号が第１の信号を保持し、ブロードキャスト信号が第２の信号を保持するとき、ブロードキャスト信号におけるＣＲＣのマスクはさらに、ブロードキャスト信号が位置するＯＦＤＭシンボルに対応するＯＦＤＭシンボルのインデックス情報（すなわち、第１の時間単位におけるＯＦＤＭシンボルのインデックス）を保持してよく、または、ブロードキャスト信号におけるＣＲＣのマスクは、ブロードキャスト信号と関連付けられている同期信号が位置するＯＦＤＭシンボルに対応するＯＦＤＭシンボルのインデックス情報を保持してよい。
【０１３５】
任意選択的に、セルまたはスーパーセルに対して、第１の時間単位のインデックスの最大数は、１つの無線フレームにおける第１の時間単位の数より小さい、またはそれに等しい。
【０１３６】
本願の本実施形態において、第１の時間単位のインデックスの数は、１つの無線フレームにおける第１の時間単位の数より小さい、またはそれに等しいとすべきである。
【０１３７】
任意選択的に、セルまたはスーパーセルに対して、第１のネットワーク装置により１つの無線フレームにおいて第１の信号を送信するための第１の時間単位の位置は可変である。
【０１３８】
本願の本実施形態において、１つの無線フレームにおいて第１の信号を送信できる第１の時間単位の位置は固定されているのではなく、それに代えて、実際の応用に基づいて適応的に変わり得る。
【０１３９】
任意選択的に、セルまたはスーパーセルに対して、第１のネットワーク装置により１つの無線フレームにおいて第２の信号を送信するための第１の時間単位の位置は可変である。
【０１４０】
本願の本実施形態において、１つの無線フレームにおいて第２の信号を送信できる第１の時間単位の位置は固定されているのではなく、それに代えて、実際の応用に基づき適応的に変わり得る。
【０１４１】
任意選択的に、セルまたはスーパーセルに対して、第１のネットワーク装置により１つの無線フレームにおいて第１の信号を送信するために占有されている第１の時間単位の数は可変である。
【０１４２】
本願の本実施形態において、１つの無線フレームにおいて第１の信号を送信するために占有されている第１の時間単位の数は固定されているのではなく、それに代えて、実際の応用に基づき、適応的に変わり得る。
【０１４３】
任意選択的に、セルまたはスーパーセルに対して、第１のネットワーク装置により１つの無線フレームにおいて第２の信号を送信するために占有されている第１の時間単位の数は可変である。
【０１４４】
本願の本実施形態において、１つの無線フレームにおいて第２の信号を送信するために占有されている第１の時間単位の数は固定されているのではなく、それに代えて、実際の応用に基づき、適応的に変わり得る。
【０１４５】
任意選択的に、セルまたはスーパーセルに対して、第１の信号に対応する時間−周波数リソースは、第２の信号に対応する時間−周波数リソースと関連付けられる。
【０１４６】
例えば、図５から図８は、例として用いられる。本願の本実施形態において、第１の信号および第２の信号が互いに関連付けられているとき、第１の信号に対応する時間−周波数リソースが第２の信号に対応する時間−周波数リソースと関連付けられることであってよく、すなわち、関連付けられた第２の信号に対応する時間−周波数リソースは、第１の信号に対応する時間−周波数リソースに基づいて決定されてよく、または、関連付けられた第１の信号に対応する時間−周波数リソースは、第２の信号に対応する時間−周波数リソースに基づいて決定されてよい。
【０１４７】
任意選択的に、セルまたはスーパーセルに対して、第１の信号に対応する時間−周波数リソースおよび第２の信号に対応する時間−周波数リソースは、同じＯＦＤＭシンボルにおいて周波数分割多重化されるか、または、第１の信号に対応する時間−周波数リソースおよび第２の信号に対応する時間−周波数リソースは、異なるＯＦＤＭシンボルにおいて時分割多重化される。
【０１４８】
例えば、図５が例として用いられる。ＰＢＣＨ、ｅＳＳＳ、ＰＳＳ、ＳＳＳのうち任意の２つのうち一方が第１の信号を保持するために用いられ、当該２つのうち他方が第２の信号を保持するために用いられる。この場合、互いに関連付けられている第１の信号および第２の信号に対して、第１の信号および第２の信号の時間−周波数リソースは同じＯＦＤＭシンボルにあり、すなわち、同じＯＦＤＭシンボルにおける異なるサブキャリアまたは周波数帯域をそれぞれ占有する。
【０１４９】
代わりに、図７が例として用いられ、ＰＢＣＨが第１の信号を保持するために用いられ、ｅＳＳＳが第２の信号を保持するか、または、ＰＢＣＨが第２の信号を保持し、ｅＳＳＳが第２の信号を保持すると仮定する。この場合、互いに関連付けられている第１の信号および第２の信号に対して、第１の信号および第２の信号の時間−周波数リソースは、異なるＯＦＤＭシンボルにあり、すなわち、同じ周波数帯域または異なる周波数帯域における異なるＯＦＤＭシンボルをそれぞれ占有する。
【０１５０】
任意選択的に、一次同期信号のシーケンスセットにおけるシーケンスの数は、二次同期信号のシーケンスセットにおけるシーケンスの数より小さいか、または、一次同期信号のシーケンスセットにおけるシーケンスの数は、二次同期信号のシーケンスセットにおけるシーケンスの数より小さく、二次同期信号のシーケンスセットにおけるシーケンスの数は、第３の同期信号のシーケンスセットにおけるシーケンスの数より小さい。
【０１５１】
段階３０１は、図２に示されている実施形態におけるプロセッサ２１により、信号送信モジュール２３ａ１を実行することで、実行されてよい。
【０１５２】
段階３０２：第２のネットワーク装置が、第１のネットワーク装置により送信されたＸ個の第１の信号のうち１つおよびＹ個の第２の信号のうち１つを検出する。
【０１５３】
本願の本実施形態において、第１のネットワーク装置は、異なるビームを用いることによって、Ｘ個の第１の信号のうち１つおよびＹ個の第２の信号のうち１つを送信する。検出信号を受信するとき、第２のネットワーク装置は、１つのビーム上で送信された第１の信号および当該第１の信号と関連付けられた第２の信号のみを検出し得る。
【０１５４】
段階３０２は、図２に示されている実施形態におけるプロセッサ２１により、検出モジュール２３ａ２を実行することで、実行されてよい。
【０１５５】
段階３０３：第２のネットワーク装置が、第１の信号に基づいてＯＦＤＭシンボルのインデックス情報を取得し、第２の信号に基づいて第１の時間単位のインデックス情報を取得する。
【０１５６】
ＯＦＤＭシンボルのインデックス情報は、第１の信号が位置するＯＦＤＭシンボルの第１の時間単位内のインデックスを示し、第１の時間単位のインデックス情報は、第２の信号が位置する第１の時間単位の無線フレーム内のインデックスを示し、１つの無線フレームは、少なくとも２つの第１の時間単位を含み、それぞれの第１の時間単位は、少なくとも２つのОＦＤＭシンボルを含む。
【０１５７】
互いに関連付けられている第１の信号および第２の信号を検出した後に、第２のネットワーク装置は、第１の信号により示されているＯＦＤＭシンボルのインデックス情報と、第２の信号により示されている第１の時間単位のインデックス情報とに基づき、第１の信号が位置するＯＦＤＭシンボルの無線フレーム内の位置を決定し、フレームタイミングを実行してよい。
【０１５８】
段階３０３は、図２に示されている実施形態におけるプロセッサ２１により、情報取得モジュール２３ａ３を実行することで、実行されてよい。
【０１５９】
結論として、本願の本実施形態に示されている解決手段において、第１のネットワーク装置は、Ｘ個の第１の信号およびＹ個の第２の信号を送信し、それぞれの第２の信号は、少なくとも１つの第１の信号と関連付けられ、第１の信号は、直交周波数分割多重ＯＦＤＭシンボルのインデックス情報を保持し、ＯＦＤＭシンボルのインデックス情報は、第１の信号が位置するＯＦＤＭシンボルの第１の時間単位内のインデックスを示し、第２の信号は、第１の時間単位のインデックス情報を保持し、第１の時間単位のインデックス情報は、第２の信号が位置する第１の時間単位の無線フレーム内のインデックスを示し、１つの無線フレームは、少なくとも２つの第１の時間単位を含み、それぞれの第１の時間単位は、少なくとも２つのОＦＤＭシンボルを含み、第２のネットワーク装置は、第１のネットワーク装置により送信されたＸ個の第１の信号のうち１つおよびＹ個の第２の信号のうち１つを検出し、第１の信号に基づいてＯＦＤＭシンボルのインデックス情報を取得し、第２の信号に基づいて第１の時間単位のインデックス情報を取得し、第１の信号の無線フレーム内の位置を決定し、フレームタイミングを実行する。
【０１６０】
図９を参照すると、図９は、本出願の一実施形態に係る信号送信装置のブロック図である。当該装置は、ハードウェアまたはソフトウェアおよびハードウェアの組み合わせの方式で、図１に示されているネットワーク環境における第１のネットワーク装置１１０の一部または第１のネットワーク装置１１０全体として実現され、図３に示されている第１のネットワーク装置により実行される段階の全てまたは一部を実行してよい。装置は、信号送信ユニット９０１を含んでよい。
【０１６１】
本実施形態において、装置は、機能ユニットの形式で示されている。本明細書における「ユニット」は、特定用途向け集積回路（ａｐｐｌｉｃａｔｉｏｎ−ｓｐｅｃｉｆｉｃ  ｉｎｔｅｇｒａｔｅｄ  ｃｉｒｃｕｉｔ、ＡＳＩＣ）、回路、１または複数のソフトウェアまたはファームウェアプログラムを実行するプロセッサおよびメモリ、集積論理回路、および／または前述の機能を提供できる別の装置であってよい。
【０１６２】
信号送信ユニット９０１は、信号送信モジュール２３ａ１の機能と同じまたは同様の機能を有する。
【０１６３】
図１０を参照すると、図１０は、本出願の一実施形態に係る信号受信装置のブロック図である。装置は、ハードウェアまたはソフトウェアおよびハードウェアの組み合わせの方式で、図１に示されているネットワーク環境における第２のネットワーク装置１２０の一部または第２のネットワーク装置１２０全体として実行され、図４に示されているような第２のネットワーク装置により実行される段階の全てまたは一部を実行してよい。装置は、検出ユニット１００１および情報取得ユニット１００２を含んでよい。
【０１６４】
本実施形態において、装置は機能ユニットの形式で示されている。本明細書における「ユニット」は、特定用途向け集積回路（ａｐｐｌｉｃａｔｉｏｎ−ｓｐｅｃｉｆｉｃ  ｉｎｔｅｇｒａｔｅｄ  ｃｉｒｃｕｉｔ、ＡＳＩＣ）、回路、１または複数のソフトウェアまたはファームウェアプログラムを実行するプロセッサおよびメモリ、集積論理回路、および／または前述の機能を提供できる別の装置であってよい。
【０１６５】
検出ユニット１００１は、検出モジュール２３ａ２の機能と同じまたは同様の機能を有する。
【０１６６】
情報取得ユニット１００２は、情報取得モジュール２３ａ３の機能と同じまたは同様の機能を有する。
以下では、本明細書のさらなる実施形態を提供する。以下の部分において用いられる番号付けは必ずしも前の部分において用いられている番号付けと一致する必要がないことに留意すべきである。
［実施形態１］
信号を伝送するための装置であって、上記装置は、
Ｘ個の第１の信号およびＹ個の第２の信号を送信するよう構成される信号送信ユニットであって、それぞれの上記第２の信号は、少なくとも１つの第１の信号と関連付けられ、Ｘは１以上の整数であり、Ｙは１以上の整数である、信号送信ユニットを備え、
上記第１の信号は、直交周波数分割多重ＯＦＤＭシンボルのインデックス情報を保持し、上記ＯＦＤＭシンボルのインデックス情報は、上記第１の信号が位置するＯＦＤＭシンボルの第１の時間単位内のインデックスを示し、上記第２の信号は、第１の時間単位のインデックス情報を保持し、上記第１の時間単位のインデックス情報は、上記第２の信号が位置する第１の時間単位の第２の時間単位内のインデックスを示し、１つの第２の時間単位は、少なくとも２つの第１の時間単位を含み、それぞれの上記第１の時間単位は、少なくとも２つのОＦＤＭシンボルを含む、
装置。
［実施形態２］
上記Ｘ個の第１の信号および上記Ｙ個の第２の信号のうち、互いに関連付けられている１つの第１の信号および１つの第２の信号は、１つの伝送ビームに位置する、実施形態１に記載の装置。
［実施形態３］
上記Ｘ個の第１の信号および上記Ｙ個の第２の信号のうち、互いに関連付けられている１つの第１の信号および１つの第２の信号は、１つの第１の時間単位に位置する、実施形態１に記載の装置。
［実施形態４］
セルまたはスーパーセルに対して、
上記第１の信号は同期信号であり、上記第２の信号はブロードキャスト信号であるか、または、
上記第１の信号はブロードキャスト信号であり、上記第２の信号は同期信号であるか、または、
上記第１の信号は同期信号であり、上記第２の信号は同期信号である、実施形態１に記載の装置。
［実施形態５］
上記同期信号は、一次同期信号および二次同期信号を含むか、または、
上記同期信号は、一次同期信号、二次同期信号、および第３の同期信号ｅＳＳＳを含み、
各同期信号に含まれる上記一次同期信号および上記二次同期信号は、１つの第１の時間単位に位置する、実施形態４に記載の装置。
［実施形態６］
上記第１の時間単位は、サブフレームまたはタイムスロットである、実施形態１から５のいずれか一項に記載の装置。
［実施形態７］
セルまたはスーパーセルに対して、
上記第１の信号は同期信号であり、上記第１の信号が位置する上記ＯＦＤＭシンボルの上記第１の時間単位内の上記インデックスは、上記同期信号の異なるシーケンスによって示される、実施形態４または５に記載の装置。
［実施形態８］
セルまたはスーパーセルに対して、
同期信号を伝送するための第１の時間単位において、異なるＯＦＤＭシンボルにおいて伝送される同期信号における一次同期信号のシーケンスは、対応するＯＦＤＭシンボルの上記第１の時間単位内のインデックスを示すために用いられ、
同期信号を伝送するための異なる第１の時間単位において、同じＯＦＤＭシンボルインデックスに対応するＯＦＤＭシンボルにおける一次同期信号のシーケンスは同じであり、
同期信号を伝送するための第１の時間単位において、異なるＯＦＤＭシンボルにおいて伝送される同期信号における二次同期信号のシーケンスは同じであり、
同期信号を伝送するために用いられ、同じ半分のフレームにある異なる第１の時間単位において、異なるＯＦＤＭシンボルにおいて伝送される同期信号における二次同期信号のシーケンスは同じである、
実施形態７に記載の装置。
［実施形態９］
セルまたはスーパーセルに対して、
同期信号を伝送するための第１の時間単位において、異なるＯＦＤＭシンボルにおいて伝送される同期信号における二次同期信号のシーケンスは、対応するＯＦＤＭシンボルの上記第１の時間単位内のインデックスを示すために用いられ、
同期信号を伝送するために用いられ、同じ半分のフレームにおける異なる第１の時間単位において、同じＯＦＤＭシンボルインデックスに対応するＯＦＤＭシンボルにおける二次同期信号のシーケンスは同じであり、同期信号を伝送するための第１の時間単位において、異なるＯＦＤＭシンボルにおいて伝送される同期信号における一次同期信号のシーケンスは同じであり、
同期信号を伝送するための異なる第１の時間単位において、異なるＯＦＤＭシンボルにおいて伝送される同期信号における一次同期信号のシーケンスは同じである、
実施形態７に記載の装置。
［実施形態１０］
セルまたはスーパーセルに対して、
同期信号を伝送するための第１の時間単位において、異なるＯＦＤＭシンボルにおいて伝送される同期信号の第３の同期信号ｅＳＳＳのシーケンスは、対応するＯＦＤＭシンボルの上記第１の時間単位内のインデックスを示すために用いられ、
同期信号を伝送するための異なる第１の時間単位において、同じＯＦＤＭシンボルインデックスに対応するＯＦＤＭシンボルにおける第３の同期信号のシーケンスは同じであり、
同期信号を伝送するための第１の時間単位において、異なるＯＦＤＭシンボルにおいて伝送される同期信号における一次同期信号のシーケンスは同じであり、異なるＯＦＤＭシンボルにおいて伝送される同期信号における二次同期信号のシーケンスは同じであり、
同期信号を伝送するための異なる第１の時間単位において、異なるＯＦＤＭシンボルにおいて伝送される同期信号における一次同期信号のシーケンスは同じであり、
同期信号を伝送するために用いられ、同じ半分のフレームにおける異なる第１の時間単位において、異なるＯＦＤＭシンボルにおいて伝送される同期信号における二次同期信号のシーケンスは同じである、
実施形態７に記載の装置。
［実施形態１１］
セルまたはスーパーセルに対して、
同期信号を伝送するための第１の時間単位において、異なるＯＦＤＭシンボルにおいて伝送される同期信号の第３の同期信号ｅＳＳＳのシーケンスは、対応するＯＦＤＭシンボルの上記第１の時間単位内のインデックスを示すために用いられ、異なるＯＦＤＭシンボルにおいて伝送される同期信号における一次同期信号のシーケンスは、上記第１の時間単位の上記第２の時間単位内のインデックスを示すために用いられ、
同期信号を伝送するための異なる第１の時間単位において、同じＯＦＤＭシンボルインデックスに対応するＯＦＤＭシンボルにおける第３の同期信号のシーケンスは同じであり、
同期信号を伝送するための第１の時間単位において、異なるＯＦＤＭシンボルにおいて伝送される同期信号における二次同期信号のシーケンスは同じであり、
同期信号を伝送するために用いられ、同じ半分のフレームにおける異なる第１の時間単位において、異なるＯＦＤＭシンボルにおいて伝送される同期信号における二次同期信号のシーケンスは同じである、
実施形態７に記載の装置。
［実施形態１２］
セルまたはスーパーセルに対して、
同期信号を伝送するための第１の時間単位において、異なるＯＦＤＭシンボルにおいて伝送される同期信号の第３の同期信号ｅＳＳＳのシーケンスは、対応するＯＦＤＭシンボルの上記第１の時間単位内のインデックスを示すために用いられ、異なるＯＦＤＭシンボルにおいて伝送される同期信号における二次同期信号のシーケンスは、上記第１の時間単位の上記第２の時間単位内のインデックスを示すために用いられ、
同期信号を伝送するための異なる第１の時間単位において、同じＯＦＤＭシンボルインデックスに対応するＯＦＤＭシンボルにおける第３の同期信号のシーケンスは同じであり、
同期信号を伝送するための第１の時間単位において、異なるＯＦＤＭシンボルにおいて伝送される同期信号における一次同期信号のシーケンスは同じであり、
同期信号伝送するための異なる第１の時間単位において、異なるＯＦＤＭシンボルにおいて伝送される同期信号における一次同期信号のシーケンスは同じである、
実施形態７に記載の装置。
［実施形態１３］
セルまたはスーパーセルについて、
同期信号を伝送するための第１の時間単位において、異なるＯＦＤＭシンボルにおいて伝送される同期信号における一次同期信号のシーケンスは、対応するＯＦＤＭシンボルの上記第１の時間単位内のインデックスを示すために用いられ、異なるＯＦＤＭシンボルにおいて伝送される同期信号における二次同期信号のシーケンスは、上記第１の時間単位の上記第２の時間単位内のインデックスを示すために用いられ、
同期信号を伝送するための異なる第１の時間単位において、同じＯＦＤＭシンボルインデックスに対応するＯＦＤＭシンボルにおける一次同期信号のシーケンスは同じである、
実施形態７に記載の装置。
［実施形態１４］
セルまたはスーパーセルに対して、
同期信号を伝送するための第１の時間単位において、異なるＯＦＤＭシンボルにおいて伝送される同期信号における二次同期信号のシーケンスは、対応するＯＦＤＭシンボルの上記第１の時間単位内のインデックスを示すために用いられ、異なるＯＦＤＭシンボルにおいて伝送される同期信号における一次同期信号のシーケンスは、上記第１の時間単位の上記第２の時間単位内のインデックスを示すために用いられ、
同期信号を伝送するために用いられ、同じ半分のフレームにおける異なる第１の時間単位において、同じＯＦＤＭシンボルインデックスに対応するＯＦＤＭシンボルにおける二次同期信号のシーケンスは同じである、
実施形態７に記載の装置。
［実施形態１５］
セルまたはスーパーセルに対して、
上記同期信号における上記一次同期信号のシーケンスは、１つのセルＩＤグループにおけるセルＩＤ情報を識別するために用いられ、
上記同期信号における上記二次同期信号のシーケンスは、セルＩＤグループの情報を識別するために用いられる、実施形態８から１４のいずれか一項に記載の装置。
［実施形態１６］
セルまたはスーパーセルに対して、上記第１の信号が同期信号であり、上記第２の信号がブロードキャスト信号であるとき、
上記ブロードキャスト信号のシグナリングは、上記ブロードキャスト信号の第１の時間単位のインデックス情報を明示的に示し、および／または、
上記ブロードキャスト信号におけるスクランブリングコードは、上記第１の時間単位のインデックス情報を保持し、および／または、
上記ブロードキャスト信号における巡回冗長検査コードＣＲＣのマスクは、上記第１の時間単位のインデックス情報を保持する、実施形態７から１４のいずれか一項に記載の装置。
［実施形態１７］
セルまたはスーパーセルに対して、上記第１の信号が同期信号であり、上記第２の信号がブロードキャスト信号であるとき、
上記ブロードキャスト信号のシグナリングは、上記ブロードキャスト信号の第１の時間単位のインデックス情報を明示的に示し、
上記ブロードキャスト信号におけるスクランブリングコードは、上記ブロードキャスト信号に対応するＯＦＤＭシンボルのインデックス情報または上記ブロードキャスト信号に対応する同期信号のＯＦＤＭシンボルのインデックス情報を保持する、
実施形態７から１４のいずれか一項に記載の装置。
［実施形態１８］
セルまたはスーパーセルに対して、上記第１の信号が同期信号であり、上記第２の信号がブロードキャスト信号であるとき、
上記ブロードキャスト信号のシグナリングは、上記ブロードキャスト信号の第１の時間単位のインデックス情報を明示的に示し、
上記ブロードキャスト信号におけるＣＲＣのマスクは、上記ブロードキャスト信号に対応するＯＦＤＭシンボルのインデックス情報または上記ブロードキャスト信号に対応する同期信号のＯＦＤＭシンボルのインデックス情報を保持する、
実施形態７から１４のいずれか一項に記載の装置。
［実施形態１９］
セルまたはスーパーセルに対して、
上記第１の時間単位のインデックスの最大数は、１つの第２の時間単位における第１の時間単位の数より小さい、またはそれに等しい、
実施形態１６から１８のいずれか一項に記載の装置。
［実施形態２０］
セルまたはスーパーセルに対して、
第１のネットワーク装置により１つの第２の時間単位において上記第１の信号を送信するための第１の時間単位の位置は可変である、
実施形態１から１９のいずれか一項に記載の装置。
［実施形態２１］
セルまたはスーパーセルに対して、
第１のネットワーク装置により１つの第２の時間単位において上記第２の信号を送信するための第１の時間単位の位置は可変である、
実施形態１から１９のいずれか一項に記載の装置。
［実施形態２２］
セルまたはスーパーセルに対して、
第１のネットワーク装置により１つの第２の時間単位において上記第１の信号を送信するために占有されている第１の時間単位の数は可変である、
実施形態１から１９のいずれか一項に記載の装置。
［実施形態２３］
セルまたはスーパーセルに対して、
第１のネットワーク装置により１つの第２の時間単位において上記第２の信号を送信するために占有されている第１の時間単位の数は可変である、
実施形態１から１９のいずれか一項に記載の装置。
［実施形態２４］
セルまたはスーパーセルに対して、
上記第１の信号に対応する時間−周波数リソースは、上記第２の信号に対応する時間−周波数リソースと関連付けられる、
実施形態１から２３のいずれか一項に記載の装置。
［実施形態２５］
セルまたはスーパーセルに対して、
上記第１の信号に対応する時間−周波数リソース、および上記第２の信号に対応する時間−周波数リソースは同じＯＦＤＭシンボルにおいて周波数分割多重化されるか、または、
上記第１の信号に対応する時間−周波数リソース、および上記第２の信号に対応する時間−周波数リソースが、異なるＯＦＤＭシンボルにおいて時分割多重化される、
実施形態１から２４のいずれか一項に記載の装置。
［実施形態２６］
信号を受信するための装置であって、上記装置は、
第１のネットワーク装置により送信されたＸ個の第１の信号のうち１つおよびＹ個の第２の信号のうち１つを検出するよう構成される検出ユニットであって、Ｘは１以上の整数であり、Ｙは１以上の整数である、検出ユニットと、
上記第１の信号に基づいてＯＦＤＭシンボルのインデックス情報を取得し、上記第２の信号に基づいて第１の時間単位のインデックス情報を取得するよう構成される情報取得ユニットであって、上記ＯＦＤＭシンボルのインデックス情報は、上記第１の信号が位置するＯＦＤＭシンボルの第１の時間単位内のインデックスを示し、上記第１の時間単位のインデックス情報は、上記第２の信号が位置する第１の時間単位の第２の時間単位内のインデックスを示し、１つの第２の時間単位は、少なくとも２つの第１の時間単位を含み、それぞれの上記第１の時間単位は、少なくとも２つのОＦＤＭシンボルを含む、情報取得ユニットとを備える、
装置。
［実施形態２７］
上記Ｘ個の第１の信号および上記Ｙ個の第２の信号のうち、互いに関連付けられている１つの第１の信号および１つの第２の信号は、１つの伝送ビームに位置する、実施形態２６に記載の装置。
［実施形態２８］
上記Ｘ個の第１の信号および上記Ｙ個の第２の信号のうち、互いに関連付けられている１つの第１の信号および１つの第２の信号は、１つの第１の時間単位に位置する、
実施形態２６に記載の装置。
［実施形態２９］
セルまたはスーパーセルに対して、
上記第１の信号は同期信号であり、上記第２の信号はブロードキャスト信号であるか、または、
上記第１の信号はブロードキャスト信号であり、上記第２の信号は同期信号であるか、または、
上記第１の信号は同期信号であり、上記第２の信号は同期信号である、
実施形態２６に記載の装置。
［実施形態３０］
上記同期信号は、一次同期信号および二次同期信号を含むか、または、
上記同期信号は、一次同期信号、二次同期信号、および第３の同期信号ｅＳＳＳを含み、
各同期信号に含まれる上記一次同期信号および上記二次同期信号は、１つの第１の時間単位に位置する、
実施形態２９に記載の装置。
［実施形態３１］
上記第１の時間単位は、サブフレームまたはタイムスロットである、実施形態２６から３０のいずれか一項に記載の装置。
［実施形態３２］
セルまたはスーパーセルに対して、
上記第１の信号は、同期信号であり、上記第１の信号が位置する上記ＯＦＤＭシンボルの上記第１の時間単位内の上記インデックスは、上記同期信号の異なるシーケンスによって示される、実施形態２９または３０に記載の装置。
［実施形態３３］
セルまたはスーパーセルに対して、
同期信号を伝送するための第１の時間単位において、異なるＯＦＤＭシンボルにおいて伝送される同期信号における一次同期信号のシーケンスは、対応するＯＦＤＭシンボルの上記第１の時間単位内のインデックスを示すために用いられ、
同期信号を伝送するための異なる第１の時間単位において、同じＯＦＤＭシンボルインデックスに対応するＯＦＤＭシンボルにおける一次同期信号のシーケンスは同じであり、
同期信号を伝送するための第１の時間単位において、異なるＯＦＤＭシンボルにおいて伝送される同期信号における二次同期信号のシーケンスは同じであり、
同期信号を伝送するために用いられ、同じ半分のフレームにおける異なる第１の時間単位において、異なるＯＦＤＭシンボルにおいて伝送される同期信号における二次同期信号のシーケンスは同じである、
実施形態３２に記載の装置。
［実施形態３４］
セルまたはスーパーセルに対して、
同期信号を伝送するための第１の時間単位において、異なるＯＦＤＭシンボルにおいて伝送される同期信号における二次同期信号のシーケンスは、対応するＯＦＤＭシンボルの上記第１の時間単位内のインデックスを示すために用いられ、
同期信号を伝送するために用いられ、同じ半分のフレームにおける異なる第１の時間単位において、同じＯＦＤＭシンボルインデックスに対応するＯＦＤＭシンボルにおける二次同期信号のシーケンスは同じであり、
同期信号を伝送するための第１の時間単位において、異なるＯＦＤＭシンボルにおいて伝送される同期信号における一次同期信号のシーケンスは同じであり、
同期信号を伝送するための異なる第１の時間単位において、異なるＯＦＤＭシンボルにおいて伝送される同期信号における一次同期信号のシーケンスは同じである、
実施形態３２に記載の装置。
［実施形態３５］
セルまたはスーパーセルに対して、
同期信号を伝送するための第１の時間単位において、異なるＯＦＤＭシンボルにおいて伝送される同期信号の第３の同期信号ｅＳＳＳのシーケンスは、対応するＯＦＤＭシンボルの上記第１の時間単位内のインデックスを示すために用いられ、
同期信号を伝送するための異なる第１の時間単位において、同じＯＦＤＭシンボルインデックスに対応するＯＦＤＭシンボルにおける第３の同期信号のシーケンスは同じであり、
同期信号を伝送するための第１の時間単位において、異なるＯＦＤＭシンボルにおいて伝送される同期信号における一次同期信号のシーケンスは同じであり、異なるＯＦＤＭシンボルにおいて伝送される同期信号における二次同期信号のシーケンスは同じであり、
同期信号を伝送するための異なる第１の時間単位において、異なるＯＦＤＭシンボルにおいて伝送される同期信号における一次同期信号のシーケンスは同じであり、
同期信号を伝送するために用いられ、同じ半分のフレームにおける異なる第１の時間単位において、異なるＯＦＤＭシンボルにおいて伝送される同期信号における二次同期信号のシーケンスは同じである、
実施形態３２に記載の装置。
［実施形態３６］
セルまたはスーパーセルに対して、
同期信号を伝送するための第１の時間単位において、異なるＯＦＤＭシンボルにおいて伝送される同期信号の第３の同期信号ｅＳＳＳのシーケンスは、対応するＯＦＤＭシンボルの上記第１の時間単位内のインデックスを示すために用いられ、異なるＯＦＤＭシンボルにおいて伝送される同期信号における一次同期信号のシーケンスは、上記第１の時間単位の上記第２の時間単位内のインデックスを示すために用いられ、
同期信号を伝送するための異なる第１の時間単位において、同じＯＦＤＭシンボルインデックスに対応するＯＦＤＭシンボルにおける第３の同期信号のシーケンスは同じであり、
同期信号を伝送するための第１の時間単位において、異なるＯＦＤＭシンボルにおいて伝送される同期信号における二次同期信号のシーケンスは同じであり、
同期信号を伝送するために用いられ、同じ半分のフレームにおける異なる第１の時間単位において、異なるＯＦＤＭシンボルにおいて伝送される同期信号における二次同期信号のシーケンスは同じである、
実施形態３２に記載の装置。
［実施形態３７］
セルまたはスーパーセルに対して、
同期信号を伝送するための第１の時間単位において、異なるＯＦＤＭシンボルにおいて伝送される同期信号の第３の同期信号ｅＳＳＳのシーケンスは、対応するＯＦＤＭシンボルの上記第１の時間単位内のインデックスを示すために用いられ、異なるＯＦＤＭシンボルにおいて伝送される同期信号における二次同期信号のシーケンスは、上記第１の時間単位の上記第２の時間単位内のインデックスを示すために用いられ、
同期信号を伝送するための異なる第１の時間単位において、同じＯＦＤＭシンボルインデックスに対応するＯＦＤＭシンボルにおける第３の同期信号のシーケンスは同じであり、
同期信号を伝送するための第１の時間単位において、異なるＯＦＤＭシンボルにおいて伝送される同期信号における一次同期信号のシーケンスは同じであり、
同期信号を伝送するための異なる第１の時間単位において、異なるＯＦＤＭシンボルにおいて伝送される同期信号における一次同期信号のシーケンスは同じである、
実施形態３２に記載の装置。
［実施形態３８］
セルまたはスーパーセルに対して、
同期信号を伝送するための第１の時間単位において、異なるＯＦＤＭシンボルにおいて伝送される同期信号における一次同期信号のシーケンスは、対応するＯＦＤＭシンボルの上記第１の時間単位内のインデックスを示すために用いられ、異なるＯＦＤＭシンボルにおいて伝送される同期信号における二次同期信号のシーケンスは、上記第１の時間単位の上記第２の時間単位内のインデックスを示すために用いられ、
同期信号を伝送するための異なる第１の時間単位において、同じＯＦＤＭシンボルインデックスに対応するＯＦＤＭシンボルにおける一次同期信号のシーケンスは同じである、
実施形態３２に記載の装置。
［実施形態３９］
セルまたはスーパーセルに対して、
同期信号を伝送するための第１の時間単位において、異なるＯＦＤＭシンボルにおいて伝送される同期信号における二次同期信号のシーケンスは、対応するＯＦＤＭシンボルの上記第１の時間単位内のインデックスを示すために用いられ、異なるＯＦＤＭシンボルにおいて伝送される同期信号における一次同期信号のシーケンスは、上記第１の時間単位の上記第２の時間単位内のインデックスを示すために用いられ、
同期信号を伝送するために用いられ、同じ半分のフレームにおける異なる第１の時間単位において、同じＯＦＤＭシンボルインデックスに対応するＯＦＤＭシンボルにおける二次同期信号のシーケンスは同じである、
実施形態３２に記載の装置。
［実施形態４０］
セルまたはスーパーセルに対して、
上記同期信号における上記一次同期信号のシーケンスは、１つのセルＩＤグループにおけるセルＩＤ情報を識別するために用いられ、
上記同期信号における上記二次同期信号のシーケンスは、セルＩＤグループの情報を識別するために用いられる、
実施形態３１から３９のいずれか一項に記載の装置。
［実施形態４１］
セルまたはスーパーセルに対して、上記第１の信号が同期信号であり、上記第２の信号がブロードキャスト信号であるとき、
上記ブロードキャスト信号のシグナリングは、上記ブロードキャスト信号の第１の時間単位のインデックス情報を明示的に示し、および／または、
上記ブロードキャスト信号におけるスクランブリングコードは、上記第１の時間単位のインデックス情報を保持し、および／または、
上記ブロードキャスト信号における巡回冗長検査コードＣＲＣのマスクは、上記第１の時間単位のインデックス情報を保持する、
実施形態３０から３９のいずれか一項に記載の装置。
［実施形態４２］
セルまたはスーパーセルに対して、上記第１の信号が同期信号であり、上記第２の信号がブロードキャスト信号であるとき、
上記ブロードキャスト信号のシグナリングは、上記ブロードキャスト信号の第１の時間単位のインデックス情報を明示的に示し、
上記ブロードキャスト信号におけるスクランブリングコードは、上記ブロードキャスト信号に対応するＯＦＤＭシンボルのインデックス情報または上記ブロードキャスト信号に対応する同期信号のＯＦＤＭシンボルのインデックス情報を保持する、
実施形態３０から３９のいずれか一項に記載の装置。
［実施形態４３］
セルまたはスーパーセルに対して、上記第１の信号が同期信号であり、上記第２の信号がブロードキャスト信号であるとき、
上記ブロードキャスト信号のシグナリングは、上記ブロードキャスト信号の第１の時間単位のインデックス情報を明示的に示し、
上記ブロードキャスト信号のＣＲＣのマスクは、上記ブロードキャスト信号に対応するＯＦＤＭシンボルのインデックス情報または上記ブロードキャスト信号に対応する同期信号のＯＦＤＭシンボルのインデックス情報を保持する、
実施形態３０から３９のいずれか一項に記載の装置。
［実施形態４４］
セルまたはスーパーセルに対して、
上記第１の時間単位のインデックスの最大数は、１つの第２の時間単位における第１の時間単位の数より小さい、またはそれに等しい、
実施形態４１から４３のいずれか一項に記載の装置。
［実施形態４５］
セルまたはスーパーセルに対して、
上記第１のネットワーク装置により１つの第２の時間単位において上記第１の信号を送信するための第１の時間単位の位置は可変である、実施形態２６から４４のいずれか一項に記載の装置。
［実施形態４６］
セルまたはスーパーセルに対して、
上記第１のネットワーク装置により１つの第２の時間単位において上記第２の信号を送信するための第１の時間単位の位置は可変である、
実施形態２６から４４のいずれか一項に記載の装置。
［実施形態４７］
セルまたはスーパーセルに対して、
上記第１のネットワーク装置により１つの第２の時間単位において上記第１の信号を送信するために占有されている第１の時間単位の数は可変である、
実施形態２６から４４のいずれか一項に記載の装置。
［実施形態４８］
セルまたはスーパーセルに対して、
上記第１のネットワーク装置により１つの第２の時間単位において上記第２の信号を送信するために占有されている第１の時間単位の数は可変である、
実施形態２６から４４のいずれか一項に記載の装置。
［実施形態４９］
セルまたはスーパーセルに対して、
上記第１の信号に対応する時間−周波数リソースは、上記第２の信号に対応する時間−周波数リソースと関連付けられる、
実施形態２６から４８のいずれか一項に記載の装置。
［実施形態５０］
セルまたはスーパーセルに対して、
上記第１の信号に対応する時間−周波数リソース、および上記第２の信号に対応する時間−周波数リソースは、同じＯＦＤＭシンボルにおいて周波数分割多重化されるか、または、
上記第１の信号に対応する時間−周波数リソース、および上記第２の信号に対応する時間−周波数リソースは、異なるＯＦＤＭシンボルにおいて時分割多重化される、
実施形態２６から４９のいずれか一項に記載の装置。
［実施形態５１］
信号を伝送するための方法であって、上記方法は、
第１のネットワーク装置が、Ｘ個の第１の信号およびＹ個の第２の信号を送信する段階であって、それぞれの上記第２の信号は、少なくとも１つの第１の信号と関連付けられ、Ｘは１以上の整数であり、Ｙは１以上の整数である、段階を備え、
上記第１の信号は、直交周波数分割多重ＯＦＤＭシンボルのインデックス情報を保持し、上記ＯＦＤＭシンボルのインデックス情報は、上記第１の信号が位置するＯＦＤＭシンボルの第１の時間単位内のインデックスを示し、上記第２の信号は、第１の時間単位のインデックス情報を保持し、上記第１の時間単位のインデックス情報は、上記第２の信号が位置する第１の時間単位の第２の時間単位内のインデックスを示し、１つの第２の時間単位は、少なくとも２つの第１の時間単位を含み、それぞれの上記第１の時間単位は、少なくとも２つのОＦＤＭシンボルを含む、
方法。
［実施形態５２］
上記Ｘ個の第１の信号および上記Ｙ個の第２の信号のうち、互いに関連付けられている１つの第１の信号および１つの第２の信号は、１つの伝送ビームに位置する、
実施形態５１に記載の方法。
［実施形態５３］
上記Ｘ個の第１の信号および上記Ｙ個の第２の信号のうち、互いに関連付けられている１つの第１の信号および１つの第２の信号は、１つの第１の時間単位に位置する、
実施形態５１に記載の方法。
［実施形態５４］
セルまたはスーパーセルに対して、
上記第１の信号は同期信号であり、上記第２の信号はブロードキャスト信号であるか、または、
上記第１の信号はブロードキャスト信号であり、上記第２の信号は同期信号であるか、または、
上記第１の信号は同期信号であり、上記第２の信号は同期信号である、
実施形態５１に記載の方法。
［実施形態５５］
上記同期信号は、一次同期信号および二次同期信号を含むか、または、
上記同期信号は、一次同期信号、二次同期信号、および第３の同期信号ｅＳＳＳを含み、各同期信号に含まれている上記一次同期信号および上記二次同期信号は、１つの第１の時間単位に位置する、
実施形態５４に記載の方法。
［実施形態５６］
上記第１の時間単位は、サブフレームまたはタイムスロットである、実施形態５１から５５のいずれか一項に記載の方法。
［実施形態５７］
セルまたはスーパーセルに対して、
上記第１の信号は、同期信号であり、上記第１の信号が位置する上記ＯＦＤＭシンボルの上記第１の時間単位内の上記インデックスは、上記同期信号の異なるシーケンスにより示される、
実施形態５３または５４に記載の方法。
［実施形態５８］
セルまたはスーパーセルに対して、
同期信号を伝送するための第１の時間単位において、異なるＯＦＤＭシンボルにおいて伝送される同期信号における一次同期信号のシーケンスは、対応するＯＦＤＭシンボルの上記第１の時間単位内のインデックスを示すために用いられ、
同期信号を伝送するための異なる第１の時間単位において、同じＯＦＤＭシンボルインデックスに対応するＯＦＤＭシンボルにおける一次同期信号のシーケンスは同じであり、
同期信号を伝送するための第１の時間単位において、異なるＯＦＤＭシンボルにおいて伝送される同期信号における二次同期信号のシーケンスは同じであり、
同期信号を伝送するために用いられ、同じ半分のフレームにおける異なる第１の時間単位において、異なるＯＦＤＭシンボルにおいて伝送される同期信号における二次同期信号のシーケンスは同じである、
実施形態５７に記載の方法。
［実施形態５９］
セルまたはスーパーセルに対して、
同期信号を伝送するための第１の時間単位において、異なるＯＦＤＭシンボルにおいて伝送される同期信号における二次同期信号のシーケンスは、対応するＯＦＤＭシンボルの上記第１の時間単位内のインデックスを示すために用いられ、
同期信号を伝送するために用いられ、同じ半分のフレームにおける異なる第１の時間単位において、同じＯＦＤＭシンボルインデックスに対応するＯＦＤＭシンボルにおける二次同期信号のシーケンスは同じであり、同期信号を伝送するために第１の時間単位において、異なるＯＦＤＭシンボルにおいて伝送される同期信号における一次同期信号のシーケンスは同じであり、
同期信号を伝送するための異なる第１の時間単位において、異なるＯＦＤＭシンボルにおいて伝送される同期信号における一次同期信号のシーケンスは同じである、
実施形態５７に記載の方法。
［実施形態６０］
セルまたはスーパーセルに対して、
同期信号を伝送するための第１の時間単位において、異なるＯＦＤＭシンボルにおいて伝送される同期信号の第３の同期信号ｅＳＳＳのシーケンスは、対応するＯＦＤＭシンボルの上記第１の時間単位内のインデックスを示すために用いられ、
同期信号を伝送するための異なる第１の時間単位において、同じＯＦＤＭシンボルインデックスに対応するＯＦＤＭシンボルにおける第３の同期信号のシーケンスは同じであり、
同期信号を伝送するための第１の時間単位において、異なるＯＦＤＭシンボルにおいて伝送される同期信号における一次同期信号のシーケンスは同じであり、異なるＯＦＤＭシンボルにおいて伝送される同期信号における二次同期信号のシーケンスは同じであり、
同期信号を伝送するための異なる第１の時間単位において、異なるＯＦＤＭシンボルにおいて伝送される同期信号における一次同期信号のシーケンスは同じであり、
同期信号を伝送するために用いられ、同じ半分のフレームにおける異なる第１の時間単位において、異なるＯＦＤＭシンボルにおいて伝送される同期信号における二次同期信号のシーケンスは同じである、
実施形態５７に記載の方法。
［実施形態６１］
セルまたはスーパーセルに対して、
同期信号を伝送するための第１の時間単位において、異なるＯＦＤＭシンボルにおいて伝送される同期信号の第３の同期信号ｅＳＳＳのシーケンスは、対応するＯＦＤＭシンボルの上記第１の時間単位内のインデックスを示すために用いられ、異なるＯＦＤＭシンボルにおいて伝送される同期信号における一次同期信号のシーケンスは、上記第１の時間単位の上記第２の時間単位内のインデックスを示すために用いられ、
同期信号を伝送するための異なる第１の時間単位において、同じＯＦＤＭシンボルインデックスに対応するＯＦＤＭシンボルにおける第３の同期信号のシーケンスは同じであり、
同期信号を伝送するための第１の時間単位において、異なるＯＦＤＭシンボルにおいて伝送される同期信号における二次同期信号のシーケンスは同じであり、
同期信号を伝送するために用いられ、同じ半分のフレームにおける異なる第１の時間単位において、異なるＯＦＤＭシンボルにおいて伝送される同期信号における二次同期信号のシーケンスは同じである、
実施形態５７に記載の方法。
［実施形態６２］
セルまたはスーパーセルに対して、
同期信号を伝送するための第１の時間単位において、異なるＯＦＤＭシンボルにおいて伝送される同期信号の第３の同期信号ｅＳＳＳのシーケンスは、対応するＯＦＤＭシンボルの上記第１の時間単位内のインデックスを示すために用いられ、異なるＯＦＤＭシンボルにおいて伝送される同期信号における二次同期信号のシーケンスは、上記第１の時間単位の上記第２の時間単位内のインデックスを示すために用いられ、
同期信号を伝送するための異なる第１の時間単位において、同じＯＦＤＭシンボルインデックスに対応するＯＦＤＭシンボルにおける第３の同期信号のシーケンスは同じであり、
同期信号を伝送するための第１の時間単位において、異なるＯＦＤＭシンボルにおいて伝送される同期信号における一次同期信号のシーケンスは同じであり、
同期信号を伝送するための異なる第１の時間単位において、異なるＯＦＤＭシンボルにおいて伝送される同期信号の一次同期信号のシーケンスは同じである、
実施形態５７に記載の方法。
［実施形態６３］
セルまたはスーパーセルに対して、
同期信号を伝送するための第１の時間単位において、異なるＯＦＤＭシンボルにおいて伝送される同期信号における一次同期信号のシーケンスは、対応するＯＦＤＭシンボルの上記第１の時間単位内のインデックスを示すために用いられ、異なるＯＦＤＭシンボルにおいて伝送される同期信号における二次同期信号のシーケンスは、上記第１の時間単位の上記第２の時間単位内のインデックスを示すために用いられ、
同期信号を伝送するための異なる第１の時間単位において、同じＯＦＤＭシンボルインデックスに対応するＯＦＤＭシンボルにおける一次同期信号のシーケンスは同じである、
実施形態５７に記載の方法。
［実施形態６４］
セルまたはスーパーセルに対して、
同期信号を伝送するための第１の時間単位において、異なるＯＦＤＭシンボルにおいて伝送される同期信号における二次同期信号のシーケンスは、対応するＯＦＤＭシンボルの上記第１の時間単位内のインデックスを示すために用いられ、異なるＯＦＤＭシンボルにおいて伝送される同期信号における一次同期信号のシーケンスは、上記第１の時間単位の上記第２の時間単位内のインデックスを示すために用いられ、
同期信号を伝送するために用いられ、同じ半分のフレームにおける異なる第１の時間単位において、同じＯＦＤＭシンボルインデックスに対応するＯＦＤＭシンボルにおける二次同期信号のシーケンスは同じである、
実施形態５７に記載の方法。
［実施形態６５］
セルまたはスーパーセルに対して、
上記同期信号における上記一次同期信号のシーケンスは、１つのセルＩＤグループにおけるセルＩＤ情報を識別するために用いられ、
上記同期信号における上記二次同期信号のシーケンスは、セルＩＤグループの情報を識別するために用いられる、
実施形態５８から６４のいずれか一項に記載の方法。
［実施形態６６］
セルまたはスーパーセルに対して、上記第１の信号が同期信号であり、上記第２の信号がブロードキャスト信号であるとき、
上記ブロードキャスト信号のシグナリングは、上記ブロードキャスト信号の第１の時間単位のインデックス情報を明示的に示し、および／または、
上記ブロードキャスト信号におけるスクランブリングコードは、上記第１の時間単位のインデックス情報を保持し、および／または、
上記ブロードキャスト信号における巡回冗長検査コードＣＲＣのマスクは、上記第１の時間単位のインデックス情報を保持する、
実施形態５７から６４のいずれか一項に記載の方法。
［実施形態６７］
セルまたはスーパーセルに対して、上記第１の信号が同期信号であり、上記第２の信号がブロードキャスト信号であるとき、
上記ブロードキャスト信号のシグナリングは、上記ブロードキャスト信号の第１の時間単位のインデックス情報を明示的に示し、
上記ブロードキャスト信号におけるスクランブリングコードは、上記ブロードキャスト信号に対応するＯＦＤＭシンボルのインデックス情報または上記ブロードキャスト信号に対応する同期信号のＯＦＤＭシンボルのインデックス情報を保持する、
実施形態５７から６４のいずれか一項に記載の方法。
［実施形態６８］
セルまたはスーパーセルに対して、上記第１の信号が同期信号であり、上記第２の信号がブロードキャスト信号であるとき、
上記ブロードキャスト信号のシグナリングは、上記ブロードキャスト信号の第１の時間単位のインデックス情報を明示的に示し、
上記ブロードキャスト信号におけるＣＲＣのマスクは、上記ブロードキャスト信号に対応するＯＦＤＭシンボルのインデックス情報または上記ブロードキャスト信号に対応する同期信号のＯＦＤＭシンボルのインデックス情報を保持する、
実施形態５７から６４のいずれか一項に記載の方法。
［実施形態６９］
セルまたはスーパーセルに対して、
上記第１の時間単位のインデックスの最大数が、１つの第２の時間単位における第１の時間単位の数より小さい、またはそれに等しい、
実施形態５７から６４のいずれか一項に記載の方法。
［実施形態７０］
セルまたはスーパーセルに対して、
上記第１のネットワーク装置により１つの第２の時間単位において上記第１の信号を送信するための第１の時間単位の位置は可変である、
実施形態５１から６９のいずれか一項に記載の方法。
［実施形態７１］
セルまたはスーパーセルに対して、
上記第１のネットワーク装置により１つの第２の時間単位において上記第２の信号を送信するための第１の時間単位の位置は可変である、
実施形態５１から６９のいずれか一項に記載の方法。
［実施形態７２］
セルまたはスーパーセルに対して、
上記第１のネットワーク装置により１つの第２の時間単位において上記第１の信号を送信するために占有されている第１の時間単位の数は可変である、
実施形態５１から６９のいずれか一項に記載の方法。
［実施形態７３］
セルまたはスーパーセルに対して、
上記第１のネットワーク装置により１つの第２の時間単位において上記第２の信号を送信するために占有されている第１の時間単位の数は可変である、
実施形態５１から６９のいずれか一項に記載の方法。
［実施形態７４］
セルまたはスーパーセルに対して、
上記第１の信号に対応する時間−周波数リソースは、上記第２の信号に対応する時間−周波数リソースと関連付けられる、
実施形態５１から７３のいずれか一項に記載の方法。
［実施形態７５］
セルまたはスーパーセルに対して、
上記第１の信号に対応する時間−周波数リソースおよび上記第２の信号に対応する時間−周波数リソースは、同じＯＦＤＭシンボルにおいて周波数分割多重化されるか、または、
上記第１の信号に対応する時間−周波数リソースおよび上記第２の信号に対応する時間−周波数リソースは、異なるＯＦＤＭシンボルにおいて時分割多重化される、
実施形態５１から７４のいずれか一項に記載の方法。
［実施形態７６］
信号を受信するための方法であって、上記方法は、
第２のネットワーク装置が、第１のネットワーク装置により送信されたＸ個の第１の信号のうち１つおよびＹ個の第２の信号のうち１つを検出する段階であって、Ｘは１以上の整数であり、Ｙは１以上の整数である、段階と、
上記第２のネットワーク装置が、上記第１の信号に基づいてＯＦＤＭシンボルのインデックス情報を取得し、上記第２の信号に基づいて第１の時間単位のインデックス情報を取得する段階であって、上記ＯＦＤＭシンボルのインデックス情報は、上記第１の信号が位置するＯＦＤＭシンボルの第１の時間単位内のインデックスを示し、上記第１の時間単位のインデックス情報は、上記第２の信号が位置する第１の時間単位の第２の時間単位内のインデックスを示し、１つの第２の時間単位は、少なくとも２つの第１の時間単位を含み、それぞれの上記第１の時間単位は、少なくとも２つのОＦＤＭシンボルを含む、段階とを備える、
方法。
［実施形態７７］
上記Ｘ個の第１の信号および上記Ｙ個の第２の信号のうち、互いに関連付けられている１つの第１の信号および１つの第２の信号は、１つの伝送ビームに位置する、
実施形態７６に記載の方法。
［実施形態７８］
上記Ｘ個の第１の信号および上記Ｙ個の第２の信号のうち、互いに関連付けられる１つの第１の信号および１つの第２の信号は、１つの第１の時間単位に位置する、実施形態７６に記載の方法。
［実施形態７９］
セルまたはスーパーセルに対して、
上記第１の信号は同期信号であり、上記第２の信号はブロードキャスト信号であるか、または、
上記第１の信号はブロードキャスト信号であり、上記第２の信号は同期信号であるか、または、
上記第１の信号は同期信号であり、上記第２の信号は同期信号である、
実施形態７６に記載の方法。
［実施形態８０］
上記同期信号は、一次同期信号および二次同期信号を含むか、または、
上記同期信号は、一次同期信号、二次同期信号、および第３の同期信号ｅＳＳＳを含み、
各同期信号に含まれている上記一次同期信号および上記二次同期信号は、１つの第１の時間単位に位置する、
実施形態７９に記載の方法。
［実施形態８１］
上記第１の時間単位は、サブフレームまたはタイムスロットである、実施形態７６から８０のいずれか一項に記載の方法。
［実施形態８２］
セルまたはスーパーセルに対して、
上記第１の信号は同期信号であり、上記第１の信号が位置する上記ＯＦＤＭシンボルの上記第１の時間単位内の上記インデックスは、上記同期信号の異なるシーケンスにより示される、
実施形態７９または８０に記載の方法。
［実施形態８３］
セルまたはスーパーセルに対して、
同期信号を伝送するための第１の時間単位において、異なるＯＦＤＭシンボルにおいて伝送される同期信号における一次同期信号のシーケンスは、対応するＯＦＤＭシンボルの上記第１の時間単位内のインデックスを示すために用いられ、
同期信号を伝送するための異なる第１の時間単位において、同じＯＦＤＭシンボルインデックスに対応するＯＦＤＭシンボルにおける一次同期信号のシーケンスは同じであり、
同期信号を伝送するための第１の時間単位において、異なるＯＦＤＭシンボルにおいて伝送される同期信号における二次同期信号のシーケンスは同じであり、
同期信号を伝送するために用いられ、同じ半分のフレームにおける異なる第１の時間単位において、異なるＯＦＤＭシンボルにおいて伝送される同期信号における二次同期信号のシーケンスは同じである、
実施形態８２に記載の方法。
［実施形態８４］
セルまたはスーパーセルに対して、
同期信号を伝送するための第１の時間単位において、異なるＯＦＤＭシンボルにおいて伝送される同期信号における二次同期信号のシーケンスは、対応するＯＦＤＭシンボルの上記第１の時間単位内のインデックスを示すために用いられ、
同期信号を伝送するために用いられ、同じ半分のフレームにおける異なる第１の時間単位において、同じＯＦＤＭシンボルインデックスに対応するＯＦＤＭシンボルにおける二次同期信号のシーケンスは同じであり、
同期信号を伝送するための第１の時間単位において、異なるＯＦＤＭシンボルにおいて伝送される同期信号における一次同期信号のシーケンスは同じであり、
同期信号を伝送するための異なる第１の時間単位において、異なるＯＦＤＭシンボルにおいて伝送される同期信号における一次同期信号のシーケンスは同じである、
実施形態８２に記載の方法。
［実施形態８５］
セルまたはスーパーセルに対して、
同期信号を伝送するための第１の時間単位において、異なるＯＦＤＭシンボルにおいて伝送される同期信号の第３の同期信号ｅＳＳＳのシーケンスは、対応するＯＦＤＭシンボルの上記第１の時間単位内のインデックスを示すために用いられ、
同期信号を伝送するための異なる第１の時間単位において、同じＯＦＤＭシンボルインデックスに対応するＯＦＤＭシンボルにおける第３の同期信号のシーケンスは同じであり、
同期信号を伝送するための第１の時間単位において、異なるＯＦＤＭシンボルにおいて伝送される同期信号における一次同期信号のシーケンスは同じであり、異なるＯＦＤＭシンボルにおいて伝送される同期信号における二次同期信号のシーケンスは同じであり、
同期信号を伝送するための異なる第１の時間単位において、異なるＯＦＤＭシンボルにおいて伝送される同期信号における一次同期信号のシーケンスは同じであり、
同期信号を伝送するために用いられ、同じ半分のフレームにおける異なる第１の時間単位において、異なるＯＦＤＭシンボルにおいて伝送される同期信号における二次同期信号のシーケンスは同じである、
実施形態８２に記載の方法。
［実施形態８６］
セルまたはスーパーセルに対して、
同期信号を伝送するための第１の時間単位において、異なるＯＦＤＭシンボルにおいて伝送される同期信号の第３の同期信号ｅＳＳＳのシーケンスは、対応するＯＦＤＭシンボルの上記第１の時間単位内のインデックスを示すために用いられ、
異なるＯＦＤＭシンボルにおいて伝送される同期信号における一次同期信号のシーケンスは、上記第１の時間単位の上記第２の時間単位内のインデックスを示すために用いられ、
同期信号を伝送するための異なる第１の時間単位において、同じＯＦＤＭシンボルインデックスに対応するＯＦＤＭシンボルにおける第３の同期信号のシーケンスは同じであり、
同期信号を伝送するための第１の時間単位において、異なるＯＦＤＭシンボルにおいて伝送される同期信号における二次同期信号のシーケンスは同じであり、
同期信号を伝送するために用いられ、同じ半分のフレームにおける異なる第１の時間単位において、異なるＯＦＤＭシンボルにおいて伝送される同期信号における二次同期信号のシーケンスは同じである、
実施形態８２に記載の方法。
［実施形態８７］
セルまたはスーパーセルに対して、
同期信号を伝送するための第１の時間単位において、異なるＯＦＤＭシンボルにおいて伝送される同期信号の第３の同期信号ｅＳＳＳのシーケンスは、対応するＯＦＤＭシンボルの上記第１の時間単位内のインデックスを示すために用いられ、異なるＯＦＤＭシンボルにおいて伝送される同期信号における二次同期信号のシーケンスは、上記第１の時間単位の上記第２の時間単位内のインデックスを示すために用いられ、
同期信号を伝送するための異なる第１の時間単位において、同じＯＦＤＭシンボルインデックスに対応するＯＦＤＭシンボルにおける第３の同期信号のシーケンスは同じであり、同期信号を伝送するための第１の時間単位において、異なるＯＦＤＭシンボルにおいて伝送される同期信号における一次同期信号のシーケンスは同じであり、
同期信号を伝送するための異なる第１の時間単位において、異なるＯＦＤＭシンボルにおいて伝送される同期信号における一次同期信号のシーケンスは同じである、
実施形態８２に記載の方法。
［実施形態８８］
セルまたはスーパーセルに対して、
同期信号を伝送するための第１の時間単位において、異なるＯＦＤＭシンボルにおいて伝送される同期信号における一次同期信号のシーケンスは、対応するＯＦＤＭシンボルの上記第１の時間単位内のインデックスを示すために用いられ、異なるＯＦＤＭシンボルにおいて伝送される同期信号における二次同期信号のシーケンスは、上記第１の時間単位の上記第２の時間単位内のインデックスを示すために用いられ、
同期信号を伝送するための異なる第１の時間単位において、同じＯＦＤＭシンボルインデックスに対応するＯＦＤＭシンボルにおける一次同期信号のシーケンスは同じである、
実施形態８２に記載の方法。
［実施形態８９］
セルまたはスーパーセルに対して、
同期信号を伝送するための第１の時間単位において、異なるＯＦＤＭシンボルにおいて伝送される同期信号における二次同期信号のシーケンスは、対応するＯＦＤＭシンボルの上記第１の時間単位内のインデックスを示すために用いられ、異なるＯＦＤＭシンボルにおいて伝送される同期信号における一次同期信号のシーケンスは、上記第１の時間単位の上記第２の時間単位内のインデックスを示すために用いられ、
同期信号を伝送するために用いられ、同じ半分のフレームにおける異なる第１の時間単位において、同じＯＦＤＭシンボルインデックスに対応するＯＦＤＭシンボルにおける二次同期信号のシーケンスは同じである、
実施形態８２に記載の方法。
［実施形態９０］
セルまたはスーパーセルに対して、
上記同期信号における上記一次同期信号のシーケンスは、１つのセルＩＤグループにおけるセルＩＤ情報を識別するために用いられ、
上記同期信号における上記二次同期信号のシーケンスは、セルＩＤグループの情報を識別するために用いられる、
実施形態８３から８９のいずれか一項に記載の方法。
［実施形態９１］
セルまたはスーパーセルに対して、上記第１の信号が同期信号であり、上記第２の信号がブロードキャスト信号であるとき、
上記ブロードキャスト信号のシグナリングは、上記ブロードキャスト信号の第１の時間単位のインデックス情報を明示的に示し、および／または、
上記ブロードキャスト信号のスクランブリングコードは、上記第１の時間単位のインデックス情報を保持し、および／または、
上記ブロードキャスト信号における巡回冗長検査コードＣＲＣのマスクは、上記第１の時間単位のインデックス情報を保持する、
実施形態８２から８９のいずれか一項に記載の方法。
［実施形態９２］
セルまたはスーパーセルに対して、上記第１の信号が同期信号であり、上記第２の信号がブロードキャスト信号であるとき、
上記ブロードキャスト信号のシグナリングは、上記ブロードキャスト信号の第１の時間単位のインデックス情報を明示的に示し、
上記ブロードキャスト信号におけるスクランブリングコードは、上記ブロードキャスト信号に対応するＯＦＤＭシンボルのインデックス情報または上記ブロードキャスト信号に対応する同期信号のＯＦＤＭシンボルのインデックス情報を保持する、
実施形態８２から８９のいずれか一項に記載の方法。
［実施形態９３］
セルまたはスーパーセルに対して、上記第１の信号が同期信号であり、上記第２の信号がブロードキャスト信号であるとき、
上記ブロードキャスト信号のシグナリングは、上記ブロードキャスト信号の第１の時間単位のインデックス情報を明示的に示し、
上記ブロードキャスト信号におけるＣＲＣのマスクは、上記ブロードキャスト信号に対応するＯＦＤＭシンボルのインデックス情報または上記ブロードキャスト信号に対応する同期信号のＯＦＤＭシンボルのインデックス情報を保持する、
実施形態８２から８９のいずれか一項に記載の方法。
［実施形態９４］
セルまたはスーパーセルに対して、
上記第１の時間単位のインデックスの最大数は、１つの第２の時間単位における第１の時間単位の数より小さい、またはそれに等しい、
実施形態８２から８９のいずれか一項に記載の方法。
［実施形態９５］
セルまたはスーパーセルに対して、
上記第１のネットワーク装置により１つの第２の時間単位において上記第１の信号を送信するための第１の時間単位の位置は可変である、
実施形態７６から９４のいずれか一項に記載の方法。
［実施形態９６］
セルまたはスーパーセルに対して、
上記第１のネットワーク装置により１つの第２の時間単位において上記第２の信号を送信するための第１の時間単位の位置は可変である、
実施形態７６から９４のいずれか一項に記載の方法。
［実施形態９７］
セルまたはスーパーセルに対して、
上記第１のネットワーク装置により１つの第２の時間単位において上記第１の信号を送信するために占有されている第１の時間単位の数は可変である、
実施形態７６から９４のいずれか一項に記載の方法。
［実施形態９８］
セルまたはスーパーセルに対して、
上記第１のネットワーク装置により１つの第２の時間単位において上記第２の信号を送信するために占有されている第１の時間単位の数は可変である、
実施形態７６から９４のいずれか一項に記載の方法。
［実施形態９９］
セルまたはスーパーセルに対して、
上記第１の信号に対応する時間−周波数リソースは、上記第２の信号に対応する時間−周波数リソースと関連付けられている、
実施形態７６から９８のいずれか一項に記載の方法。
［実施形態１００］
セルまたはスーパーセルに対して、
上記第１の信号に対応する時間−周波数リソースおよび上記第２の信号に対応する時間−周波数リソースは、同じＯＦＤＭシンボルにおいて周波数分割多重化されるか、または、
上記第１の信号に対応する時間−周波数リソースおよび上記第２の信号に対応する時間−周波数リソースは、異なるＯＦＤＭシンボルにおいて時分割多重化される、
実施形態７６から９９のいずれか一項に記載の方法。
［実施形態１０１］
ネットワーク装置であって、上記ネットワーク装置は、プロセッサおよびメモリを備え、上記メモリは、少なくとも１つの命令、少なくとも１つのプログラム、コードセット、または命令セットを記憶し、上記少なくとも１つの命令、上記少なくとも１つのプログラム、上記コードセットまたは上記命令セットは、上記プロセッサによりロードされて実行され、実施形態５１から７５のいずれか一項に記載の信号送信方法を実行する、
ネットワーク装置。
［実施形態１０２］
ネットワーク装置であって、上記ネットワーク装置は、プロセッサおよびメモリを備え、上記メモリは、少なくとも１つの命令、少なくとも１つのプログラム、コードセット、または命令セットを記憶し、上記少なくとも１つ命令、上記少なくとも１つのプログラム、上記コードセット、または上記命令セットは、上記プロセッサによりロードされて実行され、実施形態７６から１００のいずれか一項に記載の信号受信方法を実行する、
ネットワーク装置。
［実施形態１０３］
コンピュータ可読記憶媒体であって、上記記憶媒体は、少なくとも１つの命令、少なくとも１つのプログラム、コードセット、または命令セットを記憶し、上記少なくとも１つの命令、上記少なくとも１つのプログラム、上記コードセット、または上記命令セットは、プロセッサによりロードされて実行され、実施形態５１から７５のいずれか一項に記載の信号送信方法を実行する、
コンピュータ可読記憶媒体。
［実施形態１０４］
コンピュータ可読記憶媒体であって、上記記憶媒体は、少なくとも１つの命令、少なくとも１つのプログラム、コードセット、または命令セットを記憶し、上記少なくとも１つの命令、上記少なくとも１つのプログラム、上記コードセットまたは上記命令セットは、プロセッサによりロードされて実行され、実施形態７６から１００のいずれか一項に記載の信号受信方法を実行する、
コンピュータ可読記憶媒体。
【０１６７】
前述の本願の実施形態のシーケンス番号は例示の目的のために過ぎず、実施形態の優先度を示すことを意図されていない。
【０１６８】
当業者は、実施形態における段階の全てまたは一部が、ハードウェアにより実行されてよく、または関連ハードウェアを指示するプログラムにより実行されてよいことを理解し得る。プログラムは、コンピュータ可読記憶媒体に記憶されてよい。
【０１６９】
前述の説明は本願の実施形態の例に過ぎず、本願を限定することを意図されていない。本願の趣旨および原則から逸脱することなく行われたいかなる変更、均等物との置換、または改善は、本願の保護範囲内に含まれるものとする。
【国際調査報告】
2019530275.tif 000013
2019530275.tif 000014
2019530275.tif 000015
2019530275.tif 000016